(57)【要約】  本発明は、通信分野に関係するとともに、古いリリースのＵＥが存在するセルにおいて、オペレータがＮＣＴキャリアを配置することができないとともに、ＮＣＴの導入に起因するキャリア性能の向上を獲得することができず、それがセルにおける比較的低いキャリアリソースの利用をもたらす、従来技術における問題を解決するために使用される、キャリア設定方法を開示する。本発明において提供される方法は、第１のキャリア上にニューキャリアタイプＮＣＴサブフレーム及び／又は後方互換サブフレームを設定し、第１のキャリア上のＮＣＴサブフレームの設定及び／又は後方互換サブフレームの設定に従って、第１のキャリアのサブフレーム設定情報を判定するステップと、動的なシグナリングを使用することにより第１のユーザ装置ＵＥに第１のキャリアのサブフレーム設定情報を送信し、ここで、第１のキャリアのサブフレーム設定情報が第１のキャリアのサブフレーム設定情報に従って第１のキャリア上のサブフレームのサブフレームタイプを判定するために第１のＵＥにより使用され、そして、第１のキャリア上のサブフレームのサブフレームタイプに従って第１のキャリアを使用して通信を実行するステップとを含む。本発明は、通信分野に適用でき、そしてキャリアを設定するために使用される。
2016531501.tif 000002
【特許請求の範囲】
【請求項１】
キャリア設定方法であって、
第１のキャリア上にニューキャリアタイプＮＣＴサブフレーム及び／又は後方互換サブフレームを設定し、前記第１のキャリア上の前記ＮＣＴサブフレームの前記設定及び／又は前記後方互換サブフレームの前記設定に従って、前記第１のキャリアのサブフレーム設定情報を判定するステップと、
動的なシグナリングを使用することにより第１のユーザ装置ＵＥに前記第１のキャリアの前記サブフレーム設定情報を送信し、ここで、前記第１のキャリアの前記サブフレーム設定情報が前記第１のキャリアの前記サブフレーム設定情報に従って前記第１のキャリア上のサブフレームのサブフレームタイプを判定するために前記第１のＵＥにより使用され、前記第１のキャリア上の前記サブフレームの前記サブフレームタイプがＮＣＴサブフレーム及び／又は後方互換サブフレームを含み、そして、前記第１のキャリア上の前記サブフレームの前記サブフレームタイプに従って前記第１のキャリアを使用して通信を実行するステップとを含む、方法。
【請求項２】
動的なシグナリングを使用することにより第１のユーザ装置ＵＥに前記第１のキャリアの前記サブフレーム設定情報を送信する前記ステップが、
設定された送信期間に従って前記動的なシグナリングを前記第１のＵＥに定期的に送信するステップであって、前記動的なシグナリングが前記第１のキャリアの前記サブフレーム設定情報を搬送する、ステップを含む、請求項１に記載の方法。
【請求項３】
当該方法が、
前記第１のキャリア内に存在する、少なくとも１つの第２のＵＥのサービスボリューム及び前記少なくとも１つの第２のＵＥによりサポートされるサブフレームタイプを判定するステップを更に含み、
第１のキャリア上に前記ＮＣＴサブフレーム及び／又は後方互換サブフレームを設定する前記ステップが、
前記第２のＵＥの前記サービスボリューム及び前記第２のＵＥによりサポートされる前記サブフレームタイプに従って、前記第１のキャリア上に前記ＮＣＴサブフレーム及び前記後方互換サブフレームを設定するステップを含む、請求項１又は請求項２に記載の方法。
【請求項４】
前記第２のＵＥの前記サービスボリューム及び前記第２のＵＥによりサポートされる前記サブフレームタイプに従って、前記第１のキャリア上に前記ＮＣＴサブフレーム及び前記後方互換サブフレームを設定する前記ステップが、
前記第１のキャリアによりサービスされる第１のタイプのＵＥの総計のサービスボリュームがしきい値Ｔ１より少ないことを判定し、そして、前記第１のキャリア上の全てのサブフレームをＮＣＴサブフレームとして設定するステップであって、前記第１のタイプのＵＥが後方互換サブフレームをサポートするＵＥである、ステップ、又は、
前記第１のキャリアによりサービスされる第２のタイプのＵＥの総計のサービスボリュームがしきい値Ｔ２より少ないことを判定し、前記第１のキャリアによりサービスされる第１のタイプのＵＥのサービスボリュームがしきい値Ｔ１より多いことを判定し、そして、前記第１のキャリア上の全てのサブフレームを後方互換サブフレームとして設定するステップであって、前記第２のタイプのＵＥがＮＣＴサブフレームをサポートするＵＥである、ステップ、又は、
前記第１のキャリアによりサービスされる前記第１のタイプのＵＥの総計のサービスボリュームがしきい値Ｔ１より多いか若しくはしきい値Ｔ１に等しいことを判定し、前記第１のキャリアによりサービスされる前記第２のタイプのＵＥの総計のサービスボリュームがしきい値Ｔ２より多いか若しくはしきい値Ｔ２に等しいことを判定し、そして、前記第１のキャリア上にＮＣＴサブフレーム及び後方互換サブフレームの両方を設定するステップを含む、請求項３に記載の方法。
【請求項５】
動的なシグナリングを使用することにより第１のユーザ装置ＵＥに前記第１のキャリアの前記サブフレーム設定情報を送信する前記ステップのまえに、
準静的なシグナリングを前記第１のＵＥに送信するステップであって、前記準静的なシグナリングが、前記動的なシグナリングを受信するように前記第１のＵＥに指示するために使用される、ステップを更に含む、請求項１から請求項４のいずれか一項に記載の方法。
【請求項６】
準静的なシグナリングを前記第１のＵＥに送信する前記ステップが、
マスタ情報ブロックＭＩＢ又はシステム情報ブロックＳＩＢを使用することにより前記準静的なシグナリングを搬送し、前記準静的なシグナリングを前記ＭＩＢ又は前記ＳＩＢを使用することにより送信するステップ、又は、
前記準静的なシグナリングをユニキャスト方法で送信するステップを含む、請求項５に記載の方法。
【請求項７】
動的なシグナリングを使用することにより第１のユーザ装置ＵＥに前記第１のキャリアの前記サブフレーム設定情報を送信する前記ステップが、
物理レイヤシグナリングを使用することにより前記動的なシグナリングを送信するステップであって、前記物理レイヤシグナリングが第１の物理レイヤチャネルを通して送信される、ステップを含む、請求項１から請求項６のいずれか一項に記載の方法。
【請求項８】
物理レイヤシグナリングを使用することにより前記動的なシグナリングを送信する前記ステップのまえに、
前記第１の物理レイヤチャネルを判定するステップであって、前記第１の物理レイヤチャネルが物理制御フォーマットインジケータチャネルＰＣＦＩＣＨの時間−周波数リソースと同じ時間−周波数リソースを使用する、ステップを更に含む、請求項７に記載の方法。
【請求項９】
当該方法が、
セル共通参照信号を前記送信期間内に第１のサブフレームにおいて伝送するステップであって、前記第１のサブフレームにおいて搬送される前記セル共通参照信号が第１の物理レイヤチャネルを復調するために前記第１のＵＥにより使用され、前記第１のサブフレームが前記動的なシグナリングを搬送する、ステップを更に含む、請求項２に記載の方法。
【請求項１０】
前記第１のキャリアの前記サブフレーム設定情報が１ビットであり、
前記サブフレーム設定情報が、下記の、
現在の送信期間における全てのサブフレームがＮＣＴサブフレームである、及び、
前記現在の送信期間における全てのサブフレームが後方互換サブフレームである、
というサブフレーム設定例のうちの１つを示すために使用される、請求項１から請求項９のいずれか一項に記載の方法。
【請求項１１】
前記第１のキャリアの前記サブフレーム設定情報が２ビットであり、
前記サブフレーム設定情報が、下記の、
現在の送信期間における全てのサブフレームがＮＣＴサブフレームである、
前記現在の送信期間における全てのサブフレームが後方互換サブフレームである、
前記現在の送信期間において、セル共通参照信号を伝送するために使用されるサブフレームが前記後方互換サブフレームであり、前記セル共通参照信号を伝送するために使用される前記サブフレームを除くほかのサブフレームが前記ＮＣＴサブフレームである、及び、
前記現在の送信期間におけるサブフレームがＲＲＣシグナリングを使用することにより設定されるサブフレームである、
というサブフレーム設定例のうちの１つを示すために使用される、請求項１から請求項９のいずれか一項に記載の方法。
【請求項１２】
キャリア設定方法であって、
基地局により送信される動的なシグナリングを受信するステップであって、前記動的なシグナリングが第１のキャリアのサブフレーム設定情報を搬送し、前記第１のキャリアの前記サブフレーム設定情報が前記第１のキャリア上のＮＣＴサブフレームの設定及び／又は後方互換サブフレームの前記設定を示すために使用される、ステップと、
前記動的なシグナリングにおける前記サブフレーム設定情報に従って、前記第１のキャリア上のサブフレームのサブフレームタイプを判定し、ここで、前記第１のキャリア上の前記サブフレームの前記サブフレームタイプがＮＣＴサブフレーム及び／又は後方互換サブフレームを含み、そして、前記第１のキャリア上の前記サブフレームの前記サブフレームタイプに従って前記第１のキャリアを使用して通信を実行するステップとを含む、方法。
【請求項１３】
基地局により送信される動的なシグナリングを受信する前記ステップが、
前記基地局により送信される前記動的なシグナリングを、設定された送信期間に従って定期的に受信するステップを含む、請求項１２に記載の方法。
【請求項１４】
基地局により送信される動的なシグナリングを受信する前記ステップのまえに、
前記基地局により送信される準静的なシグナリングを受信し、前記準静的なシグナリングに従って前記動的なシグナリングを受信することを判定するステップを更に含む、請求項１２又は請求項１３に記載の方法。
【請求項１５】
基地局により送信される動的なシグナリングを受信する前記ステップが、
前記基地局により送信される前記動的なシグナリングを、第１の物理レイヤチャネルを通して受信するステップであって、前記動的なシグナリングが物理レイヤシグナリングを使用することによって前記基地局により送信される、ステップを含む、請求項１２から請求項１４のいずれか一項に記載の方法。
【請求項１６】
前記第１の物理レイヤチャネルが、物理制御フォーマットインジケータチャネルＰＣＦＩＣＨの時間−周波数リソースと同じ時間−周波数リソースを使用する、請求項１５に記載の方法。
【請求項１７】
基地局により送信される動的なシグナリングを受信する前記ステップのまえに、
前記送信期間における第１のサブフレームを判定し、前記第１のサブフレームからセル共通参照信号を獲得し、前記セル共通参照信号に従って第１の物理レイヤチャネルを復調するステップであって、前記第１のサブフレームが前記第１のキャリアの各送信期間におけるサブフレームであり、前記セル共通参照信号が前記第１のサブフレームにおいて伝送される、ステップを含む、請求項１３に記載の方法。
【請求項１８】
前記第１のキャリアの前記サブフレーム設定情報が１ビットであり、
前記サブフレーム設定情報が、下記の、
現在の送信期間における全てのサブフレームがＮＣＴサブフレームである、及び、
前記現在の送信期間における全てのサブフレームが後方互換サブフレームである、
というサブフレーム設定例のうちの１つを示すために使用される、請求項１２から請求項１７のいずれか一項に記載の方法。
【請求項１９】
前記第１のキャリアの前記サブフレーム設定情報が２ビットであり、
前記サブフレーム設定情報が、下記の、
現在の送信期間における全てのサブフレームがＮＣＴサブフレームである、
前記現在の送信期間における全てのサブフレームが後方互換サブフレームである、
前記現在の送信期間において、セル共通参照信号を伝送するために使用されるサブフレームが前記後方互換サブフレームであり、前記セル共通参照信号を伝送するために使用される前記サブフレームを除くほかのサブフレームが前記ＮＣＴサブフレームである、及び、
前記現在の送信期間におけるサブフレームがＲＲＣシグナリングを使用することにより設定されるサブフレームである、
というサブフレーム設定例のうちの１つを示すために使用される、請求項１２から請求項１７のいずれか一項に記載の方法。
【請求項２０】
基地局であって、
第１のキャリア上にニューキャリアタイプＮＣＴサブフレーム及び／又は後方互換サブフレームを設定し、前記第１のキャリア上の前記ＮＣＴサブフレームの前記設定及び／又は前記後方互換サブフレームの前記設定に従って、前記第１のキャリアのサブフレーム設定情報を判定するように構成される設定モジュールと、
動的なシグナリングを使用することにより、第１のユーザ装置ＵＥに、前記設定モジュールにより判定される前記第１のキャリアの前記サブフレーム設定情報を送信し、ここで、前記第１のキャリアの前記サブフレーム設定情報が前記第１のキャリアの前記サブフレーム設定情報に従って前記第１のキャリア上のサブフレームのサブフレームタイプを判定するために前記第１のＵＥにより使用され、前記第１のキャリア上の前記サブフレームの前記サブフレームタイプがＮＣＴサブフレーム及び／又は後方互換サブフレームを含み、そして、前記第１のキャリア上の前記サブフレームの前記サブフレームタイプに従って前記第１のキャリアを使用して通信を実行するように構成される送信モジュールとを備える、基地局。
【請求項２１】
前記送信モジュールが、
設定された送信期間に従って前記動的なシグナリングを前記第１のＵＥに定期的に送信し、前記動的なシグナリングが前記第１のキャリアの前記サブフレーム設定情報を搬送する、ように具体的に構成される、請求項２０に記載の基地局。
【請求項２２】
当該基地局が、
前記第１のキャリア内に存在する、少なくとも１つの第２のＵＥのサービスボリューム及び前記少なくとも１つの第２のＵＥによりサポートされるサブフレームタイプを判定するように構成される判定モジュールを更に備え、
前記設定モジュールが、
前記判定モジュールにより判定される、前記第２のＵＥの前記サービスボリューム及び前記第２のＵＥによりサポートされる前記サブフレームタイプに従って、前記第１のキャリア上に前記ＮＣＴサブフレーム及び／又は前記後方互換サブフレームを設定するように構成される、請求項２０又は請求項２１に記載の基地局。
【請求項２３】
前記設定モジュールが、
前記第１のキャリアによりサービスされる第１のタイプのＵＥの総計のサービスボリュームがしきい値Ｔ１より少ないことを判定し、そして、前記第１のキャリア上の全てのサブフレームをＮＣＴサブフレームとして設定し、前記第１のタイプのＵＥが後方互換サブフレームをサポートするＵＥである、又は、
前記第１のキャリアによりサービスされる第２のタイプのＵＥの総計のサービスボリュームがしきい値Ｔ２より少ないことを判定し、前記第１のキャリアによりサービスされる第１のタイプのＵＥのサービスボリュームがしきい値Ｔ１より多いことを判定し、そして、前記第１のキャリア上の全てのサブフレームを後方互換サブフレームとして設定し、前記第２のタイプのＵＥがＮＣＴサブフレームをサポートするＵＥである、又は、
前記第１のキャリアによりサービスされる前記第１のタイプのＵＥの総計のサービスボリュームがしきい値Ｔ１より多いか若しくはしきい値Ｔ１に等しいことを判定し、前記第１のキャリアによりサービスされる前記第２のタイプのＵＥの総計のサービスボリュームがしきい値Ｔ２より多いか若しくはしきい値Ｔ２に等しいことを判定し、そして、前記第１のキャリア上にＮＣＴサブフレーム及び後方互換サブフレームの両方を設定する、ように具体的に構成される、請求項２２に記載の基地局。
【請求項２４】
前記送信モジュールが、前記動的なシグナリングを前記第１のＵＥに送信するまえに、準静的なシグナリングを前記第１のＵＥに送信し、前記準静的なシグナリングが前記動的なシグナリングを受信するように前記第１のＵＥに指示するために使用される、ように更に構成される、請求項２０から請求項２３のいずれか一項に記載の基地局。
【請求項２５】
前記送信モジュールが、
マスタ情報ブロックＭＩＢ又はシステム情報ブロックＳＩＢに前記準静的なシグナリングを追加し、前記準静的なシグナリングを前記ＭＩＢ又は前記ＳＩＢを使用することにより送信する、又は、
前記準静的なシグナリングをユニキャスト形式で送信する、ように具体的に構成される、請求項２４に記載の基地局。
【請求項２６】
前記送信モジュールが、物理レイヤシグナリングを使用することにより前記動的なシグナリングを送信し、前記物理レイヤシグナリングが第１の物理レイヤチャネルを通して送信される、ように具体的に構成される、請求項２０から請求項２５のいずれか一項に記載の基地局。
【請求項２７】
前記判定モジュールが、前記第１の物理レイヤチャネルを判定し、前記第１の物理レイヤチャネルが物理制御フォーマットインジケータチャネルＰＣＦＩＣＨの時間−周波数リソースと同じ時間−周波数リソースを使用する、ように更に構成される、請求項２６に記載の基地局。
【請求項２８】
前記設定モジュールが、セル共通参照信号を前記送信期間内に第１のサブフレームにおいて伝送し、前記第１のサブフレームにおいて搬送される前記セル共通参照信号が第１の物理レイヤチャネルを復調するために前記第１のＵＥにより使用され、前記第１のサブフレームが前記動的なシグナリングを搬送する、ように更に構成される、請求項２１に記載の基地局。
【請求項２９】
前記設定モジュールにより設定される前記第１のキャリアの前記サブフレーム設定情報が１ビットであり、
前記サブフレーム設定情報が、下記の、
現在の送信期間における全てのサブフレームがＮＣＴサブフレームである、及び、
前記現在の送信期間における全てのサブフレームが後方互換サブフレームである、
というサブフレーム設定例のうちの１つを示すために使用される、請求項２０から請求項２８のいずれか一項に記載の基地局。
【請求項３０】
前記設定モジュールにより設定される前記第１のキャリアの前記サブフレーム設定情報が２ビットであり、
前記サブフレーム設定情報が、下記の、
現在の送信期間における全てのサブフレームがＮＣＴサブフレームである、
前記現在の送信期間における全てのサブフレームが後方互換サブフレームである、
前記現在の送信期間において、セル共通参照信号を伝送するために使用されるサブフレームが前記後方互換サブフレームであり、前記セル共通参照信号を伝送するために使用される前記サブフレームを除くほかのサブフレームが前記ＮＣＴサブフレームである、及び、
前記現在の送信期間におけるサブフレームがＲＲＣシグナリングを使用することにより設定されるサブフレームである、
というサブフレーム設定例のうちの１つを示すために使用される、請求項２０から請求項２８のいずれか一項に記載の基地局。
【請求項３１】
ユーザ装置ＵＥであって、
基地局により送信される動的なシグナリングを受信し、前記動的なシグナリングが第１のキャリアのサブフレーム設定情報を搬送し、前記第１のキャリアの前記サブフレーム設定情報が前記第１のキャリア上のＮＣＴサブフレームの設定及び／又は後方互換サブフレームの前記設定を示すために使用される、ように構成される受信モジュールと、
前記受信モジュールにより受信される前記動的なシグナリングにおける前記サブフレーム設定情報に従って前記第１のキャリア上のサブフレームのサブフレームタイプを判定し、前記第１のキャリア上の前記サブフレームの前記サブフレームタイプがＮＣＴサブフレーム及び／又は後方互換サブフレームを含む、ように構成される判定モジュールと、
前記第１のキャリア上の前記サブフレームのサブフレームタイプであり前記判定モジュールにより判定される前記サブフレームタイプに従って前記第１のキャリアを使用して通信を実行するように構成される通信モジュールとを備える、ユーザ装置。
【請求項３２】
前記受信モジュールが、前記基地局により送信される前記動的なシグナリングを、設定された送信期間に従って定期的に受信するように具体的に構成される、請求項３１に記載のユーザ装置。
【請求項３３】
前記受信モジュールが、前記基地局により送信される前記動的なシグナリングを受信するまえに、前記基地局により送信される準静的なシグナリングを受信し、前記準静的なシグナリングに従って前記動的なシグナリングを受信することを判定するように更に構成される、請求項３１又は請求項３２に記載のユーザ装置。
【請求項３４】
前記受信モジュールが、前記基地局により送信される前記動的なシグナリングを、第１の物理レイヤチャネルを通して受信し、前記動的なシグナリングが物理レイヤシグナリングを使用することによって前記基地局により送信され、前記第１の物理レイヤチャネルが物理制御フォーマットインジケータチャネルＰＣＦＩＣＨの時間−周波数リソースと同じ時間−周波数リソースを使用する、ように具体的に構成される、請求項３１から請求項３３のいずれか一項に記載のユーザ装置。
【請求項３５】
前記判定モジュールが、前記送信期間における第１のサブフレームを判定し、前記第１のサブフレームからセル共通参照信号を獲得し、前記セル共通参照信号に従って第１の物理レイヤチャネルを復調し、前記第１のサブフレームが前記第１のキャリアの各送信期間内の予め定義された位置におけるサブフレームであり、前記セル共通参照信号が前記第１のサブフレームにおいて伝送される、ように更に構成される、請求項３１に記載のユーザ装置。
【請求項３６】
前記受信モジュールにより受信される前記第１のキャリアの前記サブフレーム設定情報が１ビットであり、
前記サブフレーム設定情報が、下記の、
現在の送信期間における全てのサブフレームがＮＣＴサブフレームである、及び、
前記現在の送信期間における全てのサブフレームが後方互換サブフレームである、
というサブフレーム設定例のうちの１つを示すために使用される、請求項３１から請求項３５のいずれか一項に記載のユーザ装置。
【請求項３７】
前記受信モジュールにより受信される前記第１のキャリアの前記サブフレーム設定情報が２ビットであり、
前記サブフレーム設定情報が、下記の、
現在の送信期間における全てのサブフレームがＮＣＴサブフレームである、
前記現在の送信期間における全てのサブフレームが後方互換サブフレームである、
前記現在の送信期間において、セル共通参照信号を伝送するために使用されるサブフレームが前記後方互換サブフレームであり、前記セル共通参照信号を伝送するために使用される前記サブフレームを除くほかのサブフレームが前記ＮＣＴサブフレームである、及び、
前記現在の送信期間におけるサブフレームがＲＲＣシグナリングを使用することにより設定されるサブフレームである、
というサブフレーム設定例のうちの１つを示すために使用される、請求項３１から請求項３５のいずれか一項に記載のユーザ装置。
【請求項３８】
基地局であって、
第１のキャリア上にニューキャリアタイプＮＣＴサブフレーム及び／又は後方互換サブフレームを設定し、前記第１のキャリア上の前記ＮＣＴサブフレームの前記設定及び／又は前記後方互換サブフレームの前記設定に従って、前記第１のキャリアのサブフレーム設定情報を判定するように構成されるプロセッサと、
動的なシグナリングを使用することにより、第１のユーザ装置ＵＥに、前記プロセッサにより判定される前記第１のキャリアの前記サブフレーム設定情報を送信し、ここで、前記第１のキャリアの前記サブフレーム設定情報が前記第１のキャリアの前記サブフレーム設定情報に従って前記第１のキャリア上のサブフレームのサブフレームタイプを判定するために前記第１のＵＥにより使用され、前記第１のキャリア上の前記サブフレームの前記サブフレームタイプがＮＣＴサブフレーム及び／又は後方互換サブフレームを含み、そして、前記第１のキャリア上の前記サブフレームの前記サブフレームタイプに従って前記第１のキャリアを使用して通信を実行するように構成される送信機とを備える、基地局。
【請求項３９】
ユーザ装置ＵＥであって、
基地局により送信される動的なシグナリングを受信し、前記動的なシグナリングが第１のキャリアのサブフレーム設定情報を搬送し、前記第１のキャリアの前記サブフレーム設定情報が前記第１のキャリア上のＮＣＴサブフレームの設定及び／又は後方互換サブフレームの前記設定を示すために使用される、ように構成される受信機と、
前記受信機により受信される前記動的なシグナリングにおける前記サブフレーム設定情報に従って前記第１のキャリア上のサブフレームのサブフレームタイプを判定し、ここで、前記第１のキャリア上の前記サブフレームの前記サブフレームタイプがＮＣＴサブフレーム及び／又は後方互換サブフレームを含み、そして、前記第１のキャリア上の前記サブフレームの前記サブフレームタイプに従って前記第１のキャリアを使用して通信を実行するように構成されるプロセッサとを備える、ユーザ装置。
【発明の詳細な説明】
【技術分野】
【０００１】
本発明は、通信分野に関し、特に、キャリア設定方法、基地局、及びユーザ装置に関する。
【背景技術】
【０００２】
ＬＴＥ（Ｌｏｎｇ  Ｔｅｒｍ  Ｅｖｏｌｕｔｉｏｎ、ロングタームエボリューション）システムのリリース８〜１１では、ＰＤＣＣＨ（Ｐｈｙｓｉｃａｌ  Ｄｏｗｎｌｉｎｋ  Ｃｏｎｔｒｏｌ  Ｃｈａｎｎｅｌ、物理ダウンリンク制御チャネル）が少なくとも１つのキャリアにおいて送信される必要があり、ここで、ＰＤＣＣＨは、主としてアップリンク及びダウンリンクデータ伝送をスケジュールするために使用される。ＣＲＳ（Ｃｅｌｌ−ｓｐｅｃｉｆｉｃ  Ｒｅｆｅｒｅｎｃｅ  Ｓｉｇｎａｌ、セル固有参照信号）は前述のキャリアで送信されることができ、ＣＲＳは、少なくとも伝送制御情報の時間−周波数リソースエリアの中のサブフレームにおいて伝送されることができ、そして、ＣＲＳは、全体の帯域幅における伝送制御情報の時間−周波数リソースエリアにおいて伝送されることができる。さらに、ＣＲＳは、伝送データ情報の時間−周波数リソースエリアにおける非ＭＢＳＦＮ（Ｍｕｌｔｉｍｅｄｉａ  Ｂｒｏａｄｃａｓｔ  ｍｕｌｔｉｃａｓｔ  ｓｅｒｖｉｃｅ  Ｓｉｎｇｌｅ  Ｆｒｅｑｕｅｎｃｙ  Ｎｅｔｗｏｒｋ、マルチメディアブロードキャストマルチキャストサービス単一周波数ネットワーク）サブフレームにおいて伝送されることができ、そして、ＣＲＳは、同様に、全体の帯域幅における伝送データ情報の時間−周波数リソースエリアにおいて伝送されることができる。ＣＲＳは、ＲＲＭ（Ｒａｄｉｏ  Ｒｅｓｏｕｒｃｅ  ｍａｎａｇｅｍｅｎｔ、無線リソース管理）及びＣＳＩ（Ｃｈａｎｎｅｌ  Ｓｔａｔｅ  Ｉｎｆｏｒｍａｔｉｏｎ、チャネル状態情報）の測定を実行するとともに、基地局との時間及び周波数同期化を実行するように、制御チャネル及びデータチャネル復調するためにＵＥにより使用され得る。
【０００３】
ＣＡ（Ｃａｒｒｉｅｒ  Ａｇｇｒｅｇａｔｉｏｎ、キャリアアグリゲーション）技術は、ＬＴＥ−Ａリリース１０において導入される。キャリアアグリゲーション能力をサポートするＵＥ（Ｕｓｅｒ  Ｅｑｕｉｐｍｅｎｔ、ユーザ装置）のために、基地局は、ＵＥに対して複数のキャリアを設定することができるとともに、複数のキャリアは、１つのアンカーキャリア及び複数の補助キャリアを含むことができ、その結果、ＵＥは、複数のキャリアを同時に使用して、アップリンク通信、及びダウンリンク通信を実行し、それにより、高速データ伝送をサポートする。
【０００４】
ＬＴＥリリース１２及びそのあとのリリースでは、新しいキャリアタイプ、すなわちＮＣＴ（Ｎｅｗ  Ｃａｒｒｉｅｒ  Ｔｙｐｅ、ニューキャリアタイプ）が提案される。ＮＣＴキャリアは、非後方互換キャリアであるかもしれず、ＮＣＴキャリア上のサブフレームにおけるＣＲＳのようなセル固有参照信号の伝送は、キャリア性能を向上させるために、削除又は削減されることができ、例えば、スペクトル効率が改善されることができ、異種ネットワークサポートが改善されることができ、そして省エネルギーが達成される。ＣＲＳのようなセル固有参照信号の伝送が削減される場合に、ＣＲＳのようないくつかの予約済みのセル固有参照信号の伝送は、主として、時間及び周波数の追跡処理及び参照を実行するために、ＵＥにより使用される。このニューキャリアタイプは、例えばＬＴＥリリース１２のＵＥ、及びＬＴＥリリース１２よりあとのリリースのＵＥにより使用され得る。
【０００５】
ＮＣＴキャリアが後方互換性を有していないので、ＬＴＥリリース１２よりまえのリリースのＵＥは、ＮＣＴキャリアを使用することができない。ＬＴＥリリース１２よりまえのリリースのＵＥは、古いリリースのＵＥと呼ばれる。古いリリースのＵＥは、ＮＣＴキャリアを認識することができず、そしてＮＣＴキャリアを使用することにより通信を実行することをサポートしないＵＥである。古いリリースのＵＥが存在するセルにおいて古いリリースのＵＥが普通に通信することを保証するために、オペレータは、ＮＣＴキャリアを配置することができないとともに、ＮＣＴの導入に起因するキャリア性能の向上を獲得することができず、それは、セルにおける比較的低いキャリアリソースの利用をもたらす。
【発明の概要】
【０００６】
本発明の実施例は、古いリリースのＵＥが存在するセルにおいて、オペレータがＮＣＴキャリアを配置することができないとともに、ＮＣＴの導入に起因するキャリア性能の向上を獲得することができず、それがセルにおける比較的低いキャリアリソースの利用をもたらす、従来技術における問題を解決することができる、キャリア設定方法、基地局、及びユーザ装置を提供する。
【０００７】
前述の目的を達成するために、下記の技術的解決法が本発明の実施例において使用される。
【０００８】
第１の態様によれば、本発明の実施例は、キャリア設定方法を提供し、当該方法は、第１のキャリア上にニューキャリアタイプＮＣＴサブフレーム及び／又は後方互換サブフレームを設定し、前記第１のキャリア上の前記ＮＣＴサブフレームの前記設定及び／又は前記後方互換サブフレームの前記設定に従って、前記第１のキャリアのサブフレーム設定情報を判定するステップと、動的なシグナリングを使用することにより第１のユーザ装置ＵＥに前記第１のキャリアの前記サブフレーム設定情報を送信し、ここで、前記第１のキャリアの前記サブフレーム設定情報が前記第１のキャリアの前記サブフレーム設定情報に従って前記第１のキャリア上のサブフレームのサブフレームタイプを判定するために前記第１のＵＥにより使用され、前記第１のキャリア上の前記サブフレームの前記サブフレームタイプがＮＣＴサブフレーム及び／又は後方互換サブフレームを含み、そして、前記第１のキャリア上の前記サブフレームの前記サブフレームタイプに従って前記第１のキャリアを使用して通信を実行するステップとを含む。
【０００９】
第１の態様に関連して、第１の可能な実施方法において、動的なシグナリングを使用することにより第１のユーザ装置ＵＥに前記第１のキャリアの前記サブフレーム設定情報を送信する前記ステップは、設定された送信期間に従って前記動的なシグナリングを前記第１のＵＥに定期的に送信するステップであって、前記動的なシグナリングが前記第１のキャリアの前記サブフレーム設定情報を搬送する、ステップを含む。
【００１０】
第１の態様、又は第１の態様の第１の可能な実施方法に関連して、第２の可能な実施方法において、当該方法は、前記第１のキャリア内に存在する、少なくとも１つの第２のＵＥのサービスボリューム及び前記少なくとも１つの第２のＵＥによりサポートされるサブフレームタイプを判定するステップを更に含み、第１のキャリア上にＮＣＴサブフレーム及び／又は後方互換サブフレームを設定する前記ステップは、前記第２のＵＥの前記サービスボリューム及び前記第２のＵＥによりサポートされる前記サブフレームタイプに従って、前記第１のキャリア上に前記ＮＣＴサブフレーム及び／又は前記後方互換サブフレームを設定するステップを含む。
【００１１】
第１の態様の第２の可能な実施方法に関連して、第３の可能な実施方法において、前記第２のＵＥの前記サービスボリューム及び前記第２のＵＥによりサポートされる前記サブフレームタイプに従って、前記第１のキャリア上に前記ＮＣＴサブフレーム及び前記後方互換サブフレームを設定する前記ステップは、前記第１のキャリアによりサービスされる第１のタイプのＵＥの総計のサービスボリュームがしきい値Ｔ１より少ないことを判定し、そして、前記第１のキャリア上の全てのサブフレームをＮＣＴサブフレームとして設定するステップであって、前記第１のタイプのＵＥが後方互換サブフレームをサポートするＵＥである、ステップ、又は、前記第１のキャリアによりサービスされる第２のタイプのＵＥの総計のサービスボリュームがしきい値Ｔ２より少ないことを判定し、前記第１のキャリアによりサービスされる第１のタイプのＵＥのサービスボリュームがしきい値Ｔ１より多いことを判定し、そして、前記第１のキャリア上の全てのサブフレームを後方互換サブフレームとして設定するステップであって、前記第２のタイプのＵＥがＮＣＴサブフレームをサポートするＵＥである、ステップ、又は、前記第１のキャリアによりサービスされる前記第１のタイプのＵＥの総計のサービスボリュームがしきい値Ｔ１より多いか若しくはしきい値Ｔ１に等しいことを判定し、前記第１のキャリアによりサービスされる前記第２のタイプのＵＥの総計のサービスボリュームがしきい値Ｔ２より多いか若しくはしきい値Ｔ２に等しいことを判定し、そして、前記第１のキャリア上にＮＣＴサブフレーム及び後方互換サブフレームの両方を設定するステップを含む。
【００１２】
第１の態様、又は第１の態様の第１の可能な実施方法から第３の可能な実施方法のうちのいずれかの可能な実施方法に関連して、第４の可能な実施方法において、動的なシグナリングを使用することにより第１のユーザ装置ＵＥに前記第１のキャリアの前記サブフレーム設定情報を送信する前記ステップのまえに、当該方法は、準静的なシグナリングを前記第１のＵＥに送信するステップであって、前記準静的なシグナリングが、前記動的なシグナリングを受信するように前記第１のＵＥに指示するために使用される、ステップを更に含む。
【００１３】
第１の態様の第４の可能な実施方法に関連して、第５の可能な実施方法において、準静的なシグナリングを前記第１のＵＥに送信する前記ステップは、マスタ情報ブロックＭＩＢ又はシステム情報ブロックＳＩＢに前記準静的なシグナリングを追加し、前記準静的なシグナリングを前記ＭＩＢ又は前記ＳＩＢを使用することにより送信するステップ、又は、前記準静的なシグナリングをユニキャスト形式で送信するステップを含む。
【００１４】
第１の態様、又は第１の態様の第１の可能な実施方法から第５の可能な実施方法のうちのいずれかの可能な実施方法に関連して、第６の可能な実施方法において、動的なシグナリングを使用することにより第１のユーザ装置ＵＥに前記第１のキャリアの前記サブフレーム設定情報を送信する前記ステップは、物理レイヤシグナリングを使用することにより前記動的なシグナリングを送信するステップであって、前記物理レイヤシグナリングが第１の物理レイヤチャネルを通して送信される、ステップを含む。
【００１５】
第１の態様の第６の可能な実施方法に関連して、第７の可能な実施方法において、物理レイヤシグナリングを使用することにより前記動的なシグナリングを送信する前記ステップのまえに、当該方法は、前記第１の物理レイヤチャネルを判定するステップであって、前記第１の物理レイヤチャネルが物理制御フォーマットインジケータチャネルＰＣＦＩＣＨの時間−周波数リソースと同じ時間−周波数リソースを使用する、ステップを更に含む。
【００１６】
第１の態様の第１の可能な実施方法に関連して、第８の可能な実施方法において、当該方法は、セル共通参照信号を前記送信期間内に第１のサブフレームにおいて伝送するステップであって、前記第１のサブフレームにおいて搬送される前記セル共通参照信号が第１の物理レイヤチャネルを復調するために前記第１のＵＥにより使用され、前記第１のサブフレームが前記動的なシグナリングを搬送する、ステップを更に含む。
【００１７】
第１の態様、又は第１の態様の第１の可能な実施方法から第８の可能な実施方法のうちのいずれかの可能な実施方法に関連して、第９の可能な実施方法において、前記第１のキャリアの前記サブフレーム設定情報は１ビットであり、前記サブフレーム設定情報は、下記の、現在の送信期間における全てのサブフレームがＮＣＴサブフレームである、及び、前記現在の送信期間における全てのサブフレームが後方互換サブフレームである、というサブフレーム設定例のうちの１つを示すために使用される。
【００１８】
第１の態様、又は第１の態様の第１の可能な実施方法から第８の可能な実施方法のうちのいずれかの可能な実施方法に関連して、第１０の可能な実施方法において、前記第１のキャリアの前記サブフレーム設定情報は２ビットであり、前記サブフレーム設定情報は、下記の、現在の送信期間における全てのサブフレームがＮＣＴサブフレームである、前記現在の送信期間における全てのサブフレームが後方互換サブフレームである、前記現在の送信期間において、セル共通参照信号を伝送するために使用されるサブフレームが前記後方互換サブフレームであり、前記セル共通参照信号を伝送するために使用される前記サブフレームを除くほかのサブフレームが前記ＮＣＴサブフレームである、及び、前記現在の送信期間におけるサブフレームがＲＲＣシグナリングを使用することにより設定されるサブフレームである、というサブフレーム設定例のうちの１つを示すために使用される。
【００１９】
第２の態様によれば、本発明の実施例は、キャリア設定方法を提供し、当該方法は、基地局により送信される動的なシグナリングを受信するステップであって、前記動的なシグナリングが第１のキャリアのサブフレーム設定情報を搬送し、前記第１のキャリアの前記サブフレーム設定情報が前記第１のキャリア上のＮＣＴサブフレームの設定及び／又は後方互換サブフレームの前記設定を示すために使用される、ステップと、前記動的なシグナリングにおける前記サブフレーム設定情報に従って、前記第１のキャリア上のサブフレームのサブフレームタイプを判定し、ここで、前記第１のキャリア上の前記サブフレームの前記サブフレームタイプがＮＣＴサブフレーム及び／又は後方互換サブフレームを含み、そして、前記第１のキャリア上の前記サブフレームの前記サブフレームタイプに従って前記第１のキャリアを使用して通信を実行するステップとを含む。
【００２０】
第２の態様に関連して、第１の可能な実施方法において、基地局により送信される動的なシグナリングを受信する前記ステップは、前記基地局により送信される前記動的なシグナリングを、設定された送信期間に従って定期的に受信するステップを含む。
【００２１】
第２の態様、又は第２の態様の第１の可能な実施方法に関連して、第２の可能な実施方法において、基地局により送信される動的なシグナリングを受信する前記ステップのまえに、当該方法は、前記基地局により送信される準静的なシグナリングを受信し、前記準静的なシグナリングに従って前記動的なシグナリングを受信することを判定するステップを更に含む。
【００２２】
第２の態様、第２の態様の第１の可能な実施方法、又は第２の態様の第２の可能な実施方法に関連して、第３の可能な実施方法において、基地局により送信される動的なシグナリングを受信する前記ステップは、前記基地局により送信される前記動的なシグナリングを、第１の物理レイヤチャネルを通して受信するステップであって、前記動的なシグナリングが物理レイヤシグナリングを使用することによって前記基地局により送信される、ステップを含む。
【００２３】
第２の態様の第３の可能な実施方法に関連して、第４の可能な実施方法において、前記第１の物理レイヤチャネルは、物理制御フォーマットインジケータチャネルＰＣＦＩＣＨの時間−周波数リソースと同じ時間−周波数リソースを使用する。
【００２４】
第２の態様の第１の可能な実施方法に関連して、第５の可能な実施方法において、基地局により送信される動的なシグナリングを受信する前記ステップのまえに、当該方法は、前記送信期間における第１のサブフレームを判定し、前記第１のサブフレームからセル共通参照信号を獲得し、前記セル共通参照信号に従って第１の物理レイヤチャネルを復調するステップであって、前記第１のサブフレームが前記第１のキャリアの各送信期間内の予め定義された位置におけるサブフレームであり、前記セル共通参照信号が前記第１のサブフレームにおいて伝送される、ステップを含む。
【００２５】
第２の態様、又は第２の態様の第１の可能な実施方法から第５の可能な実施方法のうちのいずれかの可能な実施方法に関連して、第６の可能な実施方法において、前記第１のキャリアの前記サブフレーム設定情報は１ビットであり、前記サブフレーム設定情報は、下記の、現在の送信期間における全てのサブフレームがＮＣＴサブフレームである、及び、前記現在の送信期間における全てのサブフレームが後方互換サブフレームである、というサブフレーム設定例のうちの１つを示すために使用される。
【００２６】
第２の態様、又は第２の態様の第１の可能な実施方法から第５の可能な実施方法のうちのいずれかの可能な実施方法に関連して、第７の可能な実施方法において、前記第１のキャリアの前記サブフレーム設定情報は２ビットであり、前記サブフレーム設定情報は、下記の、現在の送信期間における全てのサブフレームがＮＣＴサブフレームである、前記現在の送信期間における全てのサブフレームが後方互換サブフレームである、前記現在の送信期間において、セル共通参照信号を伝送するために使用されるサブフレームが前記後方互換サブフレームであり、前記セル共通参照信号を伝送するために使用される前記サブフレームを除くほかのサブフレームが前記ＮＣＴサブフレームである、及び、前記現在の送信期間におけるサブフレームがＲＲＣシグナリングを使用することにより設定されるサブフレームである、というサブフレーム設定例のうちの１つを示すために使用される。
【００２７】
第３の態様によれば、本発明の実施例は、基地局を提供し、当該基地局は、第１のキャリア上にニューキャリアタイプＮＣＴサブフレーム及び／又は後方互換サブフレームを設定し、前記第１のキャリア上の前記ＮＣＴサブフレームの前記設定及び／又は前記後方互換サブフレームの前記設定に従って、前記第１のキャリアのサブフレーム設定情報を判定するように構成される設定モジュールと、動的なシグナリングを使用することにより、第１のユーザ装置ＵＥに、前記設定モジュールにより判定される前記第１のキャリアの前記サブフレーム設定情報を送信し、ここで、前記第１のキャリアの前記サブフレーム設定情報が前記第１のキャリアの前記サブフレーム設定情報に従って前記第１のキャリア上のサブフレームのサブフレームタイプを判定するために前記第１のＵＥにより使用され、前記第１のキャリア上の前記サブフレームの前記サブフレームタイプがＮＣＴサブフレーム及び／又は後方互換サブフレームを含み、そして、前記第１のキャリア上の前記サブフレームの前記サブフレームタイプに従って前記第１のキャリアを使用して通信を実行するように構成される送信モジュールとを含む。
【００２８】
第３の態様に関連して、第１の可能な実施方法において、前記送信モジュールは、設定された送信期間に従って前記動的なシグナリングを前記第１のＵＥに定期的に送信し、前記動的なシグナリングが前記第１のキャリアの前記サブフレーム設定情報を搬送する、ように具体的に構成される。
【００２９】
第３の態様、又は第３の態様の第１の可能な実施方法に関連して、第２の可能な実施方法において、当該基地局は、前記第１のキャリア内に存在する、少なくとも１つの第２のＵＥのサービスボリューム及び前記少なくとも１つの第２のＵＥによりサポートされるサブフレームタイプを判定するように構成される判定モジュールを更に含み、前記設定モジュールは、前記判定モジュールにより判定される、前記第２のＵＥの前記サービスボリューム及び前記第２のＵＥによりサポートされる前記サブフレームタイプに従って、前記第１のキャリア上に前記ＮＣＴサブフレーム及び／又は前記後方互換サブフレームを設定するように構成される。
【００３０】
第３の態様の第２の可能な実施方法に関連して、第３の可能な実施方法において、前記設定モジュールは、前記第１のキャリアによりサービスされる第１のタイプのＵＥの総計のサービスボリュームがしきい値Ｔ１より少ないことを判定し、そして、前記第１のキャリア上の全てのサブフレームをＮＣＴサブフレームとして設定し、前記第１のタイプのＵＥが後方互換サブフレームをサポートするＵＥである、又は、前記第１のキャリアによりサービスされる第２のタイプのＵＥの総計のサービスボリュームがしきい値Ｔ２より少ないことを判定し、前記第１のキャリアによりサービスされる第１のタイプのＵＥのサービスボリュームがしきい値Ｔ１より多いことを判定し、そして、前記第１のキャリア上の全てのサブフレームを後方互換サブフレームとして設定し、前記第２のタイプのＵＥがＮＣＴサブフレームをサポートするＵＥである、又は、前記第１のキャリアによりサービスされる前記第１のタイプのＵＥの総計のサービスボリュームがしきい値Ｔ１より多いか若しくはしきい値Ｔ１に等しいことを判定し、前記第１のキャリアによりサービスされる前記第２のタイプのＵＥの総計のサービスボリュームがしきい値Ｔ２より多いか若しくはしきい値Ｔ２に等しいことを判定し、そして、前記第１のキャリア上にＮＣＴサブフレーム及び後方互換サブフレームの両方を設定する、ように具体的に構成される。
【００３１】
第３の態様、又は第３の態様の第１の可能な実施方法から第３の可能な実施方法のうちのいずれかの可能な実施方法に関連して、第４の可能な実施方法において、前記送信モジュールは、前記動的なシグナリングを前記第１のＵＥに送信するまえに、準静的なシグナリングを前記第１のＵＥに送信し、前記準静的なシグナリングが前記動的なシグナリングを受信するように前記第１のＵＥに指示するために使用される、ように更に構成される。
【００３２】
第３の態様の第４の可能な実施方法に関連して、第５の可能な実施方法において、前記送信モジュールは、マスタ情報ブロックＭＩＢ又はシステム情報ブロックＳＩＢに前記準静的なシグナリングを追加し、前記準静的なシグナリングを前記ＭＩＢ又は前記ＳＩＢを使用することにより送信する、又は、前記準静的なシグナリングをユニキャスト形式で送信する、ように具体的に構成される。
【００３３】
第３の態様、又は第３の態様の第１の可能な実施方法から第５の可能な実施方法のうちのいずれかの可能な実施方法に関連して、第６の可能な実施方法において、前記送信モジュールは、物理レイヤシグナリングを使用することにより前記動的なシグナリングを送信し、前記物理レイヤシグナリングが第１の物理レイヤチャネルを通して送信される、ように具体的に構成される。
【００３４】
第３の態様の第６の可能な実施方法に関連して、第７の可能な実施方法において、前記判定モジュールは、前記第１の物理レイヤチャネルを判定し、前記第１の物理レイヤチャネルが物理制御フォーマットインジケータチャネルＰＣＦＩＣＨの時間−周波数リソースと同じ時間−周波数リソースを使用する、ように更に構成される。
【００３５】
第３の態様の第１の可能な実施方法に関連して、第８の可能な実施方法において、前記設定モジュールは、セル共通参照信号を前記送信期間内に第１のサブフレームにおいて伝送し、前記第１のサブフレームにおいて搬送される前記セル共通参照信号が第１の物理レイヤチャネルを復調するために前記第１のＵＥにより使用され、前記第１のサブフレームが前記動的なシグナリングを搬送する、ように更に構成される。
【００３６】
第３の態様、又は第３の態様の第１の可能な実施方法から第８の可能な実施方法のうちのいずれかの可能な実施方法に関連して、第９の可能な実施方法において、前記設定モジュールにより設定される前記第１のキャリアの前記サブフレーム設定情報は１ビットであり、前記サブフレーム設定情報は、下記の、現在の送信期間における全てのサブフレームがＮＣＴサブフレームである、及び、前記現在の送信期間における全てのサブフレームが後方互換サブフレームである、というサブフレーム設定例のうちの１つを示すために使用される。
【００３７】
第３の態様、又は第３の態様の第１の可能な実施方法から第８の可能な実施方法のうちのいずれかの可能な実施方法に関連して、第１０の可能な実施方法において、前記設定モジュールにより設定される前記第１のキャリアの前記サブフレーム設定情報は２ビットであり、前記サブフレーム設定情報は、下記の、現在の送信期間における全てのサブフレームがＮＣＴサブフレームである、前記現在の送信期間における全てのサブフレームが後方互換サブフレームである、前記現在の送信期間において、セル共通参照信号を伝送するために使用されるサブフレームが前記後方互換サブフレームであり、前記セル共通参照信号を伝送するために使用される前記サブフレームを除くほかのサブフレームが前記ＮＣＴサブフレームである、及び、前記現在の送信期間におけるサブフレームがＲＲＣシグナリングを使用することにより設定されるサブフレームである、というサブフレーム設定例のうちの１つを示すために使用される。
【００３８】
第４の態様によれば、本発明の実施例は、ユーザ装置ＵＥを提供し、当該ユーザ装置は、
基地局により送信される動的なシグナリングを受信し、前記動的なシグナリングが第１のキャリアのサブフレーム設定情報を搬送し、前記第１のキャリアの前記サブフレーム設定情報が前記第１のキャリア上のＮＣＴサブフレームの設定及び／又は後方互換サブフレームの前記設定を示すために使用される、ように構成される受信モジュールと、前記受信モジュールにより受信される前記動的なシグナリングにおける前記サブフレーム設定情報に従って前記第１のキャリア上のサブフレームのサブフレームタイプを判定し、前記第１のキャリア上の前記サブフレームの前記サブフレームタイプがＮＣＴサブフレーム及び／又は後方互換サブフレームを含む、ように構成される判定モジュールと、前記第１のキャリア上の前記サブフレームのサブフレームタイプであり前記判定モジュールにより判定される前記サブフレームタイプに従って前記第１のキャリアを使用して通信を実行するように構成される通信モジュールとを含む。
【００３９】
第４の態様に関連して、第１の可能な実施方法において、前記受信モジュールは、前記基地局により送信される前記動的なシグナリングを、設定された送信期間に従って定期的に受信するように具体的に構成される。
【００４０】
第４の態様、又は第４の態様の第１の可能な実施方法に関連して、第２の可能な実施方法において、前記受信モジュールは、前記基地局により送信される前記動的なシグナリングを受信するまえに、前記基地局により送信される準静的なシグナリングを受信し、前記準静的なシグナリングに従って前記動的なシグナリングを受信することを判定するように更に構成される。
【００４１】
第４の態様、第４の態様の第１の可能な実施方法、又は第４の態様の第２の可能な実施方法に関連して、第３の可能な実施方法において、前記受信モジュールは、前記基地局により送信される前記動的なシグナリングを、第１の物理レイヤチャネルを通して受信し、前記動的なシグナリングが物理レイヤシグナリングを使用することによって前記基地局により送信され、前記第１の物理レイヤチャネルが物理制御フォーマットインジケータチャネルＰＣＦＩＣＨの時間−周波数リソースと同じ時間−周波数リソースを使用する、ように具体的に構成される。
【００４２】
第４の態様に関連して、第４の可能な実施方法において、前記判定モジュールは、前記送信期間における第１のサブフレームを判定し、前記第１のサブフレームからセル共通参照信号を獲得し、前記セル共通参照信号に従って第１の物理レイヤチャネルを復調し、前記第１のサブフレームが前記第１のキャリアの各送信期間内の予め定義された位置におけるサブフレームであり、前記セル共通参照信号が前記第１のサブフレームにおいて伝送される、ように更に構成される。
【００４３】
第４の態様、又は第４の態様の第１の可能な実施方法から第４の可能な実施方法のうちのいずれかの可能な実施方法に関連して、第５の可能な実施方法において、前記受信モジュールにより受信される前記第１のキャリアの前記サブフレーム設定情報は１ビットであり、前記サブフレーム設定情報は、下記の、現在の送信期間における全てのサブフレームがＮＣＴサブフレームである、及び、前記現在の送信期間における全てのサブフレームが後方互換サブフレームである、というサブフレーム設定例のうちの１つを示すために使用される。
【００４４】
第４の態様、又は第４の態様の第１の可能な実施方法から第４の可能な実施方法のうちのいずれかの可能な実施方法に関連して、第６の可能な実施方法において、前記受信モジュールにより受信される前記第１のキャリアの前記サブフレーム設定情報は２ビットであり、前記サブフレーム設定情報は、下記の、現在の送信期間における全てのサブフレームがＮＣＴサブフレームである、前記現在の送信期間における全てのサブフレームが後方互換サブフレームである、前記現在の送信期間において、セル共通参照信号を伝送するために使用されるサブフレームが前記後方互換サブフレームであり、前記セル共通参照信号を伝送するために使用される前記サブフレームを除くほかのサブフレームが前記ＮＣＴサブフレームである、及び、前記現在の送信期間におけるサブフレームがＲＲＣシグナリングを使用することにより設定されるサブフレームである、というサブフレーム設定例のうちの１つを示すために使用される。
【００４５】
第５の態様によれば、本発明の実施例は、基地局を提供し、当該基地局は、第１のキャリア上にニューキャリアタイプＮＣＴサブフレーム及び／又は後方互換サブフレームを設定し、前記第１のキャリア上の前記ＮＣＴサブフレームの前記設定及び／又は前記後方互換サブフレームの前記設定に従って、前記第１のキャリアのサブフレーム設定情報を判定するように構成されるプロセッサと、動的なシグナリングを使用することにより、第１のユーザ装置ＵＥに、前記プロセッサにより判定される前記第１のキャリアの前記サブフレーム設定情報を伝送し、ここで、前記第１のキャリアの前記サブフレーム設定情報が前記第１のキャリアの前記サブフレーム設定情報に従って前記第１のキャリア上のサブフレームのサブフレームタイプを判定するために前記第１のＵＥにより使用され、前記第１のキャリア上の前記サブフレームの前記サブフレームタイプがＮＣＴサブフレーム及び／又は後方互換サブフレームを含み、そして、前記第１のキャリア上の前記サブフレームの前記サブフレームタイプに従って前記第１のキャリアを使用して通信を実行するように構成される送信機とを含む。
【００４６】
第５の態様によれば、可能な実施方法において、前記第１のキャリア上の前記サブフレームの前記サブフレームタイプは、ＮＣＴサブフレーム及び／又は後方互換サブフレームを含む。
【００４７】
第６の態様によれば、本発明の実施例は、ユーザ装置ＵＥを提供し、当該ユーザ装置は、基地局により送信される動的なシグナリングを受信し、前記動的なシグナリングが第１のキャリアのサブフレーム設定情報を搬送し、前記第１のキャリアの前記サブフレーム設定情報が前記第１のキャリア上のＮＣＴサブフレームの設定及び／又は後方互換サブフレームの前記設定を示すために使用される、ように構成される受信機と、前記受信機により受信される前記動的なシグナリングにおける前記サブフレーム設定情報に従って前記第１のキャリア上のサブフレームのサブフレームタイプを判定し、ここで、前記第１のキャリア上の前記サブフレームの前記サブフレームタイプがＮＣＴサブフレーム及び／又は後方互換サブフレームを含み、そして、前記第１のキャリア上の前記サブフレームの前記サブフレームタイプに従って前記第１のキャリアを使用して通信を実行するように構成されるプロセッサとを含む。
【００４８】
本発明の実施例において提供されるキャリア設定方法、基地局、及びユーザ装置によれば、ＮＣＴサブフレーム及び後方互換サブフレームが第１のキャリア上に設定されるとともに、第１のキャリアのサブフレーム設定メッセージがＵＥに送信され、それにより、ＵＥは、第１のキャリア上のサブフレームのサブフレームタイプを判定する。したがって、古いリリースのＵＥ及び新しいリリースのＵＥに対する第１のキャリアの互換性が保証され、新しいリリースのＵＥ及び古いリリースのＵＥの両方は、第１のキャリアを使用して通信を実行することができる。本発明において提供される方法を使用することにより、オペレータは、古いリリースのＵＥが存在するセルにおいて、通信を実行するために、セル内のＵＥに対するＮＣＴサブフレームを配置することができ、それにより、ＮＣＴの導入に起因するキャリア性能の向上が獲得されることができ、セルにおけるキャリアリソースの利用が改善されることができ、そして、ＬＴＥの発展過程におけるＮＣＴキャリアの配置が、同様に促進される。
【００４９】
本発明の実施例におけるか又は従来技術における技術的解決法をより明確に説明するために、下記は、実施例を説明するために必要とされる添付図面を簡単に紹介する。明らかに、下記の説明における添付図面は本発明の単にいくつかの実施例を表すとともに、当業者は、創造的な努力なしでこれらの添付図面からさらに他の図面を導き出し得る。
【図面の簡単な説明】
【００５０】
【図１】本発明の実施例１によるキャリア設定方法の概要のフローチャートである。
【図２】本発明の実施例２によるキャリア設定方法の概要のフローチャートである。
【図３】本発明の実施例３によるキャリア設定方法の概要のフローチャートである。
【図４】本発明の実施例４による基地局の構造上の構成図である。
【図５】本発明の実施例４による基地局の構造上の構成図である。
【図６】本発明の実施例５によるユーザ装置の構造上の構成図である。
【図７】本発明の実施例６による基地局の構造上の構成図である。
【図８】本発明の実施例７によるユーザ装置の構造上の構成図である。
【発明を実施するための形態】
【００５１】
下記は、本発明の実施例における添付図面を参照して、本発明の実施例における技術的解決法を明確かつ十分に説明する。明らかに、説明される実施例は本発明の実施例の全てではなく単なる一部である。創作的な努力なしで本発明の実施例に基づいて当業者により獲得される他の全ての実施例は、本発明の保護範囲に含まれるものとする。
【００５２】
本発明において、ＬＴＥリリース１２及びＬＴＥリリース１２よりあとのリリースのＵＥは、新しいリリースのＵＥと呼ばれ、新しいリリースのＵＥは、ＮＣＴキャリアを認識することができ、そしてＮＣＴキャリアを使用することにより通信を実行することをサポートするＵＥである。
【００５３】
本発明において、ＬＴＥリリース１２よりまえのリリースのＵＥは、古いリリースのＵＥと呼ばれ、古いリリースのＵＥは、ＮＣＴキャリアを認識することができず、そしてＮＣＴキャリアを使用することにより通信を実行することをサポートしないＵＥである。
【００５４】
本発明において、ニューキャリアタイプＮＣＴサブフレームは、ＮＣＴキャリアをサポートするＵＥによりサポートされるか若しくは使用されることができるサブフレームであり得るか、又は、ニューキャリアタイプＮＣＴサブフレームは、ＬＴＥリリース１２及びＬＴＥリリース１２よりあとのリリースのＵＥによりサポートされるか若しくは使用されることができるサブフレームであり得る。
【００５５】
本発明において、後方互換サブフレームは、ＮＣＴキャリアをサポートするＵＥ及びＮＣＴキャリアをサポートしないＵＥの両方によりサポートされるか若しくは使用されることができるサブフレームであり得るか、又は、後方互換サブフレームは、全てのＬＴＥリリースのＵＥによりサポートされるか若しくは使用されることができるサブフレームであり得るか、又は、後方互換サブフレームは、ＬＴＥリリース１２よりまえのリリースの全てのＵＥ、ＬＴＥリリース１２の全てのＵＥ、及びＬＴＥリリース１２よりあとのリリースの全てのＵＥによりサポートされるか若しくは使用されるサブフレームであり得る。
【００５６】
「実施例１」
本発明のこの実施例は、基地局又は基地局内に構成される機能モジュールにより実施されることができるキャリア設定方法を提供する。この実施例は、方法が基地局により実施される一例を使用することにより説明される。図１において示されたように、当該方法は、下記のステップを含む。
【００５７】
１０１．基地局が、第１のキャリア上にＮＣＴサブフレーム及び／又は後方互換サブフレームを設定し、第１のキャリア上のＮＣＴサブフレームの設定及び／又は後方互換サブフレームの設定に従って、第１のキャリアのサブフレーム設定情報を判定する。
【００５８】
この実施例において提供される方法は、ＮＣＴ特性をサポートする、ＬＴＥリリース１２、又はＬＴＥリリース１２よりあとのリリースのＬＴＥシステムのような、（新しいリリースのＬＴＥシステムとして表示されるかもしれない）ＬＴＥシステムに適用でき得る、ということに注意する必要がある。第１のキャリアは、特別なＮＣＴキャリアであり、特別なＮＣＴキャリアは、ＬＴＥリリース１２において提案されたＮＣＴキャリアが最適化された後で獲得された新しいキャリアタイプであり、すなわち、特別なＮＣＴキャリアは、ＮＣＴキャリアから発展する新しいキャリアタイプであり得る。
【００５９】
理解を容易にするために、ＮＣＴキャリア、及び特別なＮＣＴキャリアは、下記のように説明される。
【００６０】
ＮＣＴキャリア上の各サブフレームは、ＮＣＴサブフレームであり、全てのＮＣＴサブフレームにおけるいくつかのＮＣＴサブフレームのみが、ＣＲＳのようなセル共通参照信号を搬送し（例えば、もしセル共通参照信号の送信期間が５ｍｓであるならば、ＮＣＴキャリアについては、５ｍｓ毎における１つのＮＣＴサブフレームのみがＣＲＳを搬送する）、ここで、セル共通参照信号は、ネットワークとの時間及び周波数トラッキングを実行するために、主としてＵＥにより使用される。ＮＣＴキャリアは、古いリリースのＵＥ（この実施例における古いリリースのＵＥはＮＣＴ特性をサポートしないＵＥのことを指す）をサポートせず、すなわち、古いリリースのＵＥは、ネットワークと通信するためにＮＣＴキャリアを使用することができない、ということに注意する必要がある。
【００６１】
ＮＣＴサブフレーム及び後方互換サブフレームの両方は、この実施例において提供される特別なＮＣＴキャリア上に設定され、セル共通参照信号をＮＣＴサブフレームにおいて伝送するための方法は、セル共通参照信号をＮＣＴキャリアで伝送するための方法と同じであり、セル共通参照信号は、ネットワークとの時間及び周波数トラッキングを実行するために、主としてＵＥにより使用される。しかしながら、後方互換サブフレームに関して、各後方互換サブフレームはＣＲＳを搬送するとともに、後方互換サブフレームは古いリリースのＵＥをサポートする。古いリリースのＵＥは、後方互換サブフレームを認識するとともに、ネットワークと通信するために後方互換サブフレームを使用することができる。このように、この特別なＮＣＴキャリアは、古いリリースのＵＥをある程度サポートし得る。例えば、サブフレームの送信期間が５ｍｓになるように構成される実例は、説明のために使用され、そして特別なＮＣＴキャリアは、ＮＣＴサブフレーム及び／又は後方互換サブフレームを１つの送信期間に含む。５ｍｓの送信期間内の特別なＮＣＴキャリアの全てのサブフレームがＮＣＴサブフレームである場合に、システムにより予め定義された位置におけるＮＣＴサブフレームのみが（ＣＲＳのような）セル共通参照信号を搬送し、このように、新しいリリースのＵＥは、セル共通参照信号に従ってネットワークとの時間及び周波数トラッキングを実行するとともに、ＮＣＴサブフレームを使用することによりネットワークと通信することができる。５ｍｓの送信期間内の特別なＮＣＴキャリアの全てのサブフレームが後方互換サブフレームである場合に、全ての後方互換サブフレームがセル共通参照信号を搬送し、この場合、新しいリリースのＵＥ及び古いリリースのＵＥの両方は、セル共通参照信号に従ってネットワークとの時間及び周波数トラッキングを実行するとともに、後方互換サブフレームを使用することによりネットワークと通信することができる。特別なＮＣＴキャリアが５ｍｓの送信期間内にＮＣＴサブフレーム及び後方互換サブフレームの両方を有している場合に、セル共通参照信号の伝送が別の後方互換サブフレームにおけるセル共通参照信号の伝送と異なる少なくとも１つのＮＣＴサブフレームが存在し（例えば、セル共通参照信号が伝送されないＮＣＴサブフレームが存在し得る）、この場合、新しいリリースのＵＥは、ＮＣＴサブフレームを使用することによりネットワークと通信し得るとともに、古いリリースのＵＥは、後方互換サブフレームを使用することによりネットワークと通信し得る。
【００６２】
このアプリケーションでは、セル共通参照信号は、ＣＲＳであり得るか、又は、別の信号、例えば、ＣＳＩ−ＲＳ（Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌ、チャネル状態情報参照信号）のような、セル固有の形式で送信される別の参照信号であり得る、ということに注意する必要がある。
【００６３】
１０２．基地局が、動的なシグナリングを使用することにより第１のＵＥに第１のキャリアのサブフレーム設定情報を送信し、ここで、第１のキャリアのサブフレーム設定情報は第１のキャリアのサブフレーム設定情報に従って第１のキャリア上のサブフレームのサブフレームタイプを判定するために第１のＵＥにより使用され、前述のサブフレームタイプはニューキャリアタイプＮＣＴサブフレーム及び／又は後方互換サブフレームを含み、そして、第１のキャリア上のサブフレームのサブフレームタイプに従って第１のキャリアを使用して通信を実行する。
【００６４】
古いリリースのＵＥはＮＣＴサブフレームを認識して使用することができないので、ステップ１０２における第１のＵＥは、好ましくは新しいリリースのＵＥである、ということに注意する必要がある。基地局は、サブフレーム設定情報を新しいリリースのＵＥに送信することができ、すなわち、ＬＴＥリリース１２のＵＥ、及びＬＴＥリリース１２よりあとのリリースのＵＥは、ＬＴＥリリース１２のＵＥ、及びＬＴＥリリース１２よりあとのリリースのＵＥが、後方互換サブフレームをサポートする及び使用することができるばかりでなく、ＮＣＴサブフレームをサポートすることもできるので、ＮＣＴサブフレームを認識して使用する能力を有する。具体的には、基地局は、サブフレーム設定情報を使用することにより、第１のキャリア上の各サブフレームのサブフレームタイプを新しいリリースのＵＥに通知し、それにより、新しいリリースのＵＥは、サブフレーム設定情報に従って第１のキャリア上の各サブフレームのタイプを判定するとともに、各サブフレームにおける信号伝送の内容及び方法を判定し、そしてさらに、新しいリリースのＵＥは、各サブフレームにおいて、基地局との通信及びデータ伝送を実行する。
【００６５】
さらに、少なくともキャリアアグリゲーションをサポートすることができるＬＴＥリリース１０及びＬＴＥリリース１１のＵＥである古いリリースのＵＥのために、基地局は、古いリリースのＵＥのための特別なＮＣＴキャリアを少なくとも補助キャリアの形式で設定し得るとともに、特別なＮＣＴキャリアを使用するように古いリリースのＵＥを活性化し得る。さらに、基地局は、キャリアアグリゲーションをサポートするこれらの古いリリースのＵＥのために、特別なＮＣＴキャリアをアンカーキャリアの形式でも設定することができ、この場合、古いリリースのＵＥにとって必要である信号及び共通制御チャネルは、これらの古いリリースのＵＥが特別なＮＣＴキャリアをアンカーキャリアとして使用する期間内にこの特別なＮＣＴキャリアにおいて伝送される必要があり、基地局により実行されるスケジューリングを用いて、古いリリースのＵＥは後方互換サブフレームにおいて機能し、それにより、古いリリースのＵＥは、基地局と標準的に通信するために、第１のキャリアの後方互換サブフレームを使用することができる。ＬＴＥリリース８及びＬＴＥリリース９の単一キャリアのＵＥ、並びにキャリアアグリゲーションをサポートしないＬＴＥリリース１０及びＬＴＥリリース１１のＵＥのような古いリリースの他のＵＥに関して、基地局は、特別なＮＣＴキャリアをターゲットキャリアとして使用することによる切り替え方法で、これらの古いリリースのＵＥのために特別なＮＣＴキャリアを設定することができ、この場合、古いリリースのＵＥにとって必要である信号及び共通制御チャネルは、これらの古いリリースのＵＥが機能する期間内にこの特別なＮＣＴキャリアにおいて伝送される必要があり、基地局により実行されるスケジューリングを用いて、古いリリースのＵＥはこの特別なＮＣＴキャリアの後方互換サブフレームにおいて機能し、それにより、古いリリースのＵＥは、基地局と標準的に通信するために、第１のキャリアの後方互換サブフレームを使用し得る。結論として、特別なＮＣＴキャリアは、古いリリースのＵＥにサービスをある程度提供し得る。古いリリースのＵＥが存在するセルに対して、オペレータはこのタイプの特別なＮＣＴキャリアをさらに配置することができ、それは、ＮＣＴの導入に起因するキャリア性能の向上を改善し、共通参照信号に起因する干渉及び負荷を削減し、セルにおけるキャリアリソースの効率及びスペクトルの利用を改善する。
【００６６】
さらに、キャリアアグリゲーションを少なくともサポートすることができるＬＴＥリリース１０及びＬＴＥリリース１１のＵＥに関して（説明を容易にするために、ＵＥは古いリリースのＵＥと言われ得る）、基地局は、古いリリースのＵＥのための特別なＮＣＴキャリアを補助キャリアの形式で設定するとともに、特別なＮＣＴキャリアを使用するように古いリリースのＵＥを活性化することができ、基地局により実行されるスケジューリングを用いて、古いリリースのＵＥは後方互換サブフレームにおいて機能し、それにより、古いリリースのＵＥは、基地局と標準的に通信するために、第１のキャリアの後方互換サブフレームを使用することができる。このように、特別なＮＣＴキャリアは、古いリリースのＵＥにサービスをある程度提供し得る。古いリリースのＵＥが存在するセルに対して、オペレータはこのタイプの特別なＮＣＴキャリアをさらに配置することができ、それは、ＮＣＴの導入に起因するキャリア性能の向上を改善し、共通参照信号に起因する干渉及び負荷を削減し、セルにおけるキャリアリソースの効率及びスペクトルの利用を改善する。
【００６７】
この明細書において提供される、新しいリリースのＵＥ、古いリリースのＵＥ、新しいリリースのＬＴＥシステム、及び古いリリースのＬＴＥシステムは、全て相対的概念であり、新しいリリースのＬＴＥシステムは、ＮＣＴ特性をサポートすることができるシステムであり、対応する古いリリースのＬＴＥシステムは、ＮＣＴ特性をサポートすることができないシステムのことを指し、新しいリリースのＵＥは、ＮＣＴ特性をサポートすることができるＵＥであり、対応する古いリリースのＵＥは、ＮＣＴ特性をサポートすることができないＵＥのことを指す、ということに注意する必要がある。これまでのところ論じられたＬＴＥリリース１２では、ＮＣＴ特性は潜在的に導入される。したがって、この明細書では、ＬＴＥリリース１２が境界線として使用されることが実例として説明される。新しいリリースのＬＴＥシステムは、ＮＣＴ特性をサポートすることができるＬＴＥリリース１２のシステムであり、対応する古いリリースのＬＴＥシステムは、ＮＣＴ特性をサポートすることができない、ＬＴＥリリース１２よりまえのＬＴＥリリース８／９／１０／１１のシステムのことを指し、新しいリリースのＵＥは、ＮＣＴ特性をサポートすることができるＬＴＥリリース１２のＵＥであり、そして、対応する古いリリースのＵＥは、ＮＣＴ特性をサポートすることができない、ＬＴＥリリース１２よりまえのＬＴＥリリース８／９／１０／１１のＵＥのことを指し、それは、この明細書では限定されない、ということが主として定義される。新しいリリースのシステム及び新しいリリースのＵＥは、同様に、潜在的にＬＴＥリリース１２よりあとのリリース、例えばリリース１３のシステム及びＵＥであり得る。
【００６８】
本発明のこの実施例において提供されるキャリア設定方法によれば、ＮＣＴサブフレーム及び後方互換サブフレームが第１のキャリア上に設定されるとともに、第１のキャリアのサブフレーム設定メッセージがＵＥに送信され、それにより、ＵＥは、第１のキャリア上のサブフレームのサブフレームタイプを判定する。したがって、古いリリースのＵＥ及び新しいリリースのＵＥに対する第１のキャリアの互換性が保証され、新しいリリースのＵＥ及び古いリリースのＵＥの両方は、第１のキャリアを使用して通信を実行することができる。本発明において提供される方法を使用することにより、オペレータは、古いリリースのＵＥが存在するセルにおいて、通信を実行するために、セル内のＵＥに対するＮＣＴサブフレームを配置することができ、それにより、ＮＣＴの導入に起因するキャリア性能の向上が獲得されることができ、セルにおけるキャリアリソースの効率及びスペクトルの利用が改善されることができ、そして、ＬＴＥの発展過程におけるＮＣＴキャリアの配置が、同様に促進される。
【００６９】
具体的には、図１において示されたキャリア設定方法に関して、この実施例では、ステップ１０２の動的なシグナリングを使用することによりＵＥに第１のキャリアのサブフレーム設定情報を通知するステップは、下記の方法、すなわち、設定された送信期間に従って動的なシグナリングを第１のＵＥに定期的に送信するステップであって、動的なシグナリングが第１のキャリアのサブフレーム設定情報を搬送する、ステップにおいて実施され得る。動的なシグナリングを使用することにより、リアルタイムでセル内の古いリリースのＵＥ及び新しいリリースのＵＥのサービスボリュームを整合することが実行されることができ、さらに、サブフレームタイプの設定が実行され、そしてシステムリソースの使用が最適化される。特にユーザの量が比較的少ない異種ネットワークにおける小さなセルのシナリオにおいて、動的な設定は、ＵＥタイプ及びサービスボリュームに従って実行されることができ、それは、セルにおけるキャリアリソースの効率及びスペクトルの利用を改善し、ＮＣＴの導入に起因するキャリア性能の向上を改善し、そして共通参照信号に起因する干渉及び負荷を削減することができる。
【００７０】
具体的には、サブフレーム設定情報を搬送するために使用される動的なシグナリングの送信期間は、下記の要因に従って考察され得る。各サブフレームにおいて、最も柔軟な方法は、現在のサブフレームの設定状態を示す、すなわち現在のサブフレームがＮＣＴサブフレームであるか又は後方互換サブフレームであるかを示す動的なシグナリングを送信することであり、それにより、ＵＥは、リアルタイムで現在のサブフレームのサブフレームタイプを正確に判定することができる。
【００７１】
任意に、動的なシグナリングは、送信期間としてＮ個のサブフレームを使用するかもしれず、ここで、Ｎは１より大きい。このように、動的なシグナリングの伝送により引き起こされる過度のシグナリングオーバヘッドが削減されることができ、そして動的なシグナリングを復調するために使用される参照信号は、比較的柔軟に選択されることができる。具体的には、下記の説明に対する参照が行われ得る。さらに、この方法を使用することにより、ＵＥは各々のサブフレームを復調する必要がないので、ＵＥは、削減された複雑さにより処理を実行することができる。
【００７２】
さらに、古いリリースのＵＥに対するサポートを考慮すると、少なくとも非定期的なＣＳＩ測定に対するサポートを考慮して、設定は、同様に、好ましくは定期的な方法で実行される。基地局が非定期的なＣＳＩ測定を実行するように古いリリースのＵＥを誘発する場合に、古いリリースのＵＥがいくらかの将来のサブフレーム、すなわち誘発するシグナリングが受信されたあとでＣＳＩフィードバックが報告されるまえのいくらかのサブフレームにおいて測定を実行するので、全てのこれらの対応するサブフレームは、古いリリースのＵＥによりＣＳＩを報告することの正確度を保証するために、後方互換サブフレームであるべきである。その上、概して、基地局で実行されるスケジューリングは、ある程度進歩することができ、例えば、基地局は、前もっていくらかのサブフレームをスケジュールし得るとともに、前もってこの期間にサブフレームのタイプを更に判定し得るが、しかし、同様に、基地局により実行されるスケジューリングの過度の制限を回避し、そして、時間内に現在のサービス要求をフィードバックすることができ、この期間は過度に長くなるはずがない。
【００７３】
任意に、ステップ１０１のまえに、この実施例において提供されるキャリア設定方法は、下記のステップを更に含む。
【００７４】
１００．第１のキャリア内に存在する、少なくとも１つの第２のＵＥのサービスボリューム及び少なくとも１つの第２のＵＥによりサポートされるサブフレームタイプを判定する。
【００７５】
ステップ１００に基づいて、ステップ１０１は、具体的に、下記の実施方法、すなわち、第２のＵＥのサービスボリューム及び第２のＵＥによりサポートされるサブフレームタイプに従って、第１のキャリア上にＮＣＴサブフレーム及び／又は後方互換サブフレームを設定するステップを含む。
【００７６】
具体的には、ステップ１００に基づいて、ステップ１０１は、具体的に、第１のキャリアによりサービスされる第１のタイプのＵＥの総計のサービスボリュームがしきい値Ｔ１より少ないことを判定し、そして、第１のキャリア上の全てのサブフレームをＮＣＴサブフレームとして設定するステップであって、第１のタイプのＵＥが後方互換サブフレームをサポートするＵＥである、ステップ、又は、第１のキャリアによりサービスされる第２のタイプのＵＥの総計のサービスボリュームがしきい値Ｔ２より少ないことを判定し、第１のキャリアによりサービスされる第１のタイプのＵＥのサービスボリュームがしきい値Ｔ１より多いことを判定し、そして、第１のキャリア上の全てのサブフレームを後方互換サブフレームとして設定するステップであって、第２のタイプのＵＥがＮＣＴサブフレームをサポートするＵＥである、ステップ、又は、第１のキャリアによりサービスされる第１のタイプのＵＥの総計のサービスボリュームがしきい値Ｔ１より多いか若しくはしきい値Ｔ１に等しいことを判定し、第１のキャリアによりサービスされる第２のタイプのＵＥの総計のサービスボリュームがしきい値Ｔ２より多いか若しくはしきい値Ｔ２に等しいことを判定し、そして、第１のキャリア上にＮＣＴサブフレーム及び後方互換サブフレームの両方を設定するステップを含む。
【００７７】
ステップ１０２のまえに、当該方法は、準静的なシグナリングを第１のＵＥに送信するステップであって、準静的なシグナリングが、動的なシグナリングを受信するように第１のＵＥに指示するために使用される、ステップを更に含む。
【００７８】
準静的なシグナリングを第１のＵＥに送信するステップは、ＭＩＢ（Ｍａｓｔｅｒ  Ｉｎｆｏｒｍａｔｉｏｎ  Ｂｌｏｃｋ、マスタ情報ブロック）又はＳＩＢ（Ｓｙｓｔｅｍ  Ｉｎｆｏｒｍａｔｉｏｎ  Ｂｌｏｃｋ、システム情報ブロック）に準静的なシグナリングを追加し、準静的なシグナリングをＭＩＢ又はＳＩＢを使用することにより送信するステップ、又は、準静的なシグナリングをユニキャスト形式で送信するステップを含む。
【００７９】
ステップ１０２において、動的なシグナリングを使用することにより第１のＵＥに第１のキャリアのサブフレーム設定情報を送信するステップは、物理レイヤシグナリングを使用することにより動的なシグナリングを送信するステップであって、物理レイヤシグナリングが第１の物理レイヤチャネルを通して送信される、ステップを含む。
【００８０】
物理レイヤシグナリングを使用することにより動的なシグナリングを送信するステップのまえに、当該方法は、第１の物理レイヤチャネルを判定するステップであって、第１の物理レイヤチャネルがＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ、物理制御フォーマットインジケータチャネル）の時間−周波数リソースと同じ時間−周波数リソースを使用する、ステップを更に含む。
【００８１】
前述の第１のＵＥは新しいリリースのＵＥであるか、又は、前述の第１のＵＥはＮＣＴサブフレームをサポートする及び／若しくは使用することができるＵＥである、ということに注意する必要がある。
【００８２】
第２のＵＥは、第１のタイプのＵＥに属するＵＥ及び／又は第２のタイプのＵＥに属するＵＥを含むことができ、第１のタイプのＵＥは後方互換サブフレームをサポートするＵＥであり、第２のタイプのＵＥはＮＣＴサブフレームをサポートするＵＥである、ということに注意する必要がある。
【００８３】
具体的には、この実施例において提供される方法は、セル共通参照信号を送信期間内に第１のサブフレームにおいて伝送するステップであって、第１のサブフレームにおいて搬送されるセル共通参照信号が第１の物理レイヤチャネルを復調するために第１のＵＥにより使用され、第１のサブフレームが動的なシグナリングを搬送し、第１のサブフレームが第１のキャリアの各送信期間内の予め定義された位置におけるサブフレームである、ステップを更に含む。
【００８４】
この実施例において、第１のサブフレームにおいて伝送されるセル共通参照信号は、ＣＲＳ（Ｃｅｌｌ−ｓｐｅｃｉｆｉｃ  Ｒｅｆｅｒｅｎｃｅ  Ｓｉｇｎａｌ、セル固有参照信号）であることができるか、ＣＳＩ−ＲＳ（Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌ、チャネル状態情報参照信号）であることができるか、又は、別の予め定義されたフォーマットにおけるセル共通参照信号であることができ、それはこの実施例では限定されない、ということに注意する必要がある。
【００８５】
この実施例の具体的な実施方法として、第１のキャリアのサブフレーム設定情報は１ビットであり、サブフレーム設定情報は、下記の、現在の送信期間における全てのサブフレームがＮＣＴサブフレームである、及び、現在の送信期間における全てのサブフレームが後方互換サブフレームである、というサブフレーム設定例のうちの１つを示すために使用される。
【００８６】
この実施例の別の具体的な実施方法として、第１のキャリアのサブフレーム設定情報は２ビットであり、サブフレーム設定情報は、下記の、現在の送信期間における全てのサブフレームがＮＣＴサブフレームである、現在の送信期間における全てのサブフレームが後方互換サブフレームである、現在の送信期間において、セル共通参照信号を伝送するために使用されるサブフレームが後方互換サブフレームであり、セル共通参照信号を伝送するために使用されるサブフレームを除くほかのサブフレームがＮＣＴサブフレームである、及び、現在の送信期間におけるサブフレームがＲＲＣシグナリングを使用することにより設定されるサブフレームである、というサブフレーム設定例のうちの１つを示すために使用される。
【００８７】
「実施例２」
この実施例は、ユーザ装置ＵＥに適用されるキャリア設定方法を提供するとともに、図２において示されたように、当該方法は、下記のステップを含む。
【００８８】
２０１．ＵＥが、基地局により送信される動的なシグナリングを受信し、ここで、動的なシグナリングは第１のキャリアのサブフレーム設定情報を搬送し、第１のキャリアのサブフレーム設定情報は第１のキャリア上のＮＣＴサブフレームの設定及び／又は後方互換サブフレームの設定を示すために使用される。
【００８９】
この実施例において提供される方法は、ＮＣＴ特性をサポートするＵＥに適用でき得る、ということに注意する必要がある。理解を容易にするために、ＮＣＴ特性をサポートするＵＥは、新しいリリースのＵＥとして表示され得るとともに、新しいリリースのＵＥは、ＬＴＥリリース１２、又はＬＴＥリリース１２よりあとのリリースをサポートするＵＥであり得る。
【００９０】
区別することを容易にするために、ＮＣＴ特性をサポートしないＵＥは、古いリリースのＵＥとして表示され得るとともに、古いリリースのＵＥは、ＬＴＥリリース１１、及びＬＴＥリリース１１よりまえのリリースをサポートするＵＥであり得る。古いリリースのＵＥ及び新しいリリースのＵＥは相対的概念である、ということに注意する必要がある。具体的には、古いリリースのＵＥ及び新しいリリースのＵＥの詳細については、実施例１における関連する説明に対する参照が行われることができ、それは、再びここでは説明されない。
【００９１】
第１のキャリアは、ＮＣＴキャリアから発展する新しいキャリアタイプであり、特別なＮＣＴキャリアとして表示され得る。ＮＣＴサブフレーム及び後方互換サブフレームの両方は、ＮＣＴキャリアとは異なる第１のキャリア上に設定される。具体的には、特別なＮＣＴキャリアとＮＣＴキャリアとの間の差異については、実施例１における関連する説明に対する参照が行われることができ、それは、再びここでは説明されない。
【００９２】
具体的には、ステップ２０１は、下記の具体的な方法、すなわち、基地局により送信される動的なシグナリングを、設定された送信期間に従ってＵＥにより定期的に受信するステップにおいて実施され得る。
【００９３】
２０２．ＵＥが、動的なシグナリングにおけるサブフレーム設定情報に従って、第１のキャリア上のサブフレームのサブフレームタイプを判定し、ここで、サブフレームタイプはＮＣＴサブフレーム及び／又は後方互換サブフレームを含み、そして、第１のキャリア上のサブフレームのサブフレームタイプに従って第１のキャリアを使用して通信を実行する。
【００９４】
具体的には、この実施例において、ＵＥは、動的なシグナリングにおけるサブフレーム設定情報に従って、第１のキャリア上のサブフレームのサブフレームタイプ（ＮＣＴサブフレーム及び／又は後方互換サブフレームを含む）を判定し、各サブフレームのサブフレームタイプに従って第１のキャリアを使用して通信を実行し得る。
【００９５】
ＮＣＴサブフレーム及び後方互換サブフレームにおいて伝送されるＣＲＳ信号が異なるので（例えば、送信期間において、各後方互換サブフレームはＣＲＳを搬送し、概して、後方互換サブフレームにおいて搬送されるＣＲＳは複数のＣＲＳポートを包含するが、しかしながら、一般に、複数のＮＣＴサブフレームの中の１つのＮＣＴサブフレームだけがＣＲＳを搬送し、そしてＣＲＳを搬送するＮＣＴサブフレームは１つだけのＣＲＳポートを包含し得る）、ということに注意する必要がある。したがって、第１のキャリア上のサブフレームのサブフレームタイプを判定したあとで、ＵＥは、各サブフレームのサブフレームタイプに従って、各サブフレームにおけるＣＲＳ信号の伝送状態を判定し、各サブフレームにおけるＣＲＳ信号の伝送状態に従って、信号を送信及び受信する処理を実施し得る。
【００９６】
ダウンリンク制御チャネルＰＤＣＣＨは、同様に、ＮＣＴサブフレーム及び後方互換サブフレームにおいて異なる方法で伝送され得る、ということに更に注意する必要がある。ＮＣＴサブフレームでは、概して、ダウンリンク制御チャネルＰＤＣＣＨは伝送されない。しかしながら、ＭＢＳＦＮサブフレーム又はＰＭＣＨサブフレームが同様にＮＣＴサブフレームに設定される１つの可能な特別な場合において、ダウンリンク制御チャネルＰＤＣＣＨが伝送される。後方互換サブフレームでは、ダウンリンク制御チャネルＰＤＣＣＨは各サブフレームにおいて伝送される。上記で列挙される信号及び／又はチャネルに加えて、別の信号及び／又はチャネルが更に含まれ得るとともに、これらの信号及び／又はチャネルは、全て予め定義され得る２つのタイプのサブフレーム、ＮＣＴサブフレーム及び後方互換サブフレームにおいて、異なる方法で伝送される。例えば、ＤＭＲＳに関して、ＮＣＴサブフレームにおけるＤＭＲＳのパターンは、後方互換サブフレームにおけるＤＭＲＳのパターンと異なり、ＮＣＴサブフレーム及び後方互換サブフレームは、シグナリングを使用することにより変更され、ＤＭＲＳのパターンは、異なるサブフレームに従って予め定義され、それにより、ＤＭＲＳのパターンは、同時に通知されることができ、それは、別の信号及びチャネルに更に適用でき、そして、詳細は１つずつここでは説明されない。
【００９７】
本発明のこの実施例において提供されるキャリア設定方法によれば、第１のキャリア上のサブフレームのサブフレームタイプは、基地局により送信される、第１のキャリアの受信されたサブフレーム設定情報を使用することにより判定され、通信を実行するために、各サブフレームのサブフレームタイプに従って第１のキャリアが使用される。本発明において提供される方法を使用することにより、セルにおけるキャリアリソースの使用が改善されることができ、そしてＬＴＥの発展過程におけるＮＣＴキャリアの配置が、同様に促進される。
【００９８】
図２において示されたキャリア設定方法を参照すると、ステップ２０１において、ＵＥによって、基地局により送信される動的なシグナリングを受信するステップは、基地局により送信される動的なシグナリングを、設定された送信期間に従ってＵＥにより定期的に受信するステップを含む。
【００９９】
任意に、ステップ２０１のまえに、当該方法は、ＵＥによって、基地局により送信される準静的なシグナリングを受信し、準静的なシグナリングに従って動的なシグナリングを受信することを判定するステップと、マスタ情報ブロックＭＩＢ又はシステム情報ブロックＳＩＢに準静的なシグナリングを追加し、準静的なシグナリングをＭＩＢ又はＳＩＢを使用することにより送信するステップ、又は、準静的なシグナリングをユニキャスト形式で送信するステップとを更に含む。
【０１００】
具体的には、ステップ２０１において、ＵＥによって、基地局により送信される動的なシグナリングを受信するステップは、ＵＥによって、基地局により送信される動的なシグナリングを、第１の物理レイヤチャネルを通して受信するステップであって、動的なシグナリングが物理レイヤシグナリングを使用することによって基地局により送信される、ステップを含む。
【０１０１】
任意に、第１の物理レイヤチャネルは、ＰＣＦＩＣＨの時間−周波数リソースと同じ時間−周波数リソースを使用する、
【０１０２】
任意に、ステップ２０１のまえに、当該方法は、ＵＥにより、送信期間における第１のサブフレームを判定し、第１のサブフレームからセル共通参照信号を獲得し、セル共通参照信号に従って第１の物理レイヤチャネルを復調するステップであって、第１のサブフレームが第１のキャリアの各送信期間内の予め定義された位置におけるサブフレームであり、セル共通参照信号が第１のサブフレームにおいて伝送される、ステップを更に含む。
【０１０３】
この実施例の具体的な実施方法として、第１のキャリアのサブフレーム設定情報は１ビットであり、サブフレーム設定情報は、下記の、現在の送信期間における全てのサブフレームがＮＣＴサブフレームである、及び、現在の送信期間における全てのサブフレームが後方互換サブフレームである、というサブフレーム設定例のうちの１つを示すために使用される。
【０１０４】
この実施例の別の具体的な実施方法として、第１のキャリアのサブフレーム設定情報は２ビットであり、サブフレーム設定情報は、下記の、現在の送信期間における全てのサブフレームがＮＣＴサブフレームである、現在の送信期間における全てのサブフレームが後方互換サブフレームである、現在の送信期間において、セル共通参照信号を伝送するために使用されるサブフレームが後方互換サブフレームであり、セル共通参照信号を伝送するために使用されるサブフレームを除くほかのサブフレームがＮＣＴサブフレームである、及び、現在の送信期間におけるサブフレームがＲＲＣシグナリングを使用することにより設定されるサブフレームである、というサブフレーム設定例のうちの１つを示すために使用される。
【０１０５】
「実施例３」
図１及び図２において示された実施例に基づいて、この実施例は、キャリア設定方法を提供するとともに、図３において示されたように、当該方法は、下記のステップを含む。
【０１０６】
３０１．基地局が、第１のキャリア上にＮＣＴサブフレーム及び／又は後方互換サブフレームを設定し、第１のキャリア上のＮＣＴサブフレームの設定及び／又は後方互換サブフレームの設定に従って、第１のキャリアのサブフレーム設定情報を判定する。
【０１０７】
この実施例における第１のキャリアは、基地局により設定されることができる複数のキャリアのうちのいずれか１つである、ということに注意する必要がある。さらに、第１のキャリアは、ＮＣＴキャリアから発展する新しいキャリアタイプであり得るとともに、キャリアタイプは、特別なＮＣＴキャリアとして表示され得る。具体的には、特別なＮＣＴキャリアの定義、及び特別なＮＣＴキャリアとＮＣＴキャリアとの間の差異については、実施例１における関連する説明に対する参照が行われることができ、それは、再びここでは説明されない。
【０１０８】
任意に、ステップ３０１のまえに、当該方法は、下記のステップＳ１からＳ２を更に含み得る。
【０１０９】
Ｓ１．基地局が、第１のキャリア内に存在する、少なくとも１つの第２のＵＥのサービスボリューム及び少なくとも１つの第２のＵＥによりサポートされるサブフレームタイプを判定する。
【０１１０】
前述の第１のＵＥは新しいリリースのＵＥであるか、又は、前述の第１のＵＥはＮＣＴサブフレームをサポートする及び／若しくは使用することができるＵＥである、ということに注意する必要がある。
【０１１１】
第２のＵＥは、第１のタイプのＵＥに属するＵＥ及び／又は第２のタイプのＵＥに属するＵＥを含むことができ、第１のタイプのＵＥは後方互換サブフレームをサポートするＵＥであり、第２のタイプのＵＥはＮＣＴサブフレームをサポートするＵＥである、ということに注意する必要がある。
【０１１２】
理解を容易にするために、この実施例において、ＵＥは、ＵＥがＮＣＴ特性をサポートするかどうかに従って、新しいリリースのＵＥ（第２のタイプのＵＥ）及び古いリリースのＵＥ（第１のタイプのＵＥ）に分類される。古いリリースのＵＥ及び新しいリリースのＵＥの定義については、具体的に実施例１における関連する説明に対する参照が行われることができる。具体的には、新しいリリースのＵＥはＮＣＴ特性をサポートし、すなわち、新しいリリースのＵＥはＮＣＴサブフレームを認識して使用する能力を有している。古いリリースのＵＥはＮＣＴ特性をサポートせず、すなわち、古いリリースのＵＥはＮＣＴサブフレームを認識又は使用する能力を有していない。
【０１１３】
Ｓ２．基地局が、第２のＵＥのサービスボリューム及び第２のＵＥによりサポートされるサブフレームタイプに従って、第１のキャリア上にＮＣＴサブフレーム及び後方互換サブフレームを設定する。
【０１１４】
具体的には、前述のステップＳ２は、下記の３つの方法のうちの少なくとも１つを使用することにより実施され得る。
（１）基地局が、第１のキャリアによりサービスされる第１のタイプのＵＥの総計のサービスボリュームがしきい値Ｔ１より少ないことを判定し、そして、第１のキャリア上の全てのサブフレームをＮＣＴサブフレームとして設定し、ここで、第１のタイプのＵＥは後方互換サブフレームをサポートするＵＥである、又は、
（２）基地局が、第１のキャリアによりサービスされる第２のタイプのＵＥの総計のサービスボリュームがしきい値Ｔ２より少ないことを判定し、第１のキャリアによりサービスされる第１のタイプのＵＥのサービスボリュームがしきい値Ｔ１より多いことを判定し、そして、第１のキャリア上の全てのサブフレームを後方互換サブフレームとして設定し、ここで、第２のタイプのＵＥはＮＣＴサブフレームをサポートするＵＥである、又は、
（３）基地局が、第１のキャリアによりサービスされる第１のタイプのＵＥの総計のサービスボリュームがしきい値Ｔ１より多いか若しくはしきい値Ｔ１に等しいことを判定し、第１のキャリアによりサービスされる第２のタイプのＵＥの総計のサービスボリュームがしきい値Ｔ２より多いか若しくはしきい値Ｔ２に等しいことを判定し、そして、第１のキャリア上にＮＣＴサブフレーム及び後方互換サブフレームの両方を設定する。
【０１１５】
この実施例において提供される方法は、古いリリースのＵＥ及び新しいリリースのＵＥがセル内に共存する場合に適用できる。さらに、もしセル内の全てのＵＥが古いリリースのＵＥであるならば、基地局は、セル内の全てのキャリアを後方互換キャリアとして設定することができ、もしセル内の全てのＵＥが新しいリリースのＵＥであるならば、基地局は、キャリアリソースの利用を改善するために、セル内の全てのキャリアをＮＣＴキャリアとして設定することができる。たとえセル内に古いリリースのＵＥ及び新しいリリースのＵＥが共存するとしても、セル内の古いリリースのＵＥのサービスボリューム及び新しいリリースのＵＥのサービスボリュームに従って、基地局は実装された方法を使用することにより各キャリアのタイプを設定し得る、ということが更に考察されることができる。いくつかのキャリアは後方互換キャリアであり得るとともに、いくつかのキャリアはＮＣＴキャリアであり得る。しかしながら、この方法は、主として、基地局が複数のキャリアを配置する場合に適用でき、そして１つのキャリアだけが配置される場合に実施されることができない。さらに、この実施例では、古いリリースのＵＥのサービスボリュームがしきい値Ｔ１より多いか若しくはしきい値Ｔ１に等しいとともに、新しいリリースのＵＥのサービスボリュームがしきい値Ｔ２より多いか若しくはしきい値Ｔ２に等しい場合に、少なくとも１つのキャリアは、特別なＮＣＴキャリアとして設定され得るとともに、後方互換サブフレーム及びＮＣＴサブフレームの両方はこの特別なＮＣＴキャリアに含まれる。
【０１１６】
例えば、セル内の古いリリースのＵＥのサービス品質を保証するとともに、できる限りキャリアリソースの効率及びスペクトルの利用を改善するために、この実施例では、少なくとも１つのキャリアが特別なＮＣＴキャリアとして設定され得るとともに、後方互換サブフレーム及びＮＣＴサブフレームの両方はこの特別なＮＣＴキャリアに含まれる。この特別なＮＣＴキャリアに関して、古いリリースのＵＥのサービスボリュームはしきい値Ｔ１より多いか若しくはしきい値Ｔ１に等しいかもしれず（Ｔ１は、０より大きいか若しくは０に等しい定量化されたサービスボリューム値である）、新しいリリースのＵＥのサービスボリュームはしきい値Ｔ２より多いか若しくはしきい値Ｔ２に等しいかもしれない（Ｔ２は、０より大きいか若しくは０に等しい定量化されたサービスボリューム値である）。具体的には、基地局は、Ｔ１及びＴ２の値（Ｔ１とＴ２との間の割合関係、Ｔ１対Ｔ２の比率などを含む）に従って、特別なＮＣＴキャリア上の後方互換サブフレーム及びＮＣＴサブフレームの設定を判定し得る。任意に、特定の実施プロセスでは、Ｔ１及びＴ２の値は、ＵＥのサービス品質のためのオペレータの要求、及びキャリアリソース利用のためのオペレータの要求に従って設定されることができ、それは、この明細書では具体的に限定されない。さらに、１つより多いキャリアが特別なＮＣＴキャリアとして設定される場合に、各キャリアに関するＴ１及びＴ２の値は、別々に設定され得るとともに、具体的には、基地局アルゴリズム、各キャリアを使用するためのオペレータの要求などを使用することにより判定される。
【０１１７】
さらに、ＵＥに関するサービス負荷が比較的低い場合に、基地局は、いくつかのキャリアをＮＣＴキャリアとして設定し得るか、又は、少なくとも１つのキャリアを特別なＮＣＴキャリアとして設定し、大部分のサブフレームをＮＣＴサブフレームとして設定し得る。この方法を使用することにより、ＮＣＴサブフレームが比較的少ない量の共通参照信号だけを伝送する必要がある（加えて、制御チャネルの伝送が削減されることができる）ので、全体の通信ネットワークにおける干渉が削減されることができ、省エネルギーが同様に促進される。
【０１１８】
ステップＳ１及びＳ２は、方法を実施する基地局には任意であり得る、ということに注意する必要がある。
【０１１９】
３０２．基地局が、動的なシグナリングを使用することにより第１のＵＥに第１のキャリアのサブフレーム設定情報を送信する。
【０１２０】
第１のＵＥは、この実施例では、好ましくは新しいリリースのＵＥである、ということに注意する必要がある。
【０１２１】
具体的には、動的なシグナリングを使用することにより、基地局は、リアルタイムでセル内の古いリリースのＵＥ及び新しいリリースのＵＥのサービスボリュームを整合することができ、さらに、サブフレームタイプの設定を実行し、ここで、サブフレームタイプはＮＣＴサブフレーム及び／又は後方互換サブフレームを含み、それにより、システムリソースの設定及び使用を最適化する。特にユーザの量が比較的少ない異種ネットワークにおける小さなセルのシナリオにおいて、動的な設定は、ＵＥタイプ及びサービスボリュームに従って実行されることができ、それは、セルにおけるキャリアリソースの効率及びスペクトルの利用を改善し、ＮＣＴの導入に起因するキャリア性能の向上を改善し、そして共通参照信号に起因する干渉及び負荷を削減することができる。
【０１２２】
この実施例において、基地局は、新しいリリースのＵＥに、第１のキャリアに関するサブフレーム設定情報の各ピースを送信することができ、新しいリリースのＵＥは、後方互換サブフレームをサポートして使用するばかりでなく、ＮＣＴサブフレームもサポートすることができるので、ＮＣＴサブフレームを認識して使用する能力を有する。さらに、基地局は、第１のキャリア上に後方互換サブフレームを設定するとともに、第１のキャリア上の後方互換サブフレームを古いリリースのＵＥにスケジュールし、そして、第１のキャリアを使用することによりネットワークと通信するように古いリリースのＵＥをサポートするために、古いリリースのＵＥにサービスをある程度提供し得る。具体的には、基地局は、第１のキャリアのサブフレーム設定情報を新しいリリースのＵＥに通知し、それにより、新しいリリースのＵＥは、サブフレーム設定情報に従って各サブフレームのタイプを判定するとともに、各サブフレームにおける信号伝送の内容及び方法を更に判定し、それは、第１のキャリア上のサブフレームにおいて基地局との通信及びデータ伝送を実行するために、新しいリリースのＵＥにとって都合が良い。
【０１２３】
それとは対照的に、このキャリアは、準静的な方法を使用することにより、ＮＣＴキャリア又は後方互換サブフレームとして設定されることができ、それは、具体的には、ネットワーク内の、古いリリースのＵＥに対する新しいリリースのＵＥの割合、並びに／又は、新しいリリースのＵＥ及び古いリリースのＵＥのサービスボリューム、並びに／又は、同様のものに従って判定され得る。この準静的な設定方法は、実装された方法において実行されることができ、新しいリリースのＵＥ及び古いリリースのＵＥは、新しいリリースのＵＥ及び古いリリースのＵＥによる信号／チャネルの検出及び復調に応じてこのキャリアの特性を学習し得るとともに、キャリアにアクセスして使用するかどうかを更に判定する。しかしながら、この準静的な設定方法にとって、端末の量における動的な変化、及び端末サービスにおける動的な変化に起因する影響に適合及び適応することは比較的難しい。特に端末の量が比較的少ない場合において、端末サービスにおける変動は比較的明白である。この場合、負荷バランスがうまく実行されることができず、ネットワークが、最適なアルゴリズムを使用することにより、存分に新しいキャリアタイプ及び後方互換のキャリアタイプを設定することができないので、ネットワークの性能が悪化する。
【０１２４】
サービスが整合されず、又はより良い負荷バランスが達成されることができない準静的なキャリアタイプの方法における問題を克服するために、この実施例では、動的なシグナリングを使用することにより第１のキャリア上のサブフレームの設定をＵＥに通知する方法が主として使用される。動的なシグナリングは、サブフレームタイプの設定を実行するために、より迅速に、セル内の古いリリースのＵＥ及び新しいリリースのＵＥのサービスボリュームを整合することができる。特にユーザの量が比較的少ない異種ネットワークにおける小さなセルのシナリオにおいて、動的な設定は、ＵＥタイプ及びサービスボリュームに従って実行されることができ、それは、セルにおけるキャリアリソースの効率及びスペクトルの利用を改善し、ＮＣＴの導入に起因するキャリア性能の向上を改善し、そして共通参照信号に起因する干渉及び負荷を削減することができる。さらに、この方法は、古いリリースのＵＥ及び新しいリリースのＵＥのリソースの使用状況と負荷との間のバランスを柔軟に達成することができるばかりでなく、新しいネットワークにおける古いリリースのＵＥの作業及び使用を効果的にサポートするとともに、ネットワークの柔軟な発展とアップグレードをサポートすることもできる。
【０１２５】
具体的には、基地局は、設定された送信期間に従って動的なシグナリングを定期的に送信し得る。特定の時間−周波数リソース上で、基地局は動的なシグナリングを定期的に送信し、ＵＥは設定された期間に従って動的なシグナリングを受信する。このように、送信端及び受信端における実装アルゴリズムは単純化され得る。
【０１２６】
具体的には、サブフレーム設定情報を搬送するために使用される動的なシグナリングの送信期間は、下記の要因に従って考察され得る。各サブフレームにおいて、最も柔軟な方法は、現在のサブフレームの設定状態を示す、すなわち現在のサブフレームがＮＣＴサブフレームであるか又は後方互換サブフレームであるかを示す動的なシグナリングを送信することであり、それにより、ＵＥは、リアルタイムで現在のサブフレームのサブフレームタイプを正確に判定することができる。
【０１２７】
任意に、動的なシグナリングは、送信期間としてＮ個のサブフレームを使用するかもしれず、ここで、Ｎは１より大きい。このように、動的なシグナリングの伝送により引き起こされる過度のシグナリングオーバヘッドが削減されることができ、そして動的なシグナリングを復調するために使用される参照信号は、比較的柔軟に選択されることができる。具体的には、下記の説明に対する参照が行われ得る。この方法を使用することにより、ＵＥは各々のサブフレームを復調する必要がないので、ＵＥは、削減された複雑さにより処理をさらに実行することができる。
【０１２８】
さらに、古いリリースのＵＥに対するサポートを考慮すると、少なくとも非定期的なＣＳＩ測定に対するサポートを考慮して、設定は、同様に、好ましくは定期的な方法で実行される。基地局が非定期的なＣＳＩ測定を実行するように古いリリースのＵＥを誘発する場合に、古いリリースのＵＥがいくらかの将来のサブフレーム、すなわち誘発するシグナリングが受信されたあとでＣＳＩフィードバックが報告されるまえのいくらかのサブフレームにおいて測定を実行するので、全てのこれらの対応するサブフレームは、古いリリースのＵＥによりＣＳＩを報告することの正確度を保証するために、後方互換サブフレームであるべきである。その上、概して、基地局で実行されるスケジューリングは、ある程度進歩することができ、例えば、基地局は、前もっていくらかのサブフレームをスケジュールし得るとともに、前もってこの期間にサブフレームのタイプを更に判定し得るが、しかし、同様に、基地局により実行されるスケジューリングの過度の制限を回避し、そして、時間内に現在のサービス要求をフィードバックすることができ、この期間は過度に長くなるはずがない。
【０１２９】
具体的には、この実施例において、動的なシグナリングは、物理レイヤシグナリングを使用することにより送信されることができ、物理レイヤシグナリングは、第１の物理レイヤチャネルを通して送信されるとともに、指定の時間−周波数リソース及び指定のコーデック伝送方法が、第１の物理レイヤチャネルに関して事前設定される。動的なシグナリングが物理レイヤシグナリングを使用することにより送信される場合に、ステップ３０２は、具体的に、基地局により、物理レイヤシグナリングを使用して、新しいリリースのＵＥに、第１の物理レイヤチャネルを通して第１のキャリアのサブフレーム設定情報を送信することになる。
【０１３０】
動的なシグナリングは、物理レイヤシグナリングを使用することにより送信され、それにより、各サブフレームのサブフレームタイプが、キャリアにおいて、古いリリースのＵＥと新しいリリースのＵＥとの比率、及びネットワークにおける古いリリースのＵＥと新しいリリースのＵＥに対応するサービスにおける変化に迅速に適応するように、比較的動的でかつ柔軟な方法で設定されるとともに変更されることができ、それにより、ネットワークリソースは効果的に使用される、ということに注意する必要がある。さらに、ネットワークに関するサービス負荷が比較的低い場合に、大部分のサブフレームは、ＮＣＴサブフレームとして設定され得る。このように、ＮＣＴサブフレームに起因して削減される共通参照信号及び制御チャネルの伝送は、全体のネットワークにおける干渉を効果的に削減するとともに、ネットワークのためのエネルギーを節約するために有意に機能し、そして通信システムは、ＮＣＴキャリアに起因するシステム性能の向上を獲得することができる。
【０１３１】
さらに、動的なシグナリングは、主として、サブフレーム設定情報を搬送するとともに、各サブフレームの使用状態は、セル固有の性質である。従って、サブフレーム設定情報を搬送するシグナリングを、セル固有のチャネルを使用することによりブロードキャスト形式で送信することは、好ましい解決法である。このように、セルにおいて、シグナリングを構文解析する能力を有する全てのＵＥは、シグナリングにおいて搬送される情報を使用することにより、サブフレーム設定情報を獲得することができる。
【０１３２】
好ましくは、第１の物理レイヤチャネルは、物理制御フォーマットインジケータチャネルＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ、物理制御フォーマットインジケータチャネル）の時間−周波数リソースと同じ時間−周波数リソースを使用し得る。このように、ＰＣＦＩＣＨ上でセル固有チャネル伝送メカニズムを多重化することが実行され得るとともに、この実施方法では、現行のシステムの制御チャネル構造を多重化することにより、標準作業が単純化されることができるとともに、性能が保証されることができる。新しいリリースのＵＥは、ＰＣＦＩＣＨ上で実行される復調及び復号をサポートしたので、ＵＥの実施は単純化される。さらに、ＵＥのデータチャネルＰＤＳＣＨは、同様に、オリジナルの方法を再使用することによりマッピングされることができ、すなわち、ＵＥがＰＤＳＣＨを復調する場合に、ＰＣＦＩＣＨにより占有される時間−周波数リソースのレートマッチングが考察される必要がある。したがって、この実施例において提供される方法は、ＵＥ側での実施を容易にすることができる方法である。
【０１３３】
この実施例では、下記が更に含まれ得る。基地局が物理レイヤシグナリングを使用することにより動的なシグナリングを送信する場合に、基地局は、第１のキャリアにおける各送信期間内の予め定義された位置を判定し、上記位置におけるサブフレームを第１のサブフレームとして判定し、第１のサブフレームにおいてセル共通参照信号を伝送することができ、基地局は、第１のサブフレームにおいて、第１の物理レイヤチャネルを通して、ＵＥに動的なシグナリングを送信することができ、ここで、第１のサブフレームにおいて搬送されるセル共通参照信号は、第１の物理レイヤチャネルを復調するためにＵＥにより使用される。
【０１３４】
この実施例における物理レイヤシグナリングは、セル固有のシグナリングであり、それにより、シグナリングを構文解析する能力を有するセル内の全てのＵＥは、シグナリングを使用することにより第１のキャリアのサブフレーム設定情報を獲得することができ、さらに基地局と通信することができる。セル固有のシグナリングは、同様にセル固有参照信号を使用することにより復調される必要があるセル固有のチャネルを通して送信される。具体的には、セル固有参照信号を使用するための異なる方法が存在するとともに、第１のサブフレームを判定するための異なる方法が存在し、すなわち、物理レイヤシグナリングは、第１のサブフレームにおいて伝送されるとともに、第１のキャリアに関するサブフレーム設定情報を示すために使用され、それらは、別々に、実例を使用することにより下記で詳細に説明される。
【０１３５】
１つの方法において、第１の物理レイヤチャネルは、後方互換サブフレームにおいて搬送されることにより送信されるとともに、（ＣＲＳのような）現在のセル共通参照信号を使用することにより復調され、ここで、第１のサブフレームは後方互換サブフレームである。この場合、ＵＥは、チャネル推定及び復調を実行するために、１つより多いＣＲＳポートに関する情報を使用し得るとともに、ＣＲＳポートの量は、具体的には、後方互換サブフレームにおけるセルのＣＲＳ設定情報によって変わる。
【０１３６】
任意に、古いリリースのＵＥのために、送信されたＰＣＦＩＣＨは、ＰＤＣＣＨシンボルの量だけを示すために使用され得る。この方法を使用することにより、ＰＣＦＩＣＨのチャネル構造を多重化することを目的としているが、しかし新しいＵＥのサブフレームタイプを示すためにそのあとで再使用される、本発明におけるシグナリングと、オリジナルのシグナリングとの間の混同を回避するために、古いリリースのＵＥは、ダウンリンク制御チャネルＰＤＣＣＨシンボルの量を判定し得る。
【０１３７】
任意に、別の方法が使用され得る。古いリリースの全てのＵＥのためにクロスキャリアスケジューリングが使用されるとともに、１つのキャリア上のデータ伝送をスケジュールするＰＤＣＣＨは、別のキャリア上で搬送され得る。このように、古いリリースのＵＥは、現在のキャリアのＰＤＣＣＨを復調する必要がなく、そしてさらに、ＰＤＣＣＨシンボルの量を判定するために古いリリースのＬＴＥシステムにより設計されたＰＣＦＩＣＨを復調する必要がない。この方法は、古いリリースのＵＥに関する負担を削減することができる。新しいリリースのＵＥのために、現在のＰＣＦＩＣＨは、ＰＤＣＣＨシンボルの量を示す情報を搬送するばかりでなく、サブフレーム設定を示す情報も搬送する。
【０１３８】
任意に、別の方法において、レイヤ１の物理レイヤチャネルは、ＮＣＴサブフレームにおいて搬送されることにより送信される。相当するように、第１のサブフレームはＮＣＴサブフレームであり、そしてこの場合、復調参照信号は、下記の２つの選択可能な方法において実施され得る。
【０１３９】
方法１：ＮＣＴサブフレームは、セル固有のＥＰＤＣＣＨチャネルをさらに搬送する必要があり、その場合に、これらのチャネルは、同様に、セル固有参照信号を使用することにより復調される必要がある。このように、第１の物理レイヤチャネルは、同様に、参照信号を多重化することにより復調され得る。この場合、レイヤ１における物理レイヤチャネルの伝送問題が考察される必要があり、オリジナルのシステムにより設計されたＰＣＦＩＣＨの時間−周波数リソースが伝送には不適切であるという潜在的な可能性がある、ということに注意する必要がある。セル固有のＥＰＤＣＣＨは、主として、いくつかの周波数帯域リソースで伝送されるので、伝送は、制御チャネルの共通検索空間において実行される、ということが考えられ得る。しかしながら、具体的には、オリジナルのシステムの制御チャネル及びＰＣＦＩＣＨの共通検索空間は、異なる周波数ドメインリソースを占有し得る。任意に、一方では、制御チャネルの共通検索空間がサブフレーム設定情報を搬送する準ＰＣＦＩＣＨチャネルにより占有される周波数リソースを含む必要があるという制限があるかもしれず、他方では、サブフレーム設定情報を搬送する準ＰＣＦＩＣＨチャネルにより占有される周波数リソースが制御チャネルの共通検索空間内に位置付けられる必要があるという制限があるかもしれない。これらの２つの制限は、ＥＰＤＣＣＨ、及び実際に占有されるリソースユニットの伝送に影響を及ぼす。さらに、サブフレーム設定情報を搬送する準ＰＣＦＩＣＨチャネルをマッピングするための新しい方法が潜在的に設計される必要があるか、又は、制御チャネルの共通検索空間のリソース割り当てに対して制限が潜在的に設定される。
【０１４０】
方法２：伝送を実行するためにレイヤ１の物理レイヤチャネルが選択される復調参照信号に関して、別の実施例では、時間及び周波数トラッキングのために使用されるセル固有参照信号は、サブフレーム設定情報を搬送する準ＰＣＦＩＣＨチャネルの参照信号として使用される。ＮＣＴサブフレームにおいて、時間及び周波数トラッキングのために使用される参照信号は、同様に、セル固有参照信号であり得るとともに、時間及び周波数トラッキングの性能を保証するために、比較的広い周波数帯域の占有によって送信され得る。ＣＲＳ又はＣＳＩ−ＲＳが具体的に時間及び周波数トラッキングのために使用される参照信号として使用されるかどうかにかかわらず、差異は、これらの参照信号のパターンにのみ存在し、これらの参照信号は、本質的にセル固有の信号であり、特定の時間−周波数粒度で送信され、それは、セル共通参照信号ＣＲＳを一例として使用することにより簡単に説明され得る。特定のＮＣＴにおいて、このＣＲＳは、主として、時間及び周波数トラッキングを実行するために使用され得るとともに、伝送の密度を潜在的に削減し得る。例えば、１つだけのＲＳポートが使用されるとともに、送信は５つのサブフレーム毎に１回実行される。この場合、サブフレーム設定情報を搬送する準ＰＣＦＩＣＨチャネルは、この参照信号を使用し得る。準ＰＣＦＩＣＨチャネルの性能を更に改善するために、送信されるビットの量と、古いリリースのシステムにおいてＰＣＦＩＣＨ上のＰＤＣＣＨシンボルの量を示すために使用されるビットの量との間に差異が存在し得る。しかしながら、ビットの量を削減することは、シグナリングの示される量に影響を及ぼす。したがって、示されるサブフレーム設定情報の柔軟性と性能は、バランスがとれている必要がある。さらに、この方法の利点は、サブフレーム設定情報を搬送する準ＰＣＦＩＣＨチャネルを伝送するために使用されるサブフレームが、同様に、後方互換サブフレームとして実際に設定され得る、ということである。新しいリリースのＵＥは、そのサブフレームがＮＣＴサブフレームであったかのように、まだ復調を実行し、それは、このチャネルの性能に影響を及ぼさないとともに、このサブフレームの設定にも制限を課さない。ＮＣＴサブフレームにおいて送信されるＣＲＳが確かに後方互換サブフレームにおいて送信されるＣＲＳのサブセットであるので、このサブフレームは、ＮＣＴサブフレームとして設定され得るか、又は、後方互換サブフレームとして設定され得る。もしこのサブフレームタイプの設定の柔軟性が実際に許容されるならば、新しいリリースのＵＥのために、現在のＰＣＦＩＣＨは、ＰＤＣＣＨシンボルの量を示す情報を搬送するばかりでなく、サブフレーム設定を示す情報も搬送する。したがって、ジョイントコーディングが実行される必要がある。しかしながら、ＰＤＣＣＨシンボルの量を示す情報は同じままであり、各状態は、特定のサブフレーム設定情報を更に示す必要があり得る。さらに、古いリリースのＵＥのために、送信されたＰＣＦＩＣＨは、ＰＤＣＣＨシンボルの量だけを示すために使用される。任意に、別の方法が使用され得る。古いリリースの全てのＵＥのためにクロスキャリアスケジューリングが使用されるとともに、１つのキャリア上のデータ伝送をスケジュールするＰＤＣＣＨは、別のキャリア上で搬送され得る。このように、古いリリースのＵＥは、現在のキャリアのＰＤＣＣＨを復調する必要がなく、そしてさらに、ＰＤＣＣＨシンボルの量を判定するために古いリリースのシステムにより設計されたＰＣＦＩＣＨを復調する必要がない。クロスキャリアスケジューリング能力を有する古いリリースのＵＥがこの方法において必要とされる。クロスキャリアスケジューリングが古いリリースのＵＥの問題を解決するために使用される場合に、新しいリリースのＵＥのために、このサブフレームにおいて送信されるＰＣＦＩＣＨチャネルは、サブフレーム設定情報だけを示し得るとともに、古いリリースのＬＴＥシステムにおける、元来ＰＤＣＣＨシンボルの量を示すために使用される情報と、必ずしも多重化される必要があるとは限らない。この場合、このサブフレームは、まだＮＣＴサブフレーム又は後方互換サブフレームとして支援的に設定され得る、ということに注意が必要かもしれない。システム設定は柔軟であり、この方法は、代表的な方法である。
【０１４１】
任意に、基地局は、準静的なシグナリング方法における各送信期間内の第１のサブフレームの位置を判定し得る。この場合、レイヤ１における物理レイヤチャネルは、後方互換サブフレーム又はＮＣＴサブフレームにおいて搬送されることにより送信され得る。具体的には、第１のサブフレームがレイヤ１における物理レイヤチャネルを伝送するために使用されるということが、各送信期間における基地局により判定される第１のサブフレームの位置、及びレイヤ１における物理レイヤシグナリングにおいて搬送される、第１のサブフレームの位置に対応するサブフレームタイプに従って、共同して判定される。具体的には、第１のサブフレームは、準静的なシグナリングを使用することにより設定され得る。レイヤ１における物理レイヤチャネルを復調するために使用される参照信号は、同様に、準静的なシグナリングを使用することにより設定され得るか、又は、第１のサブフレームのサブフレームタイプに従って、レイヤ１における物理レイヤチャネルに対応するとともに復調するために使用される参照信号が使用される、ということが予め定義され得る。
【０１４２】
さらに、この実施例において、第１のキャリアのサブフレーム設定情報は少なくとも１ビットであり、サブフレーム設定情報は、下記の、
（ａ）現在の送信期間における全てのサブフレームがＮＣＴサブフレームである、
（ｂ）現在の送信期間における全てのサブフレームが後方互換サブフレームである、
（ｃ）現在の送信期間において、第１のサブフレームが後方互換サブフレームであり、第１のサブフレームを除くほかのサブフレームがＮＣＴサブフレームである、
（ｄ）現在の送信期間において、セル共通参照信号が伝送されるサブフレームが後方互換サブフレームであり、ほかのサブフレームがＮＣＴサブフレームである、
（ｅ）現在の送信期間において、必ずしも全てのサブフレームがＮＣＴサブフレーム又は後方互換サブフレームであるとは限らない場合に、全てのサブフレームのサブフレームタイプが予め定義され、ここで、サブフレームタイプはＮＣＴサブフレーム又は後方互換サブフレームを含む、及び、
（ｆ）現在の送信期間におけるサブフレームがＲＲＣシグナリングを使用することにより事前設定されるサブフレームである、
という複数のサブフレーム設定例のうちのいずれか１つを示すために使用される。
【０１４３】
さらに、具体的には、第１のキャリアのサブフレーム設定情報が１ビットである場合に、２つのタイプの状態情報が、第１のキャリアのサブフレーム設定情報を示すために搬送されることができる。１つの方法において、１ビットにより示された１つの状態は、現在の送信期間における全てのサブフレームがＮＣＴサブフレームである、ことを示すために使用され、もう一方の状態は、現在の送信期間における全てのサブフレームが後方互換サブフレームである、ことを示すために使用される。この事例は、比較的簡単であり、システムは、これらの２つの状態の定義を予め定義することだけが必要があり、そして、指示において支援するための追加のシグナリングを必要としない。システムにおける古いリリースのＵＥ又は新しいリリースのＵＥの大きな量のサービスが伝送される必要がある場合に、できる限り早くデータ伝送を完了するために、同じサブフレームタイプが集合的に設定される。
【０１４４】
上記で言及された方法に加えて、さらに、１ビットにより示された２つの状態情報は、下記の、
（ａ）現在の送信期間における全てのサブフレームがＮＣＴサブフレームである、
（ｂ）現在の送信期間における全てのサブフレームが後方互換サブフレームである、
（ｃ）現在の送信期間において、第１のサブフレームが後方互換サブフレームであり、第１のサブフレームを除くほかのサブフレームがＮＣＴサブフレームである、
（ｄ）現在の送信期間において、セル共通参照信号が伝送されるサブフレームが後方互換サブフレームであり、ほかのサブフレームがＮＣＴサブフレームである、
（ｅ）現在の送信期間において、必ずしも全てのサブフレームがＮＣＴサブフレーム又は後方互換サブフレームであるとは限らない場合に、全てのサブフレームのサブフレームタイプが予め定義され、ここで、サブフレームタイプはＮＣＴサブフレーム又は後方互換サブフレームを含む、及び、
（ｆ）現在の送信期間におけるサブフレームがＲＲＣシグナリングを使用することにより事前設定されるサブフレームである、
という６つの事例のあらゆる２つの組み合わせであり得る。
【０１４５】
サブフレーム設定情報が１ビットである場合に、古いリリースのＬＴＥシステムにおけるＰＣＦＩＣＨチャネルがＰＤＣＣＨシンボルの量を示すために２ビットを伝送する場合と比較すると、伝送される情報のビットの量が削減されるので、チャネルの復調性能が改善されるとともに、より古いリリースのＬＴＥシステムにおける参照信号が潜在的にほとんど使用されないかもしれず、それは、チャネル推定及び復調性能に影響を及ぼす。これらの要因が総合的に考慮される場合に、１ビットでサブフレーム設定情報を伝送することは好ましい解決法であり、そして性能が保証され得る。
【０１４６】
任意に、さらにより多くの情報を搬送するために、具体的には、第１のキャリアのサブフレーム設定情報が２ビットである場合に、最大４つのタイプの状態情報が、第１のキャリアのサブフレーム設定情報を示すために搬送され得る。例えば、サブフレーム設定情報が２ビットである場合に、サブフレーム設定情報は、下記の、
（ａ）現在の送信期間における全てのサブフレームがＮＣＴサブフレームである、
（ｂ）現在の送信期間における全てのサブフレームが後方互換サブフレームである、
（ｃ）現在の送信期間において、第１のサブフレームが後方互換サブフレームであり、第１のサブフレームを除くほかのサブフレームがＮＣＴサブフレームである、及び、
（ｄ）現在の送信期間におけるサブフレームがＲＲＣシグナリングを使用することにより事前設定されるサブフレームである、
という４つの事例を示すために使用される。
【０１４７】
上記で言及された方法に加えて、第１のキャリアのサブフレーム設定情報が２ビットである場合に、そして、２つのビットに対応する４つの状態のサブフレーム設定情報は、下記の、
（ａ）現在の送信期間における全てのサブフレームがＮＣＴサブフレームである、
（ｂ）現在の送信期間における全てのサブフレームが後方互換サブフレームである、
（ｃ）現在の送信期間において、第１のサブフレームが後方互換サブフレームであり、第１のサブフレームを除くほかのサブフレームがＮＣＴサブフレームである、
（ｄ）現在の送信期間において、セル共通参照信号が伝送されるサブフレームが後方互換サブフレームであり、ほかのサブフレームがＮＣＴサブフレームである、
（ｅ）現在の送信期間において、必ずしも全てのサブフレームがＮＣＴサブフレーム又は後方互換サブフレームであるとは限らない場合に、全てのサブフレームのサブフレームタイプが予め定義され、ここで、サブフレームタイプはＮＣＴサブフレーム又は後方互換サブフレームを含む、及び、
（ｆ）現在の送信期間におけるサブフレームがＲＲＣシグナリングを使用することにより事前設定されるサブフレームである、
という複数のサブフレーム設定例のうちのいずれか１つを示すために使用される。
【０１４８】
理解を容易にするために、この実施例は、第１のキャリアのサブフレーム設定情報が１ビット又は２ビットである実例を使用することにより更に説明され、送信期間は、時間及び周波数トラッキングを実行するために使用されるセル共通参照信号ＣＲＳの期間と同じであるとともに、５ｍｓであり、伝送は、古いリリースのシステムにおける準ＰＣＦＩＣＨチャネルのコーディング方法と同じコーディング方法で実行される。さらに、実例は、下記のように説明のために使用される。
【０１４９】
（１）第１のキャリアのサブフレーム設定情報が１ビットである場合に、サブフレーム設定情報は、好ましくは下記の、
（ａ）現在の送信期間における全てのサブフレームがＮＣＴサブフレームである、及び、
（ｂ）現在の送信期間における全てのサブフレームが後方互換サブフレームである、
という２つのサブフレーム設定例を示すために使用される。
【０１５０】
具体的には、サブフレーム設定情報を伝送することの正確度を保証するために、下記のテーブル１において示されたように、ＱＰＳＫ（Ｑｕａｄｒａｔｕｒｅ  Ｐｈａｓｅ  Ｓｈｉｆｔ  Ｋｅｙｉｎｇ、４位相偏移変調）が、３２ビットの要素系列に１ビットの情報をマッピングする変調を実行するために使用され得る。
【０１５１】
【表１】
2016531501.tif 000003
【０１５２】
第１のキャリア上のサブフレームのサブフレームタイプは、“０”及び“１”で表され得る。この実施例において、“０”は後方互換サブフレームを表し、そして“１”はＮＣＴサブフレームを表す。
【０１５３】
具体的には、テーブル１において示されたように、設定情報状態１は、現在の送信期間における全てのサブフレームがＮＣＴサブフレームであることを示し、そして、設定情報状態２は、現在の送信期間における全てのサブフレームが後方互換サブフレームであることを示す。
【０１５４】
前述のテーブル１は、送信期間が５ｍｓである実例を使用することにより示され、したがって、各送信期間は５つのサブフレームを含む、ということに注意する必要がある。テーブル１において示された２つのタイプのサブフレーム設定例は、実例目的のためだけに使用されるとともに、この実施例は、実際のアプリケーションにおけるサブフレーム設定状態に全く制限を設けない、ということが強調されるべきである。
【０１５５】
（２）第１のキャリアのサブフレーム設定情報が２ビットである場合に、サブフレーム設定情報は、下記の、
（ａ）現在の送信期間における全てのサブフレームがＮＣＴサブフレームである、
（ｂ）現在の送信期間における全てのサブフレームが後方互換サブフレームである、
（ｃ）現在の送信期間において、第１のサブフレームが後方互換サブフレームであり、第１のサブフレームを除くほかのサブフレームがＮＣＴサブフレームである、及び、
（ｄ）現在の送信期間におけるサブフレームがＲＲＣシグナリングを使用することにより事前設定されるサブフレームである、
という４つの事例を示すために使用される。
【０１５６】
具体的には、サブフレーム設定情報を伝送することの正確度を保証するために、下記のテーブル２において示されたように、ＱＰＳＫ（Ｑｕａｄｒａｔｕｒｅ  Ｐｈａｓｅ  Ｓｈｉｆｔ  Ｋｅｙｉｎｇ、４位相偏移変調）が、３２ビットの要素系列に２ビットの情報をマッピングする変調を実行するために使用され得る。
【０１５７】
【表２】
2016531501.tif 000004
【０１５８】
第１のキャリア上のサブフレームのサブフレームタイプは、“０”及び“１”で表され得る。この実施例において、“０”は後方互換サブフレームを表し、そして“１”はＮＣＴサブフレームを表す。
【０１５９】
具体的には、テーブル２において示されたように、設定情報状態１は、現在の送信期間における全てのサブフレームがＮＣＴサブフレームであることを示し、設定情報状態２は、現在の送信期間における全てのサブフレームが後方互換サブフレームであることを示し、設定情報状態３は、第１のサブフレームが後方互換サブフレームであり、第１のサブフレームを除くほかのサブフレームがＮＣＴサブフレームであることを示し、そして、設定情報状態４は、現在の送信期間における全てのサブフレームのサブフレームタイプがＲＲＣブロードキャスト／ユニキャストシグナリングを使用することにより事前設定され得ることを示す。
【０１６０】
前述のテーブル２は、送信期間が５ｍｓである実例を使用することにより説明され、したがって、各送信期間は５つのサブフレームを含む、ということに注意する必要がある。テーブル２において示された４つのタイプのサブフレーム設定例は、実例目的のためだけに使用されるとともに、この実施例は、実際のアプリケーションにおけるサブフレーム設定状態に全く制限を設けない、ということが強調されるべきである。
【０１６１】
さらに任意に、ステップ３０２のまえに、当該方法は、下記の、基地局により、第１のキャリアがＮＣＴサブフレーム及び後方互換サブフレームを含むことを判定し、準静的なシグナリングを新しいリリースのＵＥに送信するステップであって、準静的なシグナリングが、新しいリリースのＵＥが第１の物理レイヤチャネルを通して基地局により送信される動的なシグナリングを受信するかどうかを示すために使用されるステップ、という任意のステップを更に含む。
【０１６２】
具体的には、基地局は、ＭＩＢ（Ｍａｓｔｅｒ  Ｉｎｆｏｒｍａｔｉｏｎ  Ｂｌｏｃｋ、マスタ情報ブロック）又はＳＩＢ（Ｓｙｓｔｅｍ  Ｉｎｆｏｒｍａｔｉｏｎ  Ｂｌｏｃｋ、システム情報ブロック）に準静的なシグナリングを追加し、準静的なシグナリングをブロードキャスト形式で新しいリリースのＵＥに送信することができるか、又は、基地局は、準静的なシグナリングをユニキャスト形式で新しいリリースのＵＥに送信することができ、例えば、基地局は、専用のＲＲＣシグナリングを使用することにより、準静的なシグナリングを新しいリリースのＵＥに送信することができる。
【０１６３】
具体的には、この実施例において、基地局は、セル内の新しいリリースのＵＥ及び古いリリースのＵＥの量における変化に従う準静的な方法で、ＮＣＴサブフレーム及び後方互換サブフレームの両方が第１のキャリア上に設定されたかどうかを判定し得る。例えば、もしセルにおける全てのＵＥが新しいリリースのＵＥであるならば、基地局は、セル内の全てのキャリアをＮＣＴキャリアとして設定することができ、もしセルにおける全てのＵＥが古いリリースのＵＥであるならば、基地局は、セル内の全てのキャリアを後方互換キャリアとして設定することができ、もしセル内に新しいリリースのＵＥと古いリリースのＵＥが共存するならば、基地局は、セル内の全て又はいくつかのキャリアを特別なＮＣＴキャリアとして設定することができる。
【０１６４】
具体的には、基地局は、準静的なシグナリングを使用することにより、現在のキャリアがＮＣＴサブフレーム及び後方互換サブフレームの両方の設定をサポートしているかどうかを設定することができ、それは、ＮＣＴキャリア及び特別なＮＣＴキャリアが、相互に交換されるとともに、準静的なシグナリングを使用することにより設定されることができ、サブフレーム設定情報を搬送する動的なシグナリングがＮＣＴキャリア上で伝送及び送信される必要がないことを意味する。もしＮＣＴキャリアが特別なＮＣＴキャリアであることを無効にされるならば、それは、このＮＣＴキャリアが全く古い端末をサポートしないかもしれないことを意味し、すなわち、シグナリング及びチャネルを送信することが無効にされ、それは、本質的に、各サブフレームがＮＣＴサブフレームであり、シグナリングが通知を行うのに必要とされず、新しい端末はキャリアが新しいキャリアタイプのみであることを学習する、ことを暗に示す。もしＮＣＴキャリアが特別なＮＣＴキャリアであることを有効にされるならば、２つのサブフレームタイプ、ＮＣＴサブフレーム及び後方互換サブフレームを設定するための特定の情報が、本発明における方法を使用することにより通知され得る。サブフレーム設定情報を搬送する動的なシグナリングが、この特別なＮＣＴキャリア上で伝送及び送信される必要がある。ＵＥは、シグナリングを構文解析することにより、新しい端末が各サブフレームタイプを学習することを更に可能にするとともに、サブフレームの中のＣＲＳのような信号の設定状態及び伝送状態を更に判定し、それにより、新しい端末は、異なるサブフレームタイプにおける信号の伝送に従って、信号を送信及び受信する処理を別々に実行する。
【０１６５】
もし新しいリリースのＵＥが、準静的なシグナリングを受け取り、そしてＮＣＴキャリアが特別なＮＣＴキャリアであることを有効にするならば、新しいリリースのＵＥは、特別なＮＣＴキャリア上のＮＣＴサブフレーム及び後方互換サブフレームの設定情報を判定するために、動的なシグナリングを、監視するとともに、第１の物理レイヤチャネルを通して受け取る必要があり、もし新しいリリースのＵＥが、準静的なシグナリングを受け取らなかった、又は、新しいリリースのＵＥが、準静的なシグナリングを受け取り、そしてＮＣＴキャリアが特別なＮＣＴキャリアであることを無効にするならば、新しいリリースのＵＥは、デフォルト設定で、ＮＣＴサブフレーム及び後方互換サブフレームの設定情報を搬送するために使用される動的なシグナリングを基地局が伝送しないとみなす。さらに、基地局は、元来動的なシグナリングを搬送するために使用されることができる第１の物理レイヤチャネルリソースを使用することにより、通常のＰＤＳＣＨデータ又は他の内容を伝送することができ、ＵＥと基地局は同じ理解を有する。元来動的なシグナリングを搬送するために使用されることができる第１の物理レイヤチャネルリソースを使用することにより通常のＰＤＳＣＨデータ又は他の内容を伝送するために、新しいリリースのＵＥは、リソースの使用効率を保証するように、第１の物理レイヤチャネルリソースから、ここでは限定されない基地局により送信されるデータ及び他の情報を受信し得る。
【０１６６】
３０３．新しいリリースのＵＥが、基地局により送信される動的なシグナリングを受信し、動的なシグナリングからサブフレーム設定情報を獲得し、サブフレーム設定情報に従って第１のキャリア上のサブフレームのサブフレームタイプを判定し、ここで、サブフレームタイプはＮＣＴサブフレーム及び／又は後方互換サブフレームを含み、各サブフレームのサブフレームタイプに従って各サブフレームにおいて伝送される信号及び／又はチャネル情報（例えばＣＲＳ情報など）を判定し、さらに、各サブフレームにおいて伝送される信号及び／又はチャネル情報に従って第１のキャリアを使用して通信を実行する。
【０１６７】
ＮＣＴサブフレーム及び後方互換サブフレームにおいて伝送されるＣＲＳ信号が異なるので、例えば、ＣＲＳポートの量における差異、第１のキャリア上のサブフレームのサブフレームタイプを判定したあとで、ＵＥは、各サブフレームのサブフレームタイプに従って、各サブフレームにおけるＣＲＳ信号の伝送状態を判定し、各サブフレームにおけるＣＲＳ信号の伝送状態に従って、信号を送信及び受信する処理を実施し得る、ということに注意する必要がある。具体的には、各送信期間において、ＣＲＳは第１のサブフレームにおいて伝送され、ここで、第１のサブフレームは、各送信期間内の指定された位置におけるサブフレームである。例えば、５ｍｓの伝送期間を有するＣＲＳがセル固有参照信号として使用される場合に、第１のキャリアの第１のサブフレームは、第１のキャリアにおける、“Ｍ  ｍｏｄ  ５”が０である番号Ｍを有するサブフレーム、すなわち、番号０を有するサブフレーム、番号５を有するサブフレーム、番号１０を有するサブフレーム・・・が、ＣＲＳが伝送される第１のサブフレームに設定される方法で判定され得る。
【０１６８】
ダウンリンク制御チャネルＰＤＣＣＨは、同様に、ＮＣＴサブフレーム及び後方互換サブフレームにおいて異なる方法で伝送され得る、ということに更に注意する必要がある。ＮＣＴサブフレームでは、概して、ダウンリンク制御チャネルＰＤＣＣＨは伝送されない。しかしながら、ＭＢＳＦＮサブフレーム又はＰＭＣＨサブフレームが同様にＮＣＴサブフレームに設定される１つの可能な特別な場合において、ダウンリンク制御チャネルＰＤＣＣＨが伝送される。後方互換サブフレームでは、ダウンリンク制御チャネルＰＤＣＣＨは各サブフレームにおいて伝送される。上記で列挙される信号及び／又はチャネルに加えて、別の信号及び／又はチャネルが更に含まれ得るとともに、これらの信号及び／又はチャネルは、全て予め定義され得る２つのタイプのサブフレーム、ＮＣＴサブフレーム及び後方互換サブフレームにおいて、異なる方法で伝送される。例えば、ＤＭＲＳに関して、ＮＣＴサブフレームにおけるＤＭＲＳのパターンは、後方互換サブフレームにおけるＤＭＲＳのパターンと異なり、ＮＣＴサブフレーム及び後方互換サブフレームは、シグナリングを使用することにより変更され、ＤＭＲＳのパターンは、異なるサブフレームに従って予め定義され、それにより、ＤＭＲＳのパターンは、同時に通知されることができ、それは、別の信号及びチャネルに更に適用でき、そして、詳細は１つずつここでは説明されない。
【０１６９】
好ましくは、各送信期間内の第１のサブフレームが動的なシグナリングと調和することを保証するために、第１の物理レイヤチャネルの送信期間は、第１のサブフレームの送信期間と同じであり、すなわち、第１のサブフレームの送信タイムスロットにおいて、動的なシグナリングは、第１の物理レイヤチャネルを通してＵＥに送信され、第１のサブフレームにおけるセル共通参照信号は、動的なシグナリングに関して復調を実行するために使用される。
【０１７０】
前述のステップ３０２から３０３は、新しいリリースのＵＥに適用でき、そして、任意に、ステップ３０１のあとで、古いリリースのＵＥが第１のキャリアを使用することを可能にするために、当該方法は、下記のステップを更に含む、ということに注意する必要がある。
【０１７１】
３０４．基地局が、第１のキャリアのサブフレーム設定情報に従って第１のキャリアにおける後方互換サブフレームをスケジュールするとともに、古いリリースのＵＥが通信を実行するために基地局によりスケジュールされた後方互換サブフレームを使用するように、いくつか又は全ての後方互換サブフレームを古いリリースのＵＥにスケジュールする。
【０１７２】
好ましくは、この実施例において、基地局は、古いリリースのＵＥにより使用されるように、第１のキャリアを補助キャリアとして設定する。具体的には、古いリリースのＵＥは、準静的なシグナリングに従って、ＰＣＦＩＣＨの検出に依存せずに、第１のキャリア上のデータ伝送のための開始位置を学習することができ、第１のキャリア上のデータ伝送のための開始位置を判定したあとで、古いリリースのＵＥは、アンカーキャリアのクロスキャリアスケジューリングに従って、第１のキャリア上でデータを送信することができる。さらに、この実施例において、基地局は、古いリリースのＵＥにより使用されるように、第１のキャリアをアンカーキャリアとして設定し得る。この場合、古いリリースのＵＥのアクセス及び使用を保証するために、ＭＩＢ及びＳＩＢのような共通システムメッセージがこのキャリア上で伝送される必要がある。この場合、ＬＴＥにおいて予め定義されるとともに、ＭＩＢを伝送するために、又は少なくともＳＩＢ１を伝送するために使用されるサブフレームは、後方互換サブフレームであることを確実に維持するべきであるとともに、ほかのサブフレームは、ＮＣＴサブフレームであり得る。具体的には、各サブフレームのサブフレームタイプは、この実施例における方法におけるシグナリングに従って更に判定され得る。
【０１７３】
任意に、ＣＲＳを搬送するＮＣＴサブフレームに関して、ＮＣＴサブフレームにおいて搬送されるＣＲＳは、ＣＲＳ密度を削減することにより獲得されたＣＲＳであり得るので、ＵＥにより（ＣＲＳを搬送する後方互換サブフレーム及びＮＣＴサブフレームを含む）サブフレームのＣＲＳ情報を判定することを簡略化するために、基地局は、第１のキャリアにおける各サブフレームのＣＲＳポート設定情報をＵＥに通知することができ、それにより、ＵＥは、ＣＲＳが第１のキャリアにおける各サブフレームにおいて伝送されるかどうかを判定するとともに、各サブフレームにおけるＣＲＳポート情報を判定する（一般に、後方互換サブフレームでは１つ／２つ／４つのＣＲＳポートが設定され、ＮＣＴサブフレームではＣＲＳポートは全く設定されないか、又は１つだけのＣＲＳポートが設定される）。具体的には、基地局は、ＭＩＢシグナリング又はＳＩＢシグナリングを使用することにより、各サブフレームにおいてＣＲＳポート設定情報をＵＥに送信し得る。各サブフレームにおいてＣＲＳポート設定情報を獲得したあとで、ＵＥは、第１のキャリア上の、ＣＲＳが伝送されるサブフレームからＣＲＳを獲得し、ＣＲＳに従って（データチャネル及び制御チャネルを少なくとも含む）チャネルに関する復調と測定を実行し、基地局と同期することができる。
【０１７４】
本発明のこの実施例において提供されるキャリア設定方法によれば、基地局が、第１のキャリア上にＮＣＴサブフレーム及び後方互換サブフレームを設定するとともに、ＵＥに第１のキャリアのサブフレーム設定メッセージを送信し、それにより、ＵＥは、第１のキャリア上のサブフレームのサブフレームタイプを判定する。したがって、古いリリースのＵＥ及び新しいリリースのＵＥに対する第１のキャリアの互換性が保証され、新しいリリースのＵＥ及び古いリリースのＵＥの両方は、第１のキャリアを使用して通信を実行することができる。本発明において提供される方法を使用することにより、オペレータは、古いリリースのＵＥが存在するセルにおいて、通信を実行するために、セル内のＵＥに対するＮＣＴサブフレームを配置することができ、それにより、ＮＣＴの導入に起因するキャリア性能の向上が獲得されることができ、セルにおけるキャリアリソースの利用が改善されることができ、そして、ＬＴＥの発展過程におけるＮＣＴキャリアの配置が、同様に促進される。
【０１７５】
「実施例４」
この実施例は、前述の図１から図３に示された実施例において基地局の方法を実施することができる基地局を提供する。図４において示されたように、この実施例において提供される基地局４０は、第１のキャリア上にニューキャリアタイプＮＣＴサブフレーム及び／又は後方互換サブフレームを設定し、第１のキャリア上のＮＣＴサブフレームの設定及び／又は後方互換サブフレームの設定に従って、第１のキャリアのサブフレーム設定情報を判定するように構成される設定モジュール４１と、動的なシグナリングを使用することにより、第１のＵＥに、設定モジュール４１により判定される第１のキャリアのサブフレーム設定情報を送信し、ここで、第１のキャリアのサブフレーム設定情報が第１のキャリアのサブフレーム設定情報に従って第１のキャリア上のサブフレームのサブフレームタイプを判定するために第１のＵＥにより使用され、第１のキャリア上のサブフレームのサブフレームタイプがＮＣＴサブフレーム及び／又は後方互換サブフレームを含み、そして、第１のキャリア上のサブフレームのサブフレームタイプに従って第１のキャリアを使用して通信を実行するように構成される送信モジュール４２とを含む。
【０１７６】
具体的には、送信モジュール４２は、設定された送信期間に従って動的なシグナリングを第１のＵＥに定期的に送信し、動的なシグナリングが第１のキャリアのサブフレーム設定情報を搬送する、ように構成される。
【０１７７】
さらに、図５において示されたように、基地局４０は、第１のキャリア内に存在する、少なくとも１つの第２のＵＥのサービスボリューム及び少なくとも１つの第２のＵＥによりサポートされるサブフレームタイプを判定するように構成される判定モジュール４３を更に含み、設定モジュール４１は、判定モジュール４３により判定される、第２のＵＥのサービスボリューム及び第２のＵＥによりサポートされるサブフレームタイプに従って、第１のキャリア上にＮＣＴサブフレーム及び／又は後方互換サブフレームを設定するように構成される。
【０１７８】
具体的には、設定モジュール４１は、第１のキャリアによりサービスされる第１のタイプのＵＥの総計のサービスボリュームがしきい値Ｔ１より少ないことを判定し、そして、第１のキャリア上の全てのサブフレームをＮＣＴサブフレームとして設定し、第１のタイプのＵＥが後方互換サブフレームをサポートするＵＥである、又は、第１のキャリアによりサービスされる第２のタイプのＵＥの総計のサービスボリュームがしきい値Ｔ２より少ないことを判定し、第１のキャリアによりサービスされる第１のタイプのＵＥのサービスボリュームがしきい値Ｔ１より多いことを判定し、そして、第１のキャリア上の全てのサブフレームを後方互換サブフレームとして設定し、第２のタイプのＵＥがＮＣＴサブフレームをサポートするＵＥである、又は、第１のキャリアによりサービスされる第１のタイプのＵＥの総計のサービスボリュームがしきい値Ｔ１より多いか若しくはしきい値Ｔ１に等しいことを判定し、第１のキャリアによりサービスされる第２のタイプのＵＥの総計のサービスボリュームがしきい値Ｔ２より多いか若しくはしきい値Ｔ２に等しいことを判定し、そして、第１のキャリア上にＮＣＴサブフレーム及び後方互換サブフレームの両方を設定する、ように構成される。
【０１７９】
任意に、送信モジュール４２は、動的なシグナリングを第１のＵＥに送信するまえに、準静的なシグナリングを第１のＵＥに送信し、準静的なシグナリングが動的なシグナリングを受信するように第１のＵＥに指示するために使用される、ように更に構成される。
【０１８０】
送信モジュール４２は、ＭＩＢ又はＳＩＢに準静的なシグナリングを追加し、準静的なシグナリングをＭＩＢ又はＳＩＢを使用することにより送信する、又は、準静的なシグナリングをユニキャスト形式で送信する、ように具体的に構成される。
【０１８１】
送信モジュール４２は、物理レイヤシグナリングを使用することにより動的なシグナリングを送信し、物理レイヤシグナリングが第１の物理レイヤチャネルを通して送信される、ように具体的に構成される。判定モジュール４３は、第１の物理レイヤチャネルを判定し、第１の物理レイヤチャネルが物理制御フォーマットインジケータチャネルＰＣＦＩＣＨの時間−周波数リソースと同じ時間−周波数リソースを使用する、ように更に構成される。
【０１８２】
設定モジュール４１は、セル共通参照信号を送信期間内に第１のサブフレームにおいて伝送し、第１のサブフレームにおいて搬送されるセル共通参照信号が第１の物理レイヤチャネルを復調するために第１のＵＥにより使用され、第１のサブフレームが動的なシグナリングを搬送する、ように更に構成される。
【０１８３】
１つの可能な具体的な実施方法において、設定モジュール４１により設定される第１のキャリアのサブフレーム設定情報は１ビットであり、サブフレーム設定情報は、下記の、現在の送信期間における全てのサブフレームがＮＣＴサブフレームである、及び、現在の送信期間における全てのサブフレームが後方互換サブフレームである、というサブフレーム設定例のうちの１つを示すために使用される。
【０１８４】
別の可能な具体的な実施方法において、設定モジュール４１により設定される第１のキャリアのサブフレーム設定情報は２ビットであり、サブフレーム設定情報は、下記の、現在の送信期間における全てのサブフレームがＮＣＴサブフレームである、現在の送信期間における全てのサブフレームが後方互換サブフレームである、現在の送信期間において、セル共通参照信号を伝送するために使用されるサブフレームが後方互換サブフレームであり、セル共通参照信号を伝送するために使用されるサブフレームを除くほかのサブフレームがＮＣＴサブフレームである、及び、現在の送信期間におけるサブフレームがＲＲＣシグナリングを使用することにより設定されるサブフレームである、というサブフレーム設定例のうちの１つを示すために使用される。
【０１８５】
前述の第１のＵＥは新しいリリースのＵＥであるか、又は、前述の第１のＵＥはＮＣＴサブフレームをサポートする及び／若しくは使用することができるＵＥである、ということに注意する必要がある。
【０１８６】
第２のＵＥは、第１のタイプのＵＥに属するＵＥ及び／又は第２のタイプのＵＥに属するＵＥを含むことができ、第１のタイプのＵＥは後方互換サブフレームをサポートするＵＥであり、第２のタイプのＵＥはＮＣＴサブフレームをサポートするＵＥである、ということに注意する必要がある。
【０１８７】
本発明のこの実施例において提供される基地局によれば、ＮＣＴサブフレーム及び後方互換サブフレームが第１のキャリア上に設定されるとともに、第１のキャリアのサブフレーム設定メッセージがＵＥに送信され、それにより、ＵＥは、第１のキャリア上のサブフレームのサブフレームタイプを判定する。したがって、古いリリースのＵＥ及び新しいリリースのＵＥに対する第１のキャリアの互換性が保証され、新しいリリースのＵＥ及び古いリリースのＵＥの両方は、第１のキャリアを使用して通信を実行することができる。本発明において提供される基地局を使用することにより、オペレータは、古いリリースのＵＥが存在するセルにおいて、通信を実行するために、セル内のＵＥに対するＮＣＴサブフレームを配置することができ、それにより、ＮＣＴの導入に起因するキャリア性能の向上が獲得されることができ、セルにおけるキャリアリソースの効率及びスペクトルの利用が改善されることができ、そして、ＬＴＥの発展過程におけるＮＣＴキャリアの配置が、同様に促進される。
【０１８８】
「実施例５」
本発明のこの実施例は、図１から図３に示された実施例においてＵＥの方法を実施することができるユーザ装置ＵＥを提供する。図６において示されたように、この実施例において提供されるユーザ装置６０は、基地局により送信される動的なシグナリングを受信し、動的なシグナリングが第１のキャリアのサブフレーム設定情報を搬送し、第１のキャリアのサブフレーム設定情報が第１のキャリア上のＮＣＴサブフレームの設定及び／又は後方互換サブフレームの設定を示すために使用される、ように構成される受信モジュール６１と、受信モジュール６１により受信される動的なシグナリングにおけるサブフレーム設定情報に従って第１のキャリア上のサブフレームのサブフレームタイプを判定し、第１のキャリア上のサブフレームのサブフレームタイプがＮＣＴサブフレーム及び／又は後方互換サブフレームを含む、ように構成される判定モジュール６２と、第１のキャリア上のサブフレームのサブフレームタイプであり判定モジュール６２により判定されるサブフレームタイプに従って第１のキャリアを使用して通信を実行するように構成される通信モジュール６３とを含む。
【０１８９】
受信モジュール６１は、基地局により送信される動的なシグナリングを、設定された送信期間に従って定期的に受信するように具体的に構成される。
【０１９０】
任意に、受信モジュール６１は、基地局により送信される動的なシグナリングを受信するまえに、基地局により送信される準静的なシグナリングを受信し、準静的なシグナリングに従って動的なシグナリングを受信することを判定するように更に構成される。受信モジュール６１は、基地局により送信される動的なシグナリングを、第１の物理レイヤチャネルを通して受信し、動的なシグナリングが物理レイヤシグナリングを使用することによって基地局により送信され、第１の物理レイヤチャネルが物理制御フォーマットインジケータチャネルＰＣＦＩＣＨの時間−周波数リソースと同じ時間−周波数リソースを使用する、ように具体的に構成される。
【０１９１】
判定モジュール６２は、送信期間における第１のサブフレームを判定し、第１のサブフレームからセル共通参照信号を獲得し、セル共通参照信号に従って第１の物理レイヤチャネルを復調し、第１のサブフレームが第１のキャリアの各送信期間内の予め定義された位置におけるサブフレームであり、セル共通参照信号が第１のサブフレームにおいて伝送される、ように更に構成される。
【０１９２】
１つの可能な具体的な実施方法において、受信モジュール６１により受信される第１のキャリアのサブフレーム設定情報は１ビットであり、サブフレーム設定情報は、下記の、現在の送信期間における全てのサブフレームがＮＣＴサブフレームである、及び、現在の送信期間における全てのサブフレームが後方互換サブフレームである、というサブフレーム設定例のうちの１つを示すために使用される。
【０１９３】
別の可能な具体的な実施方法において、受信モジュール６１により受信される第１のキャリアのサブフレーム設定情報は２ビットであり、サブフレーム設定情報は、下記の、現在の送信期間における全てのサブフレームがＮＣＴサブフレームである、現在の送信期間における全てのサブフレームが後方互換サブフレームである、現在の送信期間において、セル共通参照信号を伝送するために使用されるサブフレームが後方互換サブフレームであり、セル共通参照信号を伝送するために使用されるサブフレームを除くほかのサブフレームがＮＣＴサブフレームである、及び、現在の送信期間におけるサブフレームがＲＲＣシグナリングを使用することにより設定されるサブフレームである、というサブフレーム設定例のうちの１つを示すために使用される。
【０１９４】
本発明のこの実施例において提供されるユーザ装置によれば、第１のキャリア上のサブフレームのサブフレームタイプは、基地局により送信される第１のキャリアのサブフレーム設定メッセージを使用することにより判定され、それにより、古いリリースのＵＥ及び新しいリリースのＵＥに対する第１のキャリアの互換性が保証されることができ、新しいリリースのＵＥ及び古いリリースのＵＥの両方は、第１のキャリアを使用して通信を実行することができる。本発明において提供されるユーザ装置を使用することにより、オペレータは、古いリリースのＵＥが存在するセルにおいて、通信を実行するために、セル内のＵＥに対するＮＣＴサブフレームを配置することができ、それにより、ＮＣＴの導入に起因するキャリア性能の向上が獲得されることができ、セルにおけるキャリアリソースの効率及びスペクトルの利用が改善されることができ、そして、ＬＴＥの発展過程におけるＮＣＴキャリアの配置が、同様に促進される。
【０１９５】
「実施例６」
この実施例は、前述の図１から図３に示された実施例において基地局の方法を実施することができる基地局を提供する。図７において示されたように、この実施例において提供される基地局７０は、第１のキャリア上にニューキャリアタイプＮＣＴサブフレーム及び／又は後方互換サブフレームを設定し、第１のキャリア上のＮＣＴサブフレームの設定及び／又は後方互換サブフレームの設定に従って、第１のキャリアのサブフレーム設定情報を判定するように構成されるプロセッサ７１と、動的なシグナリングを使用することにより、第１のユーザ装置ＵＥに、プロセッサ７１により判定される第１のキャリアのサブフレーム設定情報を送信し、ここで、第１のキャリアのサブフレーム設定情報が第１のキャリアのサブフレーム設定情報に従って第１のキャリア上のサブフレームのサブフレームタイプを判定するために第１のＵＥにより使用され、第１のキャリア上のサブフレームのサブフレームタイプがＮＣＴサブフレーム及び／又は後方互換サブフレームを含み、そして、第１のキャリア上のサブフレームのサブフレームタイプに従って第１のキャリアを使用して通信を実行するように構成される送信機７２とを含む。
【０１９６】
具体的には、送信機７２は、設定された送信期間に従って動的なシグナリングを第１のＵＥに定期的に送信し、動的なシグナリングが第１のキャリアのサブフレーム設定情報を搬送する、ように構成される。
【０１９７】
さらに、プロセッサ７１は、第１のキャリア内に存在する、少なくとも１つの第２のＵＥのサービスボリューム及び少なくとも１つの第２のＵＥによりサポートされるサブフレームタイプを判定するとともに、第２のＵＥのサービスボリューム及び第２のＵＥによりサポートされるサブフレームタイプに従って、第１のキャリア上にＮＣＴサブフレーム及び後方互換サブフレームを設定するように更に構成される。
【０１９８】
具体的には、プロセッサ７１は、第１のキャリアによりサービスされる第１のタイプのＵＥの総計のサービスボリュームがしきい値Ｔ１より少ないことを判定し、そして、第１のキャリア上の全てのサブフレームをＮＣＴサブフレームとして設定し、第１のタイプのＵＥが後方互換サブフレームをサポートするＵＥである、又は、第１のキャリアによりサービスされる第２のタイプのＵＥの総計のサービスボリュームがしきい値Ｔ２より少ないことを判定し、第１のキャリアによりサービスされる第１のタイプのＵＥのサービスボリュームがしきい値Ｔ１より多いことを判定し、そして、第１のキャリア上の全てのサブフレームを後方互換サブフレームとして設定し、第２のタイプのＵＥがＮＣＴサブフレームをサポートするＵＥである、又は、第１のキャリアによりサービスされる第１のタイプのＵＥの総計のサービスボリュームがしきい値Ｔ１より多いか若しくはしきい値Ｔ１に等しいことを判定し、第１のキャリアによりサービスされる第２のタイプのＵＥの総計のサービスボリュームがしきい値Ｔ２より多いか若しくはしきい値Ｔ２に等しいことを判定し、そして、第１のキャリア上にＮＣＴサブフレーム及び後方互換サブフレームの両方を設定する、ように構成される。
【０１９９】
任意に、送信機７２は、動的なシグナリングを第１のＵＥに送信するまえに、準静的なシグナリングを第１のＵＥに送信し、準静的なシグナリングが動的なシグナリングを受信するように第１のＵＥに指示するために使用される、ように更に構成される。
【０２００】
送信機７２は、ＭＩＢ又はＳＩＢに準静的なシグナリングを追加し、準静的なシグナリングをＭＩＢ又はＳＩＢを使用することにより送信する、又は、準静的なシグナリングをユニキャスト形式で送信する、ように具体的に構成される。
【０２０１】
送信機７２は、物理レイヤシグナリングを使用することにより動的なシグナリングを送信し、物理レイヤシグナリングが第１の物理レイヤチャネルを通して送信される、ように具体的に構成される。判定モジュール４３は、第１の物理レイヤチャネルを判定し、第１の物理レイヤチャネルが物理制御フォーマットインジケータチャネルＰＣＦＩＣＨの時間−周波数リソースと同じ時間−周波数リソースを使用する、ように更に構成される。
【０２０２】
プロセッサ７１は、セル共通参照信号を送信期間内に第１のサブフレームにおいて伝送し、第１のサブフレームにおいて搬送されるセル共通参照信号が第１の物理レイヤチャネルを復調するために第１のＵＥにより使用され、第１のサブフレームが動的なシグナリングを搬送する、ように更に構成される。
【０２０３】
１つの可能な具体的な実施方法において、プロセッサ７１により判定される第１のキャリアのサブフレーム設定情報は１ビットであり、サブフレーム設定情報は、下記の、現在の送信期間における全てのサブフレームがＮＣＴサブフレームである、及び、現在の送信期間における全てのサブフレームが後方互換サブフレームである、というサブフレーム設定例のうちの１つを示すために使用される。
【０２０４】
別の可能な具体的な実施方法において、プロセッサ７１により判定される第１のキャリアのサブフレーム設定情報は２ビットであり、サブフレーム設定情報は、下記の、現在の送信期間における全てのサブフレームがＮＣＴサブフレームである、現在の送信期間における全てのサブフレームが後方互換サブフレームである、現在の送信期間において、セル共通参照信号を伝送するために使用されるサブフレームが後方互換サブフレームであり、セル共通参照信号を伝送するために使用されるサブフレームを除くほかのサブフレームがＮＣＴサブフレームである、及び、現在の送信期間におけるサブフレームがＲＲＣシグナリングを使用することにより設定されるサブフレームである、というサブフレーム設定例のうちの１つを示すために使用される。
【０２０５】
前述の第１のＵＥは新しいリリースのＵＥであるか、又は、前述の第１のＵＥはＮＣＴサブフレームをサポートする及び／若しくは使用することができるＵＥである、ということに注意する必要がある。
【０２０６】
第２のＵＥは、第１のタイプのＵＥに属するＵＥ及び／又は第２のタイプのＵＥに属するＵＥを含むことができ、第１のタイプのＵＥは後方互換サブフレームをサポートするＵＥであり、第２のタイプのＵＥはＮＣＴサブフレームをサポートするＵＥである、ということに注意する必要がある。
【０２０７】
本発明のこの実施例において提供される基地局によれば、ＮＣＴサブフレーム及び後方互換サブフレームが第１のキャリア上に設定されるとともに、第１のキャリアのサブフレーム設定メッセージがＵＥに送信され、それにより、ＵＥは、第１のキャリア上のサブフレームのサブフレームタイプを判定する。したがって、古いリリースのＵＥ及び新しいリリースのＵＥに対する第１のキャリアの互換性が保証され、新しいリリースのＵＥ及び古いリリースのＵＥの両方は、第１のキャリアを使用して通信を実行することができる。本発明において提供される基地局を使用することにより、オペレータは、古いリリースのＵＥが存在するセルにおいて、通信を実行するために、セル内のＵＥに対するＮＣＴサブフレームを配置することができ、それにより、ＮＣＴの導入に起因するキャリア性能の向上が獲得されることができ、セルにおけるキャリアリソースの効率及びスペクトルの利用が改善されることができ、そして、ＬＴＥの発展過程におけるＮＣＴキャリアの配置が、同様に促進される。
【０２０８】
「実施例７」
本発明のこの実施例は、図１から図３に示された実施例においてＵＥの方法を実施することができるユーザ装置ＵＥを提供する。図８において示されたように、この実施例において提供されるユーザ装置８０は、基地局により送信される動的なシグナリングを受信し、動的なシグナリングが第１のキャリアのサブフレーム設定情報を搬送し、第１のキャリアのサブフレーム設定情報が第１のキャリア上のＮＣＴサブフレームの設定及び／又は後方互換サブフレームの設定を示すために使用される、ように構成される受信機８１と、受信機８１により受信される動的なシグナリングにおけるサブフレーム設定情報に従って第１のキャリア上のサブフレームのサブフレームタイプを判定し、ここで、第１のキャリア上のサブフレームのサブフレームタイプがＮＣＴサブフレーム及び／又は後方互換サブフレームを含み、そして、第１のキャリア上のサブフレームのサブフレームタイプに従って第１のキャリアを使用して通信を実行するように構成されるプロセッサ８２とを含む。
【０２０９】
受信機８１は、基地局により送信される動的なシグナリングを、設定された送信期間に従って定期的に受信するように具体的に構成される。
【０２１０】
任意に、受信機８１は、基地局により送信される動的なシグナリングを受信するまえに、基地局により送信される準静的なシグナリングを受信し、準静的なシグナリングに従って動的なシグナリングを受信することを判定するように更に構成される。
【０２１１】
受信機８１は、基地局により送信される動的なシグナリングを、第１の物理レイヤチャネルを通して受信し、動的なシグナリングが物理レイヤシグナリングを使用することによって基地局により送信され、第１の物理レイヤチャネルが物理制御フォーマットインジケータチャネルＰＣＦＩＣＨの時間−周波数リソースと同じ時間−周波数リソースを使用する、ように具体的に構成される。
【０２１２】
プロセッサ８２は、送信期間における第１のサブフレームを判定し、第１のサブフレームからセル共通参照信号を獲得し、セル共通参照信号に従って第１の物理レイヤチャネルを復調し、第１のサブフレームが第１のキャリアの各送信期間内の予め定義された位置におけるサブフレームであり、セル共通参照信号が第１のサブフレームにおいて伝送される、ように更に構成される。
【０２１３】
１つの可能な具体的な実施方法において、受信機８１により受信される第１のキャリアのサブフレーム設定情報は１ビットであり、サブフレーム設定情報は、下記の、現在の送信期間における全てのサブフレームがＮＣＴサブフレームである、及び、現在の送信期間における全てのサブフレームが後方互換サブフレームである、というサブフレーム設定例のうちの１つを示すために使用される。
【０２１４】
別の可能な具体的な実施方法において、受信機８１により受信される第１のキャリアのサブフレーム設定情報は２ビットであり、サブフレーム設定情報は、下記の、現在の送信期間における全てのサブフレームがＮＣＴサブフレームである、現在の送信期間における全てのサブフレームが後方互換サブフレームである、現在の送信期間において、セル共通参照信号を伝送するために使用されるサブフレームが後方互換サブフレームであり、セル共通参照信号を伝送するために使用されるサブフレームを除くほかのサブフレームがＮＣＴサブフレームである、及び、現在の送信期間におけるサブフレームがＲＲＣシグナリングを使用することにより設定されるサブフレームである、というサブフレーム設定例のうちの１つを示すために使用される。
【０２１５】
本発明のこの実施例において提供されるユーザ装置によれば、第１のキャリア上のサブフレームのサブフレームタイプは、基地局により送信される第１のキャリアのサブフレーム設定メッセージを使用することにより判定され、それにより、古いリリースのＵＥ及び新しいリリースのＵＥに対する第１のキャリアの互換性が保証されることができ、新しいリリースのＵＥ及び古いリリースのＵＥの両方は、第１のキャリアを使用して通信を実行することができる。本発明において提供されるユーザ装置を使用することにより、オペレータは、古いリリースのＵＥが存在するセルにおいて、通信を実行するために、セル内のＵＥに対するＮＣＴサブフレームを配置することができ、それにより、ＮＣＴの導入に起因するキャリア性能の向上が獲得されることができ、セルにおけるキャリアリソースの効率及びスペクトルの利用が改善されることができ、そして、ＬＴＥの発展過程におけるＮＣＴキャリアの配置が、同様に促進される。
【０２１６】
実施方法の前述の説明に基づくと、当業者は、本発明が、必須の汎用のハードウェアに加えたソフトウェアにより、又は、ハードウェアのみにより実施され得る、ということを明らかに理解し得る。大部分の状況において、前者が好ましい実施方法である。そのような理解に基づくと、本発明の技術的解決法は本質的に、又は、従来技術に貢献する部分は、ソフトウェア製品の形式で実施され得る。コンピュータソフトウェア製品は、コンピュータのフロッピーディスク、ハードディスク、又は光ディスクのような読み取り可能な記憶媒体に記憶されるとともに、コンピュータ装置（それはパーソナルコンピュータ、サーバ、ネットワーク装置、又は同様のものであり得る）に、本発明の実施例において説明された方法を実行するように指示するためのいくらかの命令を含む。
【０２１７】
前述の説明は、本発明の単なる具体的な実施方法にすぎず、本発明の保護範囲を限定することを意図していない。本発明において開示された技術的な範囲内の当業者によって容易に判断されるあらゆる変形又は置換は、本発明の保護範囲に含まれるものとする。したがって、本発明の保護範囲は、請求項の保護範囲に支配されるものとする。
【図１】
2016531501.tif 000005
【図２】
2016531501.tif 000006
【図３】
2016531501.tif 000007
【図４】
2016531501.tif 000008
【図５】
2016531501.tif 000009
【図６】
2016531501.tif 000010
【図７】
2016531501.tif 000011
【図８】
2016531501.tif 000012
【手続補正書】
【提出日】平成28年3月17日(2016.3.17)
【手続補正１】
【補正対象書類名】特許請求の範囲
【補正対象項目名】全文
【補正方法】変更
【補正の内容】
【特許請求の範囲】
【請求項１】
キャリア設定方法であって、
第１のキャリア上にニューキャリアタイプ（ＮＣＴ）サブフレーム及び／又は後方互換サブフレームを設定し、前記第１のキャリア上の前記ＮＣＴサブフレームの設定及び／又は前記後方互換サブフレームの設定に従って、前記第１のキャリアのサブフレーム設定情報を判定するステップと、
動的なシグナリングを使用することにより第１のユーザ装置（ＵＥ）に前記第１のキャリアの前記サブフレーム設定情報を送信し、ここで、前記第１のキャリアの前記サブフレーム設定情報が前記第１のキャリアの前記サブフレーム設定情報に従って前記第１のキャリア上のサブフレームのサブフレームタイプを判定するために前記第１のＵＥにより使用され、前記第１のキャリア上の前記サブフレームの前記サブフレームタイプがＮＣＴサブフレーム及び／又は後方互換サブフレームを含み、そして、前記第１のキャリア上の前記サブフレームの前記サブフレームタイプに従って前記第１のキャリアを使用して通信を実行するステップとを含む、方法。
【請求項２】
動的なシグナリングを使用することにより第１のユーザ装置ＵＥに前記第１のキャリアの前記サブフレーム設定情報を送信する前記ステップが、
設定された送信期間に従って前記動的なシグナリングを前記第１のＵＥに定期的に送信するステップであって、前記動的なシグナリングが前記第１のキャリアの前記サブフレーム設定情報を搬送する、ステップを含む、請求項１に記載の方法。
【請求項３】
当該方法が、
前記第１のキャリア内に存在する、少なくとも１つの第２のＵＥのサービスボリューム及び前記少なくとも１つの第２のＵＥによりサポートされるサブフレームタイプを判定するステップを更に含み、
第１のキャリア上にＮＣＴサブフレーム及び／又は後方互換サブフレームを設定する前記ステップが、
前記第２のＵＥの前記サービスボリューム及び前記第２のＵＥによりサポートされる前記サブフレームタイプに従って、前記第１のキャリア上に前記ＮＣＴサブフレーム及び／又は前記後方互換サブフレームを設定するステップを含む、請求項１又は請求項２に記載の方法。
【請求項４】
前記第２のＵＥの前記サービスボリューム及び前記第２のＵＥによりサポートされる前記サブフレームタイプに従って、前記第１のキャリア上に前記ＮＣＴサブフレーム及び／又は前記後方互換サブフレームを設定する前記ステップが、
前記第１のキャリアによりサービスされる第１のタイプのＵＥの総計のサービスボリュームがしきい値Ｔ１より少ないことを判定し、そして、前記第１のキャリア上の全てのサブフレームをＮＣＴサブフレームとして設定するステップであって、前記第１のタイプのＵＥが後方互換サブフレームをサポートするＵＥである、ステップ、又は、
前記第１のキャリアによりサービスされる第２のタイプのＵＥの総計のサービスボリュームがしきい値Ｔ２より少ないことを判定し、前記第１のキャリアによりサービスされる第１のタイプのＵＥのサービスボリュームがしきい値Ｔ１より多いことを判定し、そして、前記第１のキャリア上の全てのサブフレームを後方互換サブフレームとして設定するステップであって、前記第２のタイプのＵＥがＮＣＴサブフレームをサポートするＵＥである、ステップ、又は、
前記第１のキャリアによりサービスされる前記第１のタイプのＵＥの総計のサービスボリュームがしきい値Ｔ１より多いか若しくはしきい値Ｔ１に等しいことを判定し、前記第１のキャリアによりサービスされる前記第２のタイプのＵＥの総計のサービスボリュームがしきい値Ｔ２より多いか若しくはしきい値Ｔ２に等しいことを判定し、そして、前記第１のキャリア上にＮＣＴサブフレーム及び後方互換サブフレームの両方を設定するステップを含む、請求項３に記載の方法。
【請求項５】
動的なシグナリングを使用することにより第１のユーザ装置ＵＥに前記第１のキャリアの前記サブフレーム設定情報を送信する前記ステップのまえに、
準静的なシグナリングを前記第１のＵＥに送信するステップであって、前記準静的なシグナリングが、前記動的なシグナリングを受信するように前記第１のＵＥに指示するために使用される、ステップを更に含む、請求項１から請求項４のいずれか一項に記載の方法。
【請求項６】
準静的なシグナリングを前記第１のＵＥに送信する前記ステップが、
マスタ情報ブロック（ＭＩＢ）又はシステム情報ブロック（ＳＩＢ）を使用することにより前記準静的なシグナリングを搬送し、前記準静的なシグナリングを前記ＭＩＢ又は前記ＳＩＢを使用することにより送信するステップ、又は、
前記準静的なシグナリングをユニキャスト方法で送信するステップを含む、請求項５に記載の方法。
【請求項７】
動的なシグナリングを使用することにより第１のユーザ装置ＵＥに前記第１のキャリアの前記サブフレーム設定情報を送信する前記ステップが、
物理レイヤシグナリングを使用することにより前記動的なシグナリングを送信するステップであって、前記物理レイヤシグナリングが第１の物理レイヤチャネルを通して送信される、ステップを含む、請求項１から請求項６のいずれか一項に記載の方法。
【請求項８】
物理レイヤシグナリングを使用することにより前記動的なシグナリングを送信する前記ステップのまえに、
前記第１の物理レイヤチャネルを判定するステップであって、前記第１の物理レイヤチャネルが物理制御フォーマットインジケータチャネル（ＰＣＦＩＣＨ）の時間−周波数リソースと同じ時間−周波数リソースを使用する、ステップを更に含む、請求項７に記載の方法。
【請求項９】
キャリア設定方法であって、
基地局により送信される動的なシグナリングを受信するステップであって、前記動的なシグナリングが第１のキャリアのサブフレーム設定情報を搬送し、前記第１のキャリアの前記サブフレーム設定情報が前記第１のキャリア上のニューキャリアタイプ（ＮＣＴ）サブフレームの設定及び／又は後方互換サブフレームの設定を示すために使用される、ステップと、
前記動的なシグナリングにおける前記サブフレーム設定情報に従って、前記第１のキャリア上のサブフレームのサブフレームタイプを判定し、ここで、前記第１のキャリア上の前記サブフレームの前記サブフレームタイプがＮＣＴサブフレーム及び／又は後方互換サブフレームを含み、そして、前記第１のキャリア上の前記サブフレームの前記サブフレームタイプに従って前記第１のキャリアを使用して通信を実行するステップとを含む、方法。
【請求項１０】
基地局により送信される動的なシグナリングを受信する前記ステップが、
前記基地局により送信される前記動的なシグナリングを、設定された送信期間に従って定期的に受信するステップを含む、請求項９に記載の方法。
【請求項１１】
基地局により送信される動的なシグナリングを受信する前記ステップのまえに、
前記基地局により送信される準静的なシグナリングを受信し、前記準静的なシグナリングに従って前記動的なシグナリングを受信することを判定するステップを更に含む、請求項９又は請求項１０に記載の方法。
【請求項１２】
基地局により送信される動的なシグナリングを受信する前記ステップが、
前記基地局により送信される前記動的なシグナリングを、第１の物理レイヤチャネルを通して受信するステップであって、前記動的なシグナリングが物理レイヤシグナリングを使用することによって前記基地局により送信される、ステップを含む、請求項９から請求項１１のいずれか一項に記載の方法。
【請求項１３】
基地局であって、
第１のキャリア上にニューキャリアタイプ（ＮＣＴ）サブフレーム及び／又は後方互換サブフレームを設定し、前記第１のキャリア上の前記ＮＣＴサブフレームの設定及び／又は前記後方互換サブフレームの設定に従って、前記第１のキャリアのサブフレーム設定情報を判定するように構成される設定モジュールと、
動的なシグナリングを使用することにより、第１のユーザ装置（ＵＥ）に、前記設定モジュールにより判定される前記第１のキャリアの前記サブフレーム設定情報を送信し、ここで、前記第１のキャリアの前記サブフレーム設定情報が前記第１のキャリアの前記サブフレーム設定情報に従って前記第１のキャリア上のサブフレームのサブフレームタイプを判定するために前記第１のＵＥにより使用され、前記第１のキャリア上の前記サブフレームの前記サブフレームタイプがＮＣＴサブフレーム及び／又は後方互換サブフレームを含み、そして、前記第１のキャリア上の前記サブフレームの前記サブフレームタイプに従って前記第１のキャリアを使用して通信を実行するように構成される送信モジュールとを備える、基地局。
【請求項１４】
前記送信モジュールが、
設定された送信期間に従って前記動的なシグナリングを前記第１のＵＥに定期的に送信し、前記動的なシグナリングが前記第１のキャリアの前記サブフレーム設定情報を搬送する、ように構成される、請求項１３に記載の基地局。
【請求項１５】
当該基地局が、
前記第１のキャリア内に存在する、少なくとも１つの第２のＵＥのサービスボリューム及び前記少なくとも１つの第２のＵＥによりサポートされるサブフレームタイプを判定するように構成される判定モジュールを更に備え、
前記設定モジュールが、
前記判定モジュールにより判定される、前記第２のＵＥの前記サービスボリューム及び前記第２のＵＥによりサポートされる前記サブフレームタイプに従って、前記第１のキャリア上に前記ＮＣＴサブフレーム及び／又は前記後方互換サブフレームを設定するように構成される、請求項１３又は請求項１４に記載の基地局。
【請求項１６】
前記設定モジュールが、
前記第１のキャリアによりサービスされる第１のタイプのＵＥの総計のサービスボリュームがしきい値Ｔ１より少ないことを判定し、そして、前記第１のキャリア上の全てのサブフレームをＮＣＴサブフレームとして設定し、前記第１のタイプのＵＥが後方互換サブフレームをサポートするＵＥである、又は、
前記第１のキャリアによりサービスされる第２のタイプのＵＥの総計のサービスボリュームがしきい値Ｔ２より少ないことを判定し、前記第１のキャリアによりサービスされる第１のタイプのＵＥのサービスボリュームがしきい値Ｔ１より多いことを判定し、そして、前記第１のキャリア上の全てのサブフレームを後方互換サブフレームとして設定し、前記第２のタイプのＵＥがＮＣＴサブフレームをサポートするＵＥである、又は、
前記第１のキャリアによりサービスされる前記第１のタイプのＵＥの総計のサービスボリュームがしきい値Ｔ１より多いか若しくはしきい値Ｔ１に等しいことを判定し、前記第１のキャリアによりサービスされる前記第２のタイプのＵＥの総計のサービスボリュームがしきい値Ｔ２より多いか若しくはしきい値Ｔ２に等しいことを判定し、そして、前記第１のキャリア上にＮＣＴサブフレーム及び後方互換サブフレームの両方を設定する、ように構成される、請求項１５に記載の基地局。
【請求項１７】
前記送信モジュールが、
前記動的なシグナリングを前記第１のＵＥに送信するまえに、準静的なシグナリングを前記第１のＵＥに送信し、前記準静的なシグナリングが前記動的なシグナリングを受信するように前記第１のＵＥに指示するために使用される、ように更に構成される、請求項１５又は請求項１６に記載の基地局。
【請求項１８】
前記送信モジュールが、
マスタ情報ブロックＭＩＢ又はシステム情報ブロックＳＩＢに前記準静的なシグナリングを追加し、前記準静的なシグナリングを前記ＭＩＢ又は前記ＳＩＢを使用することにより送信する、又は、
前記準静的なシグナリングをユニキャスト形式で送信する、ように構成される、請求項１７に記載の基地局。
【請求項１９】
前記送信モジュールが、
物理レイヤシグナリングを使用することにより前記動的なシグナリングを送信し、前記物理レイヤシグナリングが第１の物理レイヤチャネルを通して送信される、ように構成される、請求項１５から請求項１８のいずれか一項に記載の基地局。
【請求項２０】
前記判定モジュールが、
前記第１の物理レイヤチャネルを判定し、前記第１の物理レイヤチャネルが物理制御フォーマットインジケータチャネル（ＰＣＦＩＣＨ）の時間−周波数リソースと同じ時間−周波数リソースを使用する、ように更に構成される、請求項１９に記載の基地局。
【請求項２１】
ユーザ装置ＵＥであって、
基地局により送信される動的なシグナリングを受信し、前記動的なシグナリングが第１のキャリアのサブフレーム設定情報を搬送し、前記第１のキャリアの前記サブフレーム設定情報が前記第１のキャリア上のニューキャリアタイプ（ＮＣＴ）サブフレームの設定及び／又は後方互換サブフレームの設定を示すために使用される、ように構成される受信モジュールと、
前記受信モジュールにより受信される前記動的なシグナリングにおける前記サブフレーム設定情報に従って前記第１のキャリア上のサブフレームのサブフレームタイプを判定し、前記第１のキャリア上の前記サブフレームの前記サブフレームタイプがＮＣＴサブフレーム及び／又は後方互換サブフレームを含む、ように構成される判定モジュールと、
前記第１のキャリア上の前記サブフレームのサブフレームタイプであり前記判定モジュールにより判定される前記サブフレームタイプに従って前記第１のキャリアを使用して通信を実行するように構成される通信モジュールとを備える、ユーザ装置。
【請求項２２】
前記受信モジュールが、
前記基地局により送信される前記動的なシグナリングを、設定された送信期間に従って定期的に受信するように構成される、請求項２１に記載のユーザ装置。
【請求項２３】
前記受信モジュールが、
前記基地局により送信される前記動的なシグナリングを受信するまえに、前記基地局により送信される準静的なシグナリングを受信し、前記準静的なシグナリングに従って前記動的なシグナリングを受信することを判定するように更に構成される、請求項２１又は請求項２２に記載のユーザ装置。
【請求項２４】
前記受信モジュールが、
前記基地局により送信される前記動的なシグナリングを、第１の物理レイヤチャネルを通して受信し、前記動的なシグナリングが物理レイヤシグナリングを使用することによって前記基地局により送信され、前記第１の物理レイヤチャネルが物理制御フォーマットインジケータチャネル（ＰＣＦＩＣＨ）の時間−周波数リソースと同じ時間−周波数リソースを使用する、ように構成される、請求項２１から請求項２３のいずれか一項に記載のユーザ装置。
【手続補正２】
【補正対象書類名】明細書
【補正対象項目名】００４９
【補正方法】変更
【補正の内容】
【００４９】
本発明の実施例における技術的解決法をより明確に説明するために、下記は、実施例を説明するために必要とされる添付図面を簡単に紹介する。明らかに、下記の説明における添付図面は本発明の単にいくつかの実施例を表すとともに、当業者は、創造的な努力なしでこれらの添付図面からさらに他の図面を導き出し得る。
【手続補正３】
【補正対象書類名】明細書
【補正対象項目名】００６８
【補正方法】変更
【補正の内容】
【００６８】
本発明のこの実施例において提供されるキャリア設定方法によれば、ＮＣＴサブフレーム及び後方互換サブフレームが第１のキャリア上に設定されるとともに、第１のキャリアのサブフレーム設定情報がＵＥに送信され、それにより、ＵＥは、第１のキャリア上のサブフレームのサブフレームタイプを判定する。したがって、古いリリースのＵＥ及び新しいリリースのＵＥに対する第１のキャリアの互換性が保証され、新しいリリースのＵＥ及び古いリリースのＵＥの両方は、第１のキャリアを使用して通信を実行することができる。本発明において提供される方法を使用することにより、オペレータは、古いリリースのＵＥが存在するセルにおいて、通信を実行するために、セル内のＵＥに対するＮＣＴサブフレームを配置することができ、それにより、ＮＣＴの導入に起因するキャリア性能の向上が獲得されることができ、セルにおけるキャリアリソースの効率及びスペクトルの利用が改善されることができ、そして、ＬＴＥの発展過程におけるＮＣＴキャリアの配置が、同様に促進される。
【手続補正４】
【補正対象書類名】明細書
【補正対象項目名】００６９
【補正方法】変更
【補正の内容】
【００６９】
具体的には、図１において示されたキャリア設定方法に関して、この実施例では、ステップ１０２の動的なシグナリングを使用することによりＵＥに第１のキャリアのサブフレーム設定情報を送信するステップは、下記の方法、すなわち、設定された送信期間に従って動的なシグナリングを第１のＵＥに定期的に送信するステップであって、動的なシグナリングが第１のキャリアのサブフレーム設定情報を搬送する、ステップにおいて実施され得る。動的なシグナリングを使用することにより、リアルタイムでセル内の古いリリースのＵＥ及び新しいリリースのＵＥのサービスボリュームを整合することが実行されることができ、さらに、サブフレームタイプの設定が実行され、そしてシステムリソースの使用が最適化される。特にユーザの量が比較的少ない異種ネットワークにおける小さなセルのシナリオにおいて、動的な設定は、ＵＥタイプ及びサービスボリュームに従って実行されることができ、それは、セルにおけるキャリアリソースの効率及びスペクトルの利用を改善し、ＮＣＴの導入に起因するキャリア性能の向上を改善し、そして共通参照信号に起因する干渉及び負荷を削減することができる。
【手続補正５】
【補正対象書類名】明細書
【補正対象項目名】００９５
【補正方法】変更
【補正の内容】
【００９５】
ＮＣＴサブフレーム及び後方互換サブフレームにおいて伝送されるＣＲＳ信号が異なるので（例えば、送信期間において、各後方互換サブフレームはＣＲＳを搬送し、概して、後方互換サブフレームにおいて搬送されるＣＲＳは複数のＣＲＳポートを包含するが、しかしながら、一般に、複数のＮＣＴサブフレームの中の１つのＮＣＴサブフレームだけがＣＲＳを搬送し、そしてＣＲＳを搬送するＮＣＴサブフレームは１つだけのＣＲＳポートを包含し得る）、したがって、第１のキャリア上のサブフレームのサブフレームタイプを判定したあとで、ＵＥは、各サブフレームのサブフレームタイプに従って、各サブフレームにおけるＣＲＳ信号の伝送状態を判定し、各サブフレームにおけるＣＲＳ信号の伝送状態に従って、信号を送信及び受信する処理を実施し得る、ということに注意する必要がある。
【手続補正６】
【補正対象書類名】明細書
【補正対象項目名】００９６
【補正方法】変更
【補正の内容】
【００９６】
物理ダウンリンク制御チャネルＰＤＣＣＨは、同様に、ＮＣＴサブフレーム及び後方互換サブフレームにおいて異なる方法で伝送され得る、ということに更に注意する必要がある。ＮＣＴサブフレームでは、概して、物理ダウンリンク制御チャネルＰＤＣＣＨは伝送されない。しかしながら、ＭＢＳＦＮサブフレーム又はＰＭＣＨサブフレームが同様にＮＣＴサブフレームに設定される１つの可能な特別な場合において、物理ダウンリンク制御チャネルＰＤＣＣＨが伝送される。後方互換サブフレームでは、物理ダウンリンク制御チャネルＰＤＣＣＨは各サブフレームにおいて伝送される。上記で列挙される信号及び／又はチャネルに加えて、別の信号及び／又はチャネルが更に含まれ得るとともに、これらの信号及び／又はチャネルは、全て予め定義され得る２つのタイプのサブフレーム、ＮＣＴサブフレーム及び後方互換サブフレームにおいて、異なる方法で伝送される。例えば、ＤＭＲＳに関して、ＮＣＴサブフレームにおけるＤＭＲＳのパターンは、後方互換サブフレームにおけるＤＭＲＳのパターンと異なり、ＮＣＴサブフレーム及び後方互換サブフレームは、シグナリングを使用することにより変更され、ＤＭＲＳのパターンは、異なるサブフレームに従って予め定義され、それにより、ＤＭＲＳのパターンは、同時に通知されることができ、それは、別の信号及びチャネルに更に適用でき、そして、詳細は１つずつここでは説明されない。
【手続補正７】
【補正対象書類名】明細書
【補正対象項目名】０１１０
【補正方法】変更
【補正の内容】
【０１１０】
第１のＵＥは新しいリリースのＵＥであるか、又は、第１のＵＥはＮＣＴサブフレームをサポートする及び／若しくは使用することができるＵＥである、ということに注意する必要がある。
【手続補正８】
【補正対象書類名】明細書
【補正対象項目名】０１１３
【補正方法】変更
【補正の内容】
【０１１３】
Ｓ２．基地局が、第２のＵＥのサービスボリューム及び第２のＵＥによりサポートされるサブフレームタイプに従って、第１のキャリア上にＮＣＴサブフレーム及び／又は後方互換サブフレームを設定する。
【手続補正９】
【補正対象書類名】明細書
【補正対象項目名】０１１４
【補正方法】変更
【補正の内容】
【０１１４】
具体的には、前述のステップＳ２は、下記の３つの方法のうちの少なくとも１つを使用することにより実施され得る。
（１）基地局が、第１のキャリアによりサービスされる第１のタイプのＵＥの総計のサービスボリュームがしきい値Ｔ１より少ないことを判定し、そして、第１のキャリア上の全てのサブフレームをＮＣＴサブフレームとして設定し、ここで、第１のタイプのＵＥは後方互換サブフレームをサポートするＵＥである、
（２）基地局が、第１のキャリアによりサービスされる第２のタイプのＵＥの総計のサービスボリュームがしきい値Ｔ２より少ないことを判定し、第１のキャリアによりサービスされる第１のタイプのＵＥのサービスボリュームがしきい値Ｔ１より多いことを判定し、そして、第１のキャリア上の全てのサブフレームを後方互換サブフレームとして設定し、ここで、第２のタイプのＵＥはＮＣＴサブフレームをサポートするＵＥである、並びに、
（３）基地局が、第１のキャリアによりサービスされる第１のタイプのＵＥの総計のサービスボリュームがしきい値Ｔ１より多いか若しくはしきい値Ｔ１に等しいことを判定し、第１のキャリアによりサービスされる第２のタイプのＵＥの総計のサービスボリュームがしきい値Ｔ２より多いか若しくはしきい値Ｔ２に等しいことを判定し、そして、第１のキャリア上にＮＣＴサブフレーム及び後方互換サブフレームの両方を設定する。
【手続補正１０】
【補正対象書類名】明細書
【補正対象項目名】０１１７
【補正方法】変更
【補正の内容】
【０１１７】
さらに、もしＵＥに関するサービス負荷が比較的低いならば、基地局は、いくつかのキャリアをＮＣＴキャリアとして設定し得るか、又は、少なくとも１つのキャリアを特別なＮＣＴキャリアとして設定し、大部分のサブフレームをＮＣＴサブフレームとして設定し得る。この方法を使用することにより、ＮＣＴサブフレームが比較的少ない量の共通参照信号だけを伝送する必要がある（加えて、制御チャネルの伝送が削減されることができる）ので、全体の通信ネットワークにおける干渉が削減されることができ、省エネルギーが同様に促進される。
【手続補正１１】
【補正対象書類名】明細書
【補正対象項目名】０１３６
【補正方法】変更
【補正の内容】
【０１３６】
任意に、古いリリースのＵＥのために、送信されたＰＣＦＩＣＨは、ＰＤＣＣＨシンボルの量だけを示すために使用され得る。この方法を使用することにより、ＰＣＦＩＣＨのチャネル構造を多重化することを目的としているが、しかし新しいＵＥのサブフレームタイプを示すためにそのあとで再使用される、本発明におけるシグナリングと、オリジナルのシグナリングとの間の混同を回避するために、古いリリースのＵＥは、物理ダウンリンク制御チャネルＰＤＣＣＨシンボルの量を判定し得る。
【手続補正１２】
【補正対象書類名】明細書
【補正対象項目名】０１４０
【補正方法】変更
【補正の内容】
【０１４０】
方法２：伝送を実行するためにレイヤ１の物理レイヤチャネルが選択される復調参照信号に関して、別の実施例では、時間及び周波数トラッキングのために使用されるセル固有参照信号は、サブフレーム設定情報を搬送する準ＰＣＦＩＣＨチャネルの参照信号として使用される。ＮＣＴサブフレームにおいて、時間及び周波数トラッキングのために使用される参照信号は、同様に、セル固有参照信号であり得るとともに、時間及び周波数トラッキングの性能を保証するために、比較的広い周波数帯域の占有によって送信され得る。ＣＲＳ又はＣＳＩ−ＲＳが具体的に時間及び周波数トラッキングのために使用される参照信号として使用されるかどうかにかかわらず、差異は、これらの参照信号のパターンにのみ存在し、これらの参照信号は、本質的にセル固有の信号であり、特定の時間−周波数粒度で送信され、それは、セル共通参照信号ＣＲＳを一例として使用することにより簡単に説明され得る。特定のＮＣＴにおいて、このＣＲＳは、主として、時間及び周波数トラッキングを実行するために使用され得るとともに、伝送の密度を潜在的に削減し得る。例えば、１つだけのＣＲＳポートが使用されるとともに、送信は５つのサブフレーム毎に１回実行される。この場合、サブフレーム設定情報を搬送する準ＰＣＦＩＣＨチャネルは、この参照信号を使用し得る。準ＰＣＦＩＣＨチャネルの性能を更に改善するために、送信されるビットの量と、古いリリースのシステムにおいてＰＣＦＩＣＨ上のＰＤＣＣＨシンボルの量を示すために使用されるビットの量との間に差異が存在し得る。しかしながら、ビットの量を削減することは、シグナリングの示される量に影響を及ぼす。したがって、示されるサブフレーム設定情報の柔軟性と性能は、バランスがとれている必要がある。さらに、この方法の利点は、サブフレーム設定情報を搬送する準ＰＣＦＩＣＨチャネルを伝送するために使用されるサブフレームが、同様に、後方互換サブフレームとして実際に設定され得る、ということである。新しいリリースのＵＥは、そのサブフレームがＮＣＴサブフレームであったかのように、まだ復調を実行し、それは、このチャネルの性能に影響を及ぼさないとともに、このサブフレームの設定にも制限を課さない。ＮＣＴサブフレームにおいて送信されるＣＲＳが確かに後方互換サブフレームにおいて送信されるＣＲＳのサブセットであるので、このサブフレームは、ＮＣＴサブフレームとして設定され得るか、又は、後方互換サブフレームとして設定され得る。もしこのサブフレームタイプの設定の柔軟性が実際に許容されるならば、新しいリリースのＵＥのために、現在のＰＣＦＩＣＨは、ＰＤＣＣＨシンボルの量を示す情報を搬送するばかりでなく、サブフレーム設定を示す情報も搬送する。したがって、ジョイントコーディングが実行される必要がある。しかしながら、ＰＤＣＣＨシンボルの量を示す情報は同じままであり、各状態は、特定のサブフレーム設定情報を更に示す必要があり得る。さらに、古いリリースのＵＥのために、送信されたＰＣＦＩＣＨは、ＰＤＣＣＨシンボルの量だけを示すために使用される。任意に、別の方法が使用され得る。古いリリースの全てのＵＥのためにクロスキャリアスケジューリングが使用されるとともに、１つのキャリア上のデータ伝送をスケジュールするＰＤＣＣＨは、別のキャリア上で搬送され得る。このように、古いリリースのＵＥは、現在のキャリアのＰＤＣＣＨを復調する必要がなく、そしてさらに、ＰＤＣＣＨシンボルの量を判定するために古いリリースのシステムにより設計されたＰＣＦＩＣＨを復調する必要がない。クロスキャリアスケジューリング能力を有する古いリリースのＵＥがこの方法において必要とされる。クロスキャリアスケジューリングが古いリリースのＵＥの問題を解決するために使用される場合に、新しいリリースのＵＥのために、このサブフレームにおいて送信されるＰＣＦＩＣＨチャネルは、サブフレーム設定情報だけを示し得るとともに、古いリリースのＬＴＥシステムにおける、元来ＰＤＣＣＨシンボルの量を示すために使用される情報と、必ずしも多重化される必要があるとは限らない。この場合、このサブフレームは、まだＮＣＴサブフレーム又は後方互換サブフレームとして支援的に設定され得る、ということに注意が必要かもしれない。システム設定は柔軟であり、この方法は、代表的な方法である。
【手続補正１３】
【補正対象書類名】明細書
【補正対象項目名】０１４５
【補正方法】変更
【補正の内容】
【０１４５】
サブフレーム設定情報が１ビットである場合に、古いリリースのＬＴＥシステムにおけるＰＣＦＩＣＨチャネルがＰＤＣＣＨシンボルの量を示すために２ビットの情報を伝送する場合と比較すると、伝送される情報のビットの量が削減されるので、チャネルの復調性能が改善されるとともに、より古いリリースのＬＴＥシステムにおける参照信号が潜在的にほとんど使用されないかもしれず、それは、チャネル推定及び復調性能に影響を及ぼす。これらの要因が総合的に考慮される場合に、１ビットでサブフレーム設定情報を伝送することは好ましい解決法であり、そして性能が保証され得る。
【手続補正１４】
【補正対象書類名】明細書
【補正対象項目名】０１４７
【補正方法】変更
【補正の内容】
【０１４７】
上記で言及された方法に加えて、第１のキャリアのサブフレーム設定情報が２ビットである場合に、２つのビットに対応する４つの状態のサブフレーム設定情報は、下記の、
（ａ）現在の送信期間における全てのサブフレームがＮＣＴサブフレームである、
（ｂ）現在の送信期間における全てのサブフレームが後方互換サブフレームである、
（ｃ）現在の送信期間において、第１のサブフレームが後方互換サブフレームであり、第１のサブフレームを除くほかのサブフレームがＮＣＴサブフレームである、
（ｄ）現在の送信期間において、セル共通参照信号が伝送されるサブフレームが後方互換サブフレームであり、ほかのサブフレームがＮＣＴサブフレームである、
（ｅ）現在の送信期間において、必ずしも全てのサブフレームがＮＣＴサブフレーム又は後方互換サブフレームであるとは限らない場合に、全てのサブフレームのサブフレームタイプが予め定義され、ここで、サブフレームタイプはＮＣＴサブフレーム又は後方互換サブフレームを含む、及び、
（ｆ）現在の送信期間におけるサブフレームがＲＲＣシグナリングを使用することにより事前設定されるサブフレームである、
という複数のサブフレーム設定例のうちのいずれか１つを示すために使用される。
【手続補正１５】
【補正対象書類名】明細書
【補正対象項目名】０１６４
【補正方法】変更
【補正の内容】
【０１６４】
具体的には、基地局は、準静的なシグナリングを使用することにより、現在のキャリアがＮＣＴサブフレーム及び後方互換サブフレームの両方の設定をサポートしているかどうかを設定することができ、それは、ＮＣＴキャリア及び特別なＮＣＴキャリアが、相互に交換されるとともに、準静的なシグナリングを使用することにより設定されることができ、サブフレーム設定情報を搬送する動的なシグナリングがＮＣＴキャリア上で伝送及び送信される必要がないことを意味する。もしＮＣＴキャリアが特別なＮＣＴキャリアであることを無効にされるならば、それは、このＮＣＴキャリアが全く古いリリースのＵＥをサポートしないかもしれないことを意味し、すなわち、シグナリング及びチャネルを送信することが無効にされ、それは、本質的に、各サブフレームがＮＣＴサブフレームであり、シグナリングが通知を行うのに必要とされず、新しいリリースのＵＥはキャリアが新しいキャリアタイプのみであることを学習する、ことを暗に示す。もしＮＣＴキャリアが特別なＮＣＴキャリアであることを有効にされるならば、２つのサブフレームタイプ、ＮＣＴサブフレーム及び後方互換サブフレームを設定するための特定の情報が、本発明における方法を使用することにより通知され得る。サブフレーム設定情報を搬送する動的なシグナリングが、この特別なＮＣＴキャリア上で伝送及び送信される必要がある。ＵＥは、シグナリングを構文解析することにより、新しいリリースのＵＥが各サブフレームタイプを学習することを更に可能にするとともに、サブフレームの中のＣＲＳのような信号の設定状態及び伝送状態を更に判定し、それにより、新しいリリースのＵＥは、異なるサブフレーム内の信号の伝送に従って、信号を送信及び受信する処理を別々に実行する。
【手続補正１６】
【補正対象書類名】明細書
【補正対象項目名】０１６７
【補正方法】変更
【補正の内容】
【０１６７】
ＮＣＴサブフレーム及び後方互換サブフレームにおいて伝送されるＣＲＳ信号が異なるので（例えば、ＣＲＳポートの量における差異）、第１のキャリア上のサブフレームのサブフレームタイプを判定したあとで、ＵＥは、各サブフレームのサブフレームタイプに従って、各サブフレームにおけるＣＲＳ信号の伝送状態を判定し、各サブフレームにおけるＣＲＳ信号の伝送状態に従って、信号を送信及び受信する処理を実施し得る、ということに注意する必要がある。具体的には、各送信期間において、ＣＲＳは第１のサブフレームにおいて伝送され、ここで、第１のサブフレームは、各送信期間内の指定された位置におけるサブフレームである。例えば、５ｍｓの伝送期間を有するＣＲＳがセル固有参照信号として使用される場合に、第１のキャリアの第１のサブフレームは、第１のキャリアにおける、“Ｍ  ｍｏｄ  ５”が０である番号Ｍを有するサブフレーム、すなわち、番号０を有するサブフレーム、番号５を有するサブフレーム、番号１０を有するサブフレーム・・・が、ＣＲＳが伝送される第１のサブフレームに設定される方法で判定され得る。
【手続補正１７】
【補正対象書類名】明細書
【補正対象項目名】０１６８
【補正方法】変更
【補正の内容】
【０１６８】
物理ダウンリンク制御チャネルＰＤＣＣＨは、同様に、ＮＣＴサブフレーム及び後方互換サブフレームにおいて異なる方法で伝送され得る、ということに更に注意する必要がある。ＮＣＴサブフレームでは、概して、物理ダウンリンク制御チャネルＰＤＣＣＨは伝送されない。しかしながら、ＭＢＳＦＮサブフレーム又はＰＭＣＨサブフレームが同様にＮＣＴサブフレームに設定される１つの可能な特別な場合において、物理ダウンリンク制御チャネルＰＤＣＣＨが伝送される。後方互換サブフレームでは、物理ダウンリンク制御チャネルＰＤＣＣＨは各サブフレームにおいて伝送される。上記で列挙される信号及び／又はチャネルに加えて、別の信号及び／又はチャネルが更に含まれ得るとともに、これらの信号及び／又はチャネルは、全て予め定義され得る２つのタイプのサブフレーム、ＮＣＴサブフレーム及び後方互換サブフレームにおいて、異なる方法で伝送される。例えば、ＤＭＲＳに関して、ＮＣＴサブフレームにおけるＤＭＲＳのパターンは、後方互換サブフレームにおけるＤＭＲＳのパターンと異なり、ＮＣＴサブフレーム及び後方互換サブフレームは、シグナリングを使用することにより変更され、ＤＭＲＳのパターンは、異なるサブフレームに従って予め定義され、それにより、ＤＭＲＳのパターンは、同時に通知されることができ、それは、別の信号及びチャネルに更に適用でき、そして、詳細は１つずつここでは説明されない。
【手続補正１８】
【補正対象書類名】明細書
【補正対象項目名】０１７４
【補正方法】変更
【補正の内容】
【０１７４】
本発明のこの実施例において提供されるキャリア設定方法によれば、基地局が、第１のキャリア上にＮＣＴサブフレーム及び後方互換サブフレームを設定するとともに、ＵＥに第１のキャリアのサブフレーム設定情報を送信し、それにより、ＵＥは、第１のキャリア上のサブフレームのサブフレームタイプを判定する。したがって、古いリリースのＵＥ及び新しいリリースのＵＥに対する第１のキャリアの互換性が保証され、新しいリリースのＵＥ及び古いリリースのＵＥの両方は、第１のキャリアを使用して通信を実行することができる。本発明において提供される方法を使用することにより、オペレータは、古いリリースのＵＥが存在するセルにおいて、通信を実行するために、セル内のＵＥに対するＮＣＴサブフレームを配置することができ、それにより、ＮＣＴの導入に起因するキャリア性能の向上が獲得されることができ、セルにおけるキャリアリソースの利用が改善されることができ、そして、ＬＴＥの発展過程におけるＮＣＴキャリアの配置が、同様に促進される。
【手続補正１９】
【補正対象書類名】明細書
【補正対象項目名】０１８７
【補正方法】変更
【補正の内容】
【０１８７】
本発明のこの実施例において提供される基地局によれば、ＮＣＴサブフレーム及び後方互換サブフレームが第１のキャリア上に設定されるとともに、第１のキャリアのサブフレーム設定情報がＵＥに送信され、それにより、ＵＥは、第１のキャリア上のサブフレームのサブフレームタイプを判定する。したがって、古いリリースのＵＥ及び新しいリリースのＵＥに対する第１のキャリアの互換性が保証され、新しいリリースのＵＥ及び古いリリースのＵＥの両方は、第１のキャリアを使用して通信を実行することができる。本発明において提供される基地局を使用することにより、オペレータは、古いリリースのＵＥが存在するセルにおいて、通信を実行するために、セル内のＵＥに対するＮＣＴサブフレームを配置することができ、それにより、ＮＣＴの導入に起因するキャリア性能の向上が獲得されることができ、セルにおけるキャリアリソースの効率及びスペクトルの利用が改善されることができ、そして、ＬＴＥの発展過程におけるＮＣＴキャリアの配置が、同様に促進される。
【手続補正２０】
【補正対象書類名】明細書
【補正対象項目名】０１９４
【補正方法】変更
【補正の内容】
【０１９４】
本発明のこの実施例において提供されるユーザ装置によれば、第１のキャリア上のサブフレームのサブフレームタイプは、基地局により送信される第１のキャリアのサブフレーム設定情報を使用することにより判定され、それにより、古いリリースのＵＥ及び新しいリリースのＵＥに対する第１のキャリアの互換性が保証されることができ、新しいリリースのＵＥ及び古いリリースのＵＥの両方は、第１のキャリアを使用して通信を実行することができる。本発明において提供されるユーザ装置を使用することにより、オペレータは、古いリリースのＵＥが存在するセルにおいて、通信を実行するために、セル内のＵＥに対するＮＣＴサブフレームを配置することができ、それにより、ＮＣＴの導入に起因するキャリア性能の向上が獲得されることができ、セルにおけるキャリアリソースの効率及びスペクトルの利用が改善されることができ、そして、ＬＴＥの発展過程におけるＮＣＴキャリアの配置が、同様に促進される。
【手続補正２１】
【補正対象書類名】明細書
【補正対象項目名】０１９７
【補正方法】変更
【補正の内容】
【０１９７】
さらに、プロセッサ７１は、第１のキャリア内に存在する、少なくとも１つの第２のＵＥのサービスボリューム及び少なくとも１つの第２のＵＥによりサポートされるサブフレームタイプを判定するとともに、第２のＵＥのサービスボリューム及び第２のＵＥによりサポートされるサブフレームタイプに従って、第１のキャリア上にＮＣＴサブフレーム及び／又は後方互換サブフレームを設定するように更に構成される。
【手続補正２２】
【補正対象書類名】明細書
【補正対象項目名】０２０１
【補正方法】変更
【補正の内容】
【０２０１】
送信機７２は、物理レイヤシグナリングを使用することにより動的なシグナリングを送信し、物理レイヤシグナリングが第１の物理レイヤチャネルを通して送信される、ように具体的に構成される。プロセッサ７１は、第１の物理レイヤチャネルを判定し、第１の物理レイヤチャネルが物理制御フォーマットインジケータチャネルＰＣＦＩＣＨの時間−周波数リソースと同じ時間−周波数リソースを使用する、ように更に構成される。
【手続補正２３】
【補正対象書類名】明細書
【補正対象項目名】０２０７
【補正方法】変更
【補正の内容】
【０２０７】
本発明のこの実施例において提供される基地局によれば、ＮＣＴサブフレーム及び後方互換サブフレームが第１のキャリア上に設定されるとともに、第１のキャリアのサブフレーム設定情報がＵＥに送信され、それにより、ＵＥは、第１のキャリア上のサブフレームのサブフレームタイプを判定する。したがって、古いリリースのＵＥ及び新しいリリースのＵＥに対する第１のキャリアの互換性が保証され、新しいリリースのＵＥ及び古いリリースのＵＥの両方は、第１のキャリアを使用して通信を実行することができる。本発明において提供される基地局を使用することにより、オペレータは、古いリリースのＵＥが存在するセルにおいて、通信を実行するために、セル内のＵＥに対するＮＣＴサブフレームを配置することができ、それにより、ＮＣＴの導入に起因するキャリア性能の向上が獲得されることができ、セルにおけるキャリアリソースの効率及びスペクトルの利用が改善されることができ、そして、ＬＴＥの発展過程におけるＮＣＴキャリアの配置が、同様に促進される。
【手続補正２４】
【補正対象書類名】明細書
【補正対象項目名】０２１５
【補正方法】変更
【補正の内容】
【０２１５】
本発明のこの実施例において提供されるユーザ装置によれば、第１のキャリア上のサブフレームのサブフレームタイプは、基地局により送信される第１のキャリアのサブフレーム設定情報を使用することにより判定され、それにより、古いリリースのＵＥ及び新しいリリースのＵＥに対する第１のキャリアの互換性が保証されることができ、新しいリリースのＵＥ及び古いリリースのＵＥの両方は、第１のキャリアを使用して通信を実行することができる。本発明において提供されるユーザ装置を使用することにより、オペレータは、古いリリースのＵＥが存在するセルにおいて、通信を実行するために、セル内のＵＥに対するＮＣＴサブフレームを配置することができ、それにより、ＮＣＴの導入に起因するキャリア性能の向上が獲得されることができ、セルにおけるキャリアリソースの効率及びスペクトルの利用が改善されることができ、そして、ＬＴＥの発展過程におけるＮＣＴキャリアの配置が、同様に促進される。
【国際調査報告】
2016531501.tif 000013
2016531501.tif 000014
2016531501.tif 000015
2016531501.tif 000016